(57)【特許請求の範囲】
【請求項１】
女性患者の卵管の管腔内の精子の流れに影響を与えるように構成された移植可能な流れ影響デバイスと、
前記卵管内の前記精子の流れを少なくとも制限するために前記流れ影響デバイスを制御する制御デバイスとから構成される妊娠制御装置であって、
前記流れ影響デバイスは、前記卵管壁面の少なくとも一部を狭さくするように構成された移植可能な狭さくデバイスを備えており、前記制御デバイスは、前記卵管内の前記精子の流れを少なくとも制限する目的で前記卵管壁面部を狭さくするため、前記狭さくデバイスを制御するように動作可能であることを特徴とし、
前記狭さくデバイスは、前記卵管壁面部内の前記精子の流れを制限するために前記卵管壁面部を優しく狭さくするように構成され、前記流れ影響デバイスは、前記卵管壁面部を刺激するように構成された刺激デバイスをさらに備え、前記狭さくデバイスが前記卵管壁面部を狭さくする際、前記卵管内の前記精子の流れをさらに制限する目的で前記制御デバイスは前記卵管壁面部を刺激して、前記卵管壁面部を収縮させために前記刺激デバイスを制御するように動作可能であることを特徴とする、妊娠制御装置。
【請求項２】
前記制御デバイスは、前記狭さくデバイスを制御して前記患者の壁面部の狭さくを調節し、前記制御デバイスは前記狭さくデバイスおよび前記刺激デバイスを互いに独立して制御することを特徴とする請求項１に記載の装置。
【請求項３】
前記制御デバイスは、前記狭さくデバイスを制御して前記患者の壁面部の狭さくを調節し、
前記制御デバイスは、前記刺激デバイスを制御することによって前記壁面部を刺激したり刺激しないようにする一方で、前記狭さくデバイスを制御して前記壁面部の狭さくを調節し、
前記制御デバイスは、前記狭さくデバイスを制御することによって前記卵管内の精子の流れが所望のレベルに制限されるまで前記壁面部の狭さくを調節する一方、前記刺激デバイスを制御することによって前記壁面部を刺激し、前記狭さくデバイスを動作させるように構成される、ことを特徴とする請求項１に記載の装置。
【請求項４】
前記制御デバイスは前記狭さくデバイスを制御し、それによって前記卵管内の前記精子の流れをさらに制限はするが停止しないように前記壁面部の狭さくを調節し、-  前記刺激デバイスを制御し、それによって前記卵管内の前記精子の流れをさらに制限はするが停止しないように前記狭さくされた壁面部を刺激し、前記壁面部を収縮させ、或いは−  前記卵管内の前記精子の流れを止める目的で、前記刺激デバイスを第１のモードで制御し、前記狭さくされた壁面部を刺激し、前記卵管内の精子が流れるようにする目的で、前記刺激デバイスを第２のモードで制御し、前記壁面部の刺激を止める、ことを特徴とする請求項１に記載の装置。
【請求項５】
前記制御デバイスは、前記壁面部の狭さくを調節する目的で前記狭さくデバイスを制御し、それによって前記卵管内の前記精子の流れがほぼ止められ、
前記制御デバイスは、前記狭さくされた壁面部を収縮させる目的で前記壁面部を刺激するように前記刺激デバイスを制御し、それによって前記卵管内の前記精子流れが完全に止められ、
前記制御デバイスは、前記卵管内の前記流れを完全に止める目的で、前記刺激デバイスを第１のモードで制御し、前記狭さくされた壁面部を刺激し、前記卵管内の精子の流れを可能にする目的で、前記刺激デバイスを第２のモードで制御して、前記壁面部の刺激を止め、
或いは、前記第２のモードで前記刺激デバイスを制御して前記壁面部の刺激を止めるとともに、前記卵管内の前記流れを回復させるため、前記狭さくデバイスを制御して前記壁面部を解放する、ことを特徴とする請求項１に記載の装置。
【請求項６】
前記卵管内の前記精子の流れを止める目的で、前記制御デバイスは前記狭さくデバイスを第１のモードで制御し、前記狭さくされた壁面部を狭さくし、前記卵管内の前記精子の流れを回復させる目的で、前記狭さくデバイスを第２のモードで制御し、前記壁面部の狭さくを止めることを特徴とする請求項１に記載の装置。
【請求項７】
前記制御デバイスは、前記狭さくデバイスおよび／または刺激デバイスのスイッチを入れたり切ったりする手動操作可能スイッチを備え、前記スイッチは前記患者への皮下移植を前記患者の身体の外側から手動で操作するように構成されることを特徴とする請求項１乃至６のいずれかに記載の装置。
【請求項８】
前記狭さくデバイスは、前記狭さくされた壁面部内の血液循環が実質的には制限されず、前記卵管内の前記精子の流れが少なくとも制限される狭さく状態に前記患者の卵管壁面部を通常保持するように設計されており、
前記制御デバイスは、前記卵管内の前記精子の流れをさらに制限するが停止することがないよう、第１のモードで前記刺激デバイスを制御して、前記壁面を収縮させるように前記狭さくされた壁面部を刺激し、もしくは、前記卵管内の前記精子の流れを停止する目的で、前記壁面を収縮させるように前記狭さくされた壁面部を刺激し、
前記制御デバイスは、前記卵管内の前記精子の流れを増加させる目的で、前記第２のモードで前記刺激デバイスを制御して、前記壁面部の刺激を止めることを特徴とする請求項１に記載の装置。
【請求項９】
前記制御デバイスは、前記患者の感知された身体パラメータまたは前記装置の機能パラメータに応じて、前記壁面部の刺激の強さを調節するように前記刺激デバイスを制御することを特徴とする請求項１乃至８のいずれかに記載の装置。
【請求項１０】
前記制御デバイスは、前記刺激デバイスを制御して、前記壁面部を収縮させるように前記狭さくされた壁面部を刺激し、それによって前記卵管内の前記精子の流れが止められ、前記制御デバイスは前記刺激デバイスを制御して、前記卵管内の圧力の増加に関連する感知されたパラメータに応じて前記刺激の強さを大きくし、それによって前記卵管内の前記精子の流れを止めた状態に保ち、
前記卵管内の前記圧力に関連する前記患者の身体パラメータを感知するセンサをさらに備え、前記制御デバイスは前記センサからの信号に応じて前記刺激デバイスを制御し、前記身体パラメータは前記患者の身体内の圧力に関連し、前記センサは圧力関連センサである、ことを特徴とする請求項１に記載の装置。
【請求項１１】
前記制御デバイスは前記刺激デバイスを制御して、前記壁面部の異なる領域を間欠的におよび個別に刺激し、それによって前記領域の少なくとも２つの領域は異なる時点で刺激され、
前記制御デバイスは、前記刺激デバイスを制御して、−  連続した期間周期の間、前記壁面部の前記異なる領域の各領域を間欠的に刺激する、或いは、−  前記刺激デバイスが前記領域を再び刺激する前に、現在刺激されていない前記壁面部の領域がほぼ通常の血液循環を回復させる時間があるように、前記壁面部の前記領域を間欠的に刺激し、
それぞれの期間周期は、その周期が終わるまでに前記領域内で満足のいく血液循環を維持するのに十分なほど短いことを特徴とする、請求項１乃至１０のいずれかに記載の装置。
【請求項１２】
前記制御デバイスは、前記刺激デバイスを制御して、前記壁面部の異なる領域を連続して同時に刺激する、或いは、両方の異なる領域が一時的に刺激シフト中に同時に刺激されるように、互いの領域に対して刺激を徐々にシフトすることによって、一度に前記壁面部の前記異なる領域を刺激する、ことを特徴とする請求項１乃至１０のいずれかに記載の装置。
【請求項１３】
前記制御デバイスは、前記刺激デバイスを制御して、電気パルスで、前記患者の壁面部の異なる領域を間欠的および個別に電気的に刺激し、前記刺激デバイスは、前記壁面部と係合し、かつ電気パルスで前記壁面部を刺激するための、少なくとも１つの電気素子を備えてることを特徴とする、請求項１乃至１０のいずれかに記載の装置。
【請求項１４】
前記パルスはパルス列を形成し、前記制御デバイスは、前記刺激デバイスを制御して、各パルス列の個別のパルス間のオフ期間と、前記パルス列間のオフ期間と、前記パルス列の各パルスの幅と、各パルス列の長さと、前記パルス列の前記パルスのパルス振幅と、前記パルス列の前記パルスの周波数と、前記パルス列の周波数と、各パルス列のパルスの数から構成されるパルス・パラメータのうち少なくとも１つを変更し、
前記壁面部の前記領域の少なくとも第１の領域および第２の領域は、それぞれ前記パルス列の第１のパルス列および前記パルス列の第２のパルス列で繰り返し刺激され、それによって前記第１および第２のパルス列は徐々に互いに対してシフトされ、
前記第１の領域は前記第１のパルス列で刺激される間、前記第２の領域は前記第２のパルス列で刺激されず、逆に前記第２の領域が前記第２のパルス列で刺激される間、前記第１の領域は前記第１のパルス列に刺激されず、或いは、前記第１および第２のパルス列は互いに対してシフトされ、それによって前記第１および第２のパルス列は、少なくとも部分的に互いに重なり合う、ことを特徴とする請求項１３に記載の装置。
【請求項１５】
前記壁面部は筋繊維を含んでおり、前記刺激デバイスは前記筋繊維を含む前記壁面部を前記電気パルスで刺激して、前記筋繊維を収縮させて前記壁面部を収縮させることを特徴とする請求項１３または１４に記載の装置。
【請求項１６】
前記刺激デバイスは複数の電気素子、および固定配向に前記電気素子を保持する構造を備えており、前記構造は前記狭さくデバイス内に一体化され、或いは、前記狭さくデバイスとは別になっており、
前記電気素子は細長いパターンの電気素子を形成し、前記構造は前記患者の卵管壁面部上に適用可能であり、それによって前記細長いパターンの電気素子は、実質的に前記卵管内の前記精子の流れの方向に前記壁面部に沿って延び、前記素子は前記壁面部のそれぞれの領域に当接する、ことを特徴とする請求項１３乃至１５のいずれかに記載の装置。
【請求項１７】
前記刺激デバイスは複数の電気素子を備えており、前記制御デバイスは前記電気素子を電気的に付勢し、電気パルスで各素子を循環的に付勢するように、前記刺激デバイスを制御し、前記制御デバイスは前記電気素子を付勢するように前記刺激デバイスを制御し、それによって多数のまたはグループの前記電気素子が同時に付勢され、或いは、前記電気素子が１回に１つずつ順に付勢され、また或いは、グループの前記電気素子が、ランダムに、または所定のパターンのいずれかで連続して付勢される、ことを特徴とする請求項１３乃至１５のいずれかに記載の装置。
【請求項１８】
前記刺激デバイスは複数の電気素子を備え、前記電気素子は細長いパターンの電気素子を形成し、前記電気素子は前記患者の卵管壁面上に適用可能であり、それによって前記細長いパターンの電気素子は、実質的に前記卵管内の前記流れの方向に前記卵管の前記壁面に沿って延び、前記電気素子は前記壁面部のそれぞれの領域に当接し、
前記制御デバイスは前記刺激デバイスを制御して、-  前記電気素子を前記細長いパターンの電気素子に沿って長手方向に連続して付勢する、或いは、-  前記刺激デバイスが前記患者の卵管上で利用される場合、前記卵管内の前記流れと反対の方向、または同じ方向に前記細長いパターンの電気素子に沿って前記電気素子を連続して付勢する、或いは、-  前記刺激デバイスが前記患者の卵管上で利用される場合、前記細長いパターンの電気素子の両端部に向かって前記狭さくされた壁面部のほぼ中心の位置から前記電気素子を連続的に付勢する、ことを特徴とする請求項１３乃至１５のいずれかに記載の装置。
【請求項１９】
前記刺激デバイスは複数の電気素子を備えており、前記制御デバイスは前記電気素子を付勢するように前記刺激デバイスを制御し、それによって現在付勢されている前記電気素子は少なくとも１つのグループの隣接する付勢電気素子を形成し、付勢された電気素子の前記グループの素子は付勢された電気素子の経路を形成し、前記刺激デバイスが前記卵管上で利用される場合、付勢された電気素子の前記経路は前記患者の卵管に沿って、或いは前記患者の卵管周りに少なくとも部分的にまたは完全に、延びることを特徴とする請求項１３乃至１５のいずれかに記載の装置。
【請求項２０】
前記刺激デバイスは複数の電気素子を備え、前記電気素子は複数のグループの素子を形成し、前記刺激デバイスが前記卵管上で利用される場合、前記グループは前記患者の卵管内の前記精子の流れ方向に前記患者の卵管に沿って延びる一連のグループを形成し、電気素子の各グループの前記電気素子は、前記患者の卵管に沿って延びる、或いは、前記患者の卵管の周りに少なくとも部分的にまたは完全に延びる、素子の経路を形成し、
前記制御デバイスは前記刺激デバイスを制御して、-  前記刺激デバイスが前記患者の卵管上で利用される場合、前記卵管内の前記精子の流れと反対の方向、または同じ方向に前記グループの電気素子を前記一連のグループで連続して付勢する、或いは、
前記刺激デバイスが前記患者の卵管上で利用される場合、前記狭さくされた壁面部のほぼ中心の位置から前記卵管内の前記流れと反対の方向および同じ方向に、前記電気素子の複数のグループを前記一連のグループで連続的に付勢する、ことを特徴とする請求項１３乃至１５のいずれかに記載の装置。
【請求項２１】
前記刺激デバイスは、前記壁面部が狭さくおよび収縮されている場合、前記壁面部を収縮させるために前記狭さくされた壁面部を冷却、或いは、前記壁面部を膨張させために前記壁面部を加熱することのいずれかによって、前記壁面部を熱刺激し、前記狭さくデバイスは前記卵管内の前記精子の流れを少なくとも制限するように前記壁面部を狭さくするように構成され、前記制御デバイスは前記狭さくされた壁面部を冷却してこれを収縮させるように前記刺激デバイスを制御し、それによって前記卵管内の前記精子の流れは少なくともさらに制限はされるが停止されない、或いは、さらに制限されて停止される、ことを特徴とする請求項１乃至１２のいずれかに記載の装置。
【発明の詳細な説明】
【技術分野】
【０００１】
本発明は、身体器官内の流体および／または他の身体物質の流れを制御することに関し、詳細には、女性患者の卵管内の精子の流れを制御する装置に関する。
【背景技術】
【０００２】
卵管内の精子の運搬に影響を与えるようになっている本発明は、精子が所定の期間に卵子に到達するのを防ぐことによって精子が卵子に到達するのを防ぎ、それによって精子の流れに影響を与えることによって女性が妊娠しないようにするのを助けることができる。精子の寿命は通常、３〜５日間である。さらに、卵子の運搬は卵管内で非常に長い時間が必要であり、それによって卵管の近位部に到達する任意の卵子はたいてい、もはや生存能力がない。本発明はさらに、代替目的では、精子が卵管に到達するのを促進し、卵子の妊娠の可能性を高める。
【０００３】
妊娠促進薬は、凝血および他の重大な合併症を引き起こす可能性がある。より安全で、より永久的であるが、さらに調整可能なデバイスが満たすべき重要な役割を持っている。
【発明の概要】
【発明が解決しようとする課題】
【０００４】
本発明の目的は、女性患者の卵管内の精子の移動を制御する装置を提供することである。
【課題を解決するための手段】
【０００５】
本発明のこの目的によると、女性患者の卵管内の精子の流れを制御する装置であって、卵管を少なくとも部分的に狭さくするために卵管壁の少なくとも一部を優しく狭さくする移植可能な狭さくデバイスと、卵管をさらに狭さくし、これに影響を与えるために卵管の壁面部に刺激を与える刺激デバイスと、狭さくデバイスが卵管壁面部を狭さくするときに、卵管壁面部に刺激を与えて、卵管壁面部を収縮させて、卵管内の精子の流れをさらに狭さくして、これに影響を与えるように刺激デバイスを制御する制御デバイスとを備えた装置が提供される。
【０００６】
本発明は、狭さくおよび刺激デバイスの有利な組合せを提供し、その結果、卵管内の精子に２段階の影響を与える。したがって、狭さくデバイスは、比較的弱い力を壁面部に加えることによって卵管壁面を優しく狭さくすることができ、刺激デバイスは狭さくされた壁面部を刺激して、卵管内の流れへの所望の最終影響を達成することができる。「卵管壁面の一部を優しく狭さくする」という表現は、卵管壁面内の血液循環を実質的に阻むことなく、壁面部を狭さくするものとして理解されたい。
【０００７】
しかし、この装置は狭さくデバイスまたは刺激デバイスのいずれかを備えることが可能である。それによって、本出願に記載された実施形態全ては、３つの変形形態で存在するものであると理解されたい。刺激デバイスのみ、または狭さくデバイスのみ、またはその組合せである。卵管という用語はもちろん、１つまたは好ましくは２つの卵管のいずれかに関連している。デバイスは、２つの異なる方向に精子の流れに影響を与えて、妊娠を促進させるまたは防ぐいずれかのために使用することができ、精子が卵子に到達するのを防ぐことにより、妊娠を防ぐ。
【０００８】
本発明はしたがって、以下の対象物を含んでいる。
【０００９】
女性患者の卵管内の精子の流れを制御する装置であって、卵管内の精子の流れを狭さくし、これに影響を与えるように卵管壁面の壁面部を刺激する刺激デバイスと、卵管壁面部に刺激を与えて、卵管壁面部を収縮させて、卵管内の精子の流れを狭さくし、これに影響を与えるように刺激デバイスを制御する制御デバイスとを備えた装置。
【００１０】
刺激デバイスは、本明細書に記載した実施形態全てで上記に記載した狭さくデバイスと組み合わせることができ、本明細書に記載した刺激デバイスに関連する異なる実施形態全てを使用することができる。
【００１１】
女性患者の卵管内の精子の流れを制御する装置であって、卵管を少なくとも部分的に狭さくするように卵管壁面の少なくとも一部を狭さくする移植可能な狭さくデバイスと、卵管壁面部を狭さくし、卵管内の精子の流れに影響を与えるために、狭さくデバイスを制御して卵管を収縮させる制御デバイスとを備えた装置。
【００１２】
狭さくデバイスは、本明細書に記載した実施形態全てで上に記載した刺激デバイスと組み合わせることができ、本明細書に記載した狭さくデバイスに関連する異なる実施形態全てを使用することができる。
【００１３】
前記狭さくデバイスが、卵管内の流れを少なくとも制限するように壁面部を収縮させるようになっており、前記制御デバイスが狭さくされた壁面部を収縮させるように前記刺激デバイスを制御し、それによって卵管内の流れが少なくともさらに制限される装置。
【００１４】
狭さくデバイスは、狭さくされた壁面部内の血液循環が実質的に制限されず、卵管内の流れが少なくとも制限される狭さく状態に壁面部を狭さくするようになっており、制御デバイスは壁面部を収縮させるように刺激デバイスを制御し、それによって壁面部が狭さくデバイスによって狭さく状態に保持された場合に、卵管内の流れが少なくともさらに制限される装置。
【００１５】
制御デバイスは、狭さくデバイスおよび刺激デバイスを同時に制御する装置。
【００１６】
刺激デバイスは、狭さくデバイスが壁面部を狭さくするときに、壁面部の異なる領域を刺激するようになっており、制御デバイスは、壁面部の領域を間欠的におよび個別に刺激するように刺激デバイスを制御することが好ましい。器官の壁面部の異なる領域のこのような間欠的なおよび個別の刺激により、壁面部の組織が、本発明の装置の動作中のほぼ通常の血液循環を維持することが可能になる。
【００１７】
本発明を使用したほとんどの応用例では、移植された狭さくデバイスの日常的調節がある。したがって、本発明の好ましい実施形態では、狭さくデバイスは、所望のように壁面部の狭さくの調節を可能にするように調節可能であり、制御デバイスは壁面部の狭さくを調節するように狭さくデバイスを制御する。制御デバイスは、狭さくおよび刺激デバイスを互いに独立して、および同時に制御することができる。任意選択では、制御デバイスは、制御デバイスが壁面部の狭さくを変えるように狭さくデバイスを制御しながら、壁面部を刺激する、または刺激しないように刺激デバイスを制御することができる。
【００１８】
最初に、卵管内の精子の流れの所望の制限が得られるまで、壁面部の狭さくを調節するように狭さくデバイスを制御しながら、壁面部を刺激するように刺激デバイスを制御するために制御デバイスを使用することによって、狭さくデバイスをキャリブレーションすることができる。
【００１９】
流れ制限
本発明の装置は、女性患者の卵管内の精子の流れを制限するのによく適している。したがって、本発明の主な実施形態では、狭さくデバイスは、卵管内の流れを少なくとも制限するように壁面部を狭さくするようになっており、制御デバイスは狭さくされた壁面部を収縮させるように刺激デバイスを制御して、それによって卵管内の流れは少なくともさらに制限される。特に、狭さくデバイスは、狭さくされた壁面部内の血液循環が実質的には制限されず、卵管内の流れが少なくとも制限される狭さく状態に壁面部を狭さくするようになっており、制御デバイスは壁面部を狭さくするように刺激デバイスを制御して、それによって壁面部が狭さくデバイスによって狭さく状態に保持されたときに、卵管内の流れが少なくともさらに制限される。
【００２０】
狭さくおよび刺激デバイスは、それぞれ本発明の装置の特定の応用例で達成されることが望ましい流れ制限による範囲まで、狭さくするおよび刺激するように制御させることができる。したがって、第１の流れ制限選択肢によると、制御デバイスは壁面部を狭さくするように狭さくデバイスを制御して、それによって卵管内の流れは制限されるが、止まらず、狭さくされた壁面部を刺激して、これを収縮させるように刺激デバイスを制御し、それによって卵管内の精子の流れはさらに制限されるが、止まらない。より正確には、制御デバイスは、第１のモードで刺激デバイスを制御して、狭さくされた壁面部を刺激し、卵管内の流れをさらに制限するが、止めず、ａ）第２のモードで刺激デバイスを制御して、壁面部の刺激を止め、卵管内の流れを増加させる、またはｂ）第２のモードで刺激および狭さくデバイスを制御して、壁面部の刺激を止め、卵管内の流れを回復させるように壁面部を解放することができる。
【００２１】
第２の流れ制限選択肢によると、制御デバイスは壁面部を狭さくするように狭さくデバイスを制御し、それによって卵管内の流れが制限されるが、止まらず、刺激デバイスを制御して、収縮させるように狭さくされた壁面部を刺激し、それによって卵管内の流れが止められる。より正確には、制御デバイスは第１のモードで刺激デバイスを制御して、狭さくされた壁面部を刺激し、卵管内の流れをさらに制限するが、止めず、ａ）第２のモードで刺激デバイスを制御して、壁面部の刺激を止め、卵管内の流れを可能にする、またはｂ）第２のモードで刺激および狭さくデバイスを制御して、壁面部の刺激を止め、卵管内の流れを回復させるように壁面部を解放することができる。
【００２２】
第３の流れ制限選択肢によると、制御デバイスは壁面部を狭さくするように狭さくデバイスを制御し、それによって卵管内の精子の流れがほぼ止められ、刺激デバイスを制御して、収縮させるように狭さくされた壁面部を刺激し、それによって卵管内の流れが完全に止められる。より正確には、制御デバイスは第１のモードで刺激デバイスを制御して、狭さくされた壁面部を刺激し、卵管内の流れを完全に止め、ａ）第２のモードで刺激デバイスを制御して、壁面部の刺激を止め、卵管内の流れを可能にする、またはｂ）第２のモードで刺激および狭さくデバイスを制御して、壁面部の刺激を止め、卵管内の流れを回復させるように壁面部を解放することができる。
【００２３】
例えば、本発明が妊娠しにくい患者の精子の流れを制御するために使用される場合に、第３の流れ制限選択肢を行うことができる。したがって、制限および刺激デバイスを患者の卵管の任意の部分に移植することができる。制御デバイスは、卵管の一部を優しく平らにするように狭さくデバイスを制御して、精子の流れを少なくともほぼ完全に止めることができ、平らにした部分を刺激するように刺激デバイスを制御して、精子の流れが確実に止められる。制御デバイスは、上に記したように、壁面部の領域を間欠的におよび個別に刺激するように刺激デバイスを制御するので、経時的に移植された狭さくデバイスが卵管を傷つける危険性はかなり低くなるまたはさらにはなくなり、刺激の影響は経時的に確実に維持される。妊娠するための時間が最適である場合、制御デバイスは卵管の部分を解放し、刺激を止めるように狭さくおよび刺激デバイスを制御し、それによって精子は卵管の部分を通過することができる。
【００２４】
刺激デバイスが狭さくされた壁面部を刺激して収縮し、それによって卵管内の精子の流れが止められると、制御デバイスは刺激デバイスを適切に制御して、狭さくされた壁面部の第１の長さ、および第１の長さの下流側にある狭さくされた壁面部の第２の長さを同時および循環的に刺激し、制御デバイスは刺激デバイスを制御して、卵管の上流方向に第１の長さを次第に刺激し、卵管の下流方向に第２の長さを次第に刺激する。
【００２５】
制御デバイスは、刺激デバイスを制御して、患者の感知された身体パラメータまたは装置の機能パラメータに応じて壁面部の刺激を変えることができる。例えば、制御デバイスは、卵管内の感知された圧力上昇に応じて、壁面部の刺激の強さを大きくするように刺激デバイスを制御することができ、それによって卵管内の流れは止められたままである。卵管内の圧力に関連する患者の身体内の圧力などの、患者の身体パラメータを感知する任意のセンサを設けることができ、制御デバイスはセンサからの信号に応じて刺激デバイスを制御する。このようなセンサは例えば、患者の腹部内の圧力、移植された狭さくデバイスに対する圧力、または身体器官の卵管壁面への圧力を感知することができる。
【００２６】
例えば、本発明が患者の精子の流れを制御するために使用される場合に、圧力センサを利用することができる。したがって、狭さくおよび刺激デバイスを患者の卵管に利用することができる。
【００２７】
第４の流れ制限選択肢によると、制御デバイスは壁面部を狭さくするように狭さくデバイスを制御し、それによって卵管内の流れが止められる。より正確には、制御デバイスは狭さくデバイスを制御して、第１のモードでは卵管内の流れを止めるように狭さくされた壁面部を狭さくし、第２のモードでは卵管内の流れを回復させるように壁面部の狭さくを止めることができる。この場合、制御デバイスは必要に応じて壁面部を刺激するように、刺激デバイスを制御するだけである。卵管内の圧力に関連する患者の身体の身体パラメータを感知するセンサを設けることができ、制御デバイスはセンサからの信号に応じて、刺激デバイスを制御する。このような身体パラメータは、患者の腹部内の圧力であってもよく、センサは圧力センサであってもよい。
【００２８】
本発明のいくつかの応用例では、移植された狭さくデバイスを、通常は狭さく状態に患者の卵管の壁面部を保つように設計することができる。この場合、好ましくは刺激強さを調節して、卵管内の流れが少なくともさらに制限されるまたは止められるように、壁面部を収縮させるために、狭さくされた卵管壁面部を刺激するように刺激デバイスを制御し、刺激を止めるように刺激デバイスを制御するために、必要に応じて患者が便利に制御デバイスを使用することができる。より正確には、制御デバイスは、ａ）第１のモードで刺激デバイスを制御して、卵管内の流れをさらに制限するように狭さくされた壁面部を刺激し、第２のモードで刺激デバイスを制御して、卵管内の流れを増加させるように壁面部の刺激を止めることができる、またはｂ）第１のモードで刺激デバイスを制御して、卵管内の流れを止めるように狭さくされた壁面部を刺激し、第２のモードで刺激デバイスを制御して、卵管内の流れを可能にするように壁面部の刺激を止めることができる。
【００２９】
第１のモードまたは第２のモードのいずれかは、一時的であってもよい。
【００３０】
狭さくデバイスは、それぞれ卵管壁面の一連の壁面部のうちの任意の壁面部を狭さくするようになっている複数の別個の狭さく要素を備えることができる。制御デバイスは、ランダムでまたは所定の順番で狭さく要素を始動させるように狭さくデバイスを制御することができる。この場合、刺激デバイスは狭さく要素上に位置決めされた刺激要素を備えており、制御デバイスは器官を収縮させて器官の卵管を閉じるように、刺激要素を始動させて狭さく要素によって狭さくされた一連の壁面部のうちの任意の壁面部を刺激するために刺激デバイスを制御する。
【００３１】
別法では、制御デバイスは、狭さく要素を始動させて一連の壁面部のうちの全ての壁面部を狭さくするために狭さくデバイスを制御し、刺激要素を始動させて、ランダムでまたは所定の順番で任意の狭さくされた壁面部を刺激して器官の卵管を閉じるために、刺激デバイスを制御する。複数の別個の狭さく要素の形の狭さくデバイスの設計により、狭さくデバイスが移植された場合に硬質線維症の成長に対抗することが可能になる。
【００３２】
卵管内の精子の移動
本発明の装置は、以下に挙げた本発明の実施形態に記載したように、患者の卵管内で精子を活動的に移動させるために使用することができる。妊娠を促進するまたは防ぐためのいずれかである。
【００３３】
１）制御デバイスは、壁面部の上流端部または下流端部のいずれかで、卵管を閉じるように狭さくデバイスを制御し、その後、壁面部の残りの部分を狭さくして卵管内で精子を移動させるように狭さくデバイスを制御する。
【００３４】
１ａ）上記実施形態（１）の第１の代替形態によると、制御デバイスは、狭さくデバイスが壁面部の残りの部分を狭さくするときに壁面部を刺激するように、刺激デバイスを制御する。
【００３５】
１ｂ）第２の代替形態によると、狭さくデバイスは、壁面部を狭さくして、卵管内の流れを制限するが、止めないようになっている。制御デバイスは、壁面部の上流端部または下流端部のいずれかで、卵管を閉じるように狭さくデバイスによって狭さくされた壁面部を刺激するように刺激デバイスを制御し、同時に、壁面部の狭さくを大きくして卵管内で精子を移動させるように、狭さくデバイスを制御する。
【００３６】
２）狭さくデバイスは、卵管内の流れを制限するまたは変えるために壁面部を狭さくするようになっており、制御デバイスは、卵管内の下流側または上流側方向に狭さくされた壁面部を次第に刺激するように刺激デバイスを制御して、壁面部を次第に収縮させて、卵管内で精子を移動させる。
【００３７】
３）制御デバイスは、壁面部の異なる領域の狭さくを変えるように狭さくデバイスを制御し、それによって壁面部は卵管の下流側または上流側方向に次第に狭さくされて、卵管内で精子を移動させる。狭さくデバイスは、壁面部に沿って延びる少なくとも１つの細長い狭さく要素を備えることができ、制御デバイスは、卵管の下流側または上流側方向に壁面を次第に狭さくするように細長い狭さく要素を制御する。
【００３８】
３ａ）上記実施形態（３）の好ましい代替形態によると、制御デバイスは、狭さくされた壁面部を次第に刺激して、狭さくデバイスによって行われる壁面部の進行的狭さくと調和して次第に収縮させるように刺激デバイスを制御する。狭さくデバイスが少なくとも１つの細長い狭さく要素を備えている場合、制御デバイスは、卵管の下流側または上流側方向に壁面部を次第に狭さくするように細長い狭さく要素を制御する。適切には、細長い狭さく要素は、狭さくデバイスが壁面部を狭さくする場合に、壁面部の長さと接触するような寸法をしている接触表面を備え、刺激デバイスは接触表面に沿って分配される複数の刺激要素を備えており、それによって刺激要素は、制御デバイスが壁面部を刺激するように刺激デバイスを制御する場合に、壁面部の長さに沿って壁面部の異なる領域を刺激する。
【００３９】
４）狭さくデバイスは、卵管内の流れを少なくとも制限するために、卵管壁面の一連の壁面部のいずれか１つを狭さくするようになっている。制御デバイスは、一連の壁面部のうちの壁面部を連続的に狭さくして、蠕動するように卵管内で精子を移動させるように狭さくデバイスを制御する。
【００４０】
４ａ）実施形態（４）の第１の代替形態によると、狭さくデバイスは、それぞれ卵管壁面の壁面部を狭さくするようになっている複数の狭さく要素を備えている。制御デバイスは、狭さく要素を次々に始動させるように狭さくデバイスを制御し、それによって一連の壁面部のうちの壁面部は器官に沿って連続的に狭さくされ、それにより卵管内の精子が移動される。
【００４１】
４ｂ）実施形態（４）の第２の代替形態によると、狭さくデバイスは、一連の壁面部のうちの壁面部を連続して狭さくするように器官の壁面に沿って移動可能な少なくとも１つの狭さく要素を備えており、制御デバイスは、一連の壁面部のうちの壁面部に沿って狭さく要素を循環的に移動させるように狭さくデバイスを制御する。狭さくデバイスは、複数の狭さく要素を備えており、その要素のそれぞれが一連の壁面部のうちの壁面部を連続的に狭さくするように器官の壁面に沿って移動可能であり、制御デバイスは一連の壁面部のうちの壁面部に沿って次々と狭さく要素を循環的に移動させるように狭さくデバイスを制御するのが好ましい。特に、狭さくデバイスは狭さく要素を担持する回転子を備えており、制御デバイスは回転子を回転するように制御し、それによって各狭さく要素は、一連の壁面部のうちの壁面部を循環的に狭さくする。各狭さく要素は適切には、後者を狭さくするように、器官の壁面上で転動するローラを備えている。
【００４２】
４ｃ）上記実施形態（４）の好ましい代替形態によると、刺激デバイスは、卵管を閉じるように、狭さくデバイスによって狭さくされた一連の壁面部のうちの壁面部のいずれかを刺激する。狭さくデバイスが少なくとも１つの狭さく要素を備えている場合、刺激デバイスは適切には、卵管を閉じるように狭さく要素によって狭さくされた壁面部を刺激するように狭さく要素上に位置決めされた少なくとも１つの刺激要素を備えている。
【００４３】
狭さくデバイスが複数の狭さく要素を備えている場合、刺激デバイスは適切には、卵管を閉じるように狭さく要素によって狭さくされた壁面部を刺激するように狭さく要素上に位置決めされた刺激要素を備えている。
【００４４】
５）狭さくデバイスは、卵管内の流れを制限するために卵管壁面の一連の壁面部のうちのいずれか１つを狭さくするようになっており、狭さくデバイスはそれぞれ、卵管壁面の壁面部を狭さくするようになっている複数の狭さく要素を備えており、刺激デバイスは、卵管を閉じるように狭さく要素によって狭さくされた壁面部を刺激するように狭さく要素上に位置決めされた刺激要素を備えている。制御デバイスは、器官の卵管を完全に閉じることなく、一連の壁面部のうちの壁面部を狭さくするために狭さく要素を始動させるように狭さくデバイスを制御し、刺激要素を始動させて壁面部を次々と刺激するように刺激デバイスを制御し、それによって一連の壁面部のうちの壁面部は卵管内で精子を移動させるように器官に沿って連続的に収縮される。
【００４５】
６）狭さくデバイスは、上流端部で壁面部を狭さくする第１の狭さく要素と、下流端部で壁面部を狭さくする第２の狭さく要素と、上流端部と下流端部の間で壁面部を狭さくする第３の狭さく要素とを備えている。制御デバイスは、それぞれ独立して、壁面部を狭さくし、解放するように第１、第２および第３の狭さく要素を制御する。特に、制御デバイスは、卵管を閉じるように上流または下流端部で壁面部を狭さくするように第１または第２の狭さく要素を制御し、上流端部と下流端部の間で壁面部を狭さくするように第３の狭さく要素を制御し、それにより上流端部と下流端部の間で壁面部内に含まれる精子は、卵管内で下流側または上流側に移動される。任意選択では、制御デバイスは、第３の狭さく要素が壁面部を狭さくする場合に、上流端部と下流端部の間で壁面部を刺激するように刺激デバイスを制御する。
【００４６】
６ａ）第１の代替形態によると、制御デバイスは、卵管内の流れを制限するように上流端部で壁面部を狭さくするように第１の狭さく要素を制御し、上流端部で狭さくされた壁面部を刺激して卵管を閉じるように刺激デバイスを制御する。卵管が、狭さくされた壁面部の上流端部で閉じられた状態で、制御デバイスは、上流端部と下流端部の間で壁面部を狭さくするように第３の狭さく要素を制御し、任意選択では、後者が第３の狭さく要素によって狭さくされたときに、壁面部を同時に刺激するように刺激デバイスを制御する。その結果、上流端部と下流端部の間で壁面部内に含まれた精子は、卵管内で下流側に移動される。
【００４７】
６ｂ）第２の代替形態によると、制御デバイスは、下流端部で壁面部を狭さくして卵管内の流れを制限するように第２の狭さく要素を制御し、下流端部で狭さくされた壁面部を刺激して卵管を閉じるように刺激デバイスを制御する。卵管が、狭さくされた壁面部の下流端部で閉じられた状態で、制御デバイスは、上流端部と下流端部の間で壁面部を狭さくするように第３の狭さく要素を制御し、任意選択では、後者が第３の狭さく要素によって狭さくされたときに、壁面部を同時に刺激するように刺激デバイスを制御する。その結果、上流端部と下流端部の間で壁面部内に含まれた精子は、卵管内で上流側に移動される。
【００４８】
上記実施形態（１）から（６ｂ）のいずれにおいても、刺激デバイスは、電気パルスで壁面部を刺激することができる。
【００４９】
卵管の管状形状では、その特に長い壁面部を、隣接する壁面が２つの平行な列の縫い目によって互いに縫い合わされ、隣接する壁面が２列の縫い目の間で切り取られた状態で、ジグザグに延びるように外科的に準備することができる。その結果、器官のこのように長い壁面部の卵管はかなり拡張させることができる。この場合、本発明の装置の狭さくデバイスは、器官の長い壁面部を狭さくする毎に、かなり大量の流体を移動させることが可能である。
【００５０】
ヘッドラインで上に記載した様々な解決法がある：器官の卵管内の流れを止めるための「流れ制限」はまた、上記実施形態（１ａ）、（１ｂ）、（４ａ）、（５）、（６）、（６ａ）および（６ｂ）のいずれでも使用することができる。
【００５１】
いくつかの好ましい実施形態を要約するためには、以下を参照されたい。
【００５２】
１つの目的によると、それぞれ器官の組織壁面の一連の壁面部のうちの任意の壁面部がある。代替形態によると、一連の壁面部のうちの壁面部は、ランダムにまたは所定の順序で狭さくされる。代替形態によると、一連の壁面部のうちの壁面部は、患者の器官の内腔内で精子を移動させる、または流体および／または他の身体物体が患者の器官の内腔内で移動するのを防ぐように、器官に沿って連続的に狭さくされる。
【００５３】
代替形態によると、ステップ（ｂ）は、一連の壁面部のうちの任意の狭さくされた壁面部を刺激することによって行われる。代替形態によると、一連の壁面部のうちの壁面部は、ランダムでまたは所定の順序で狭さくされる。代替形態によると、一連の壁面部のうちの壁面部は、患者の器官の内腔内で流体および／または他の身体物体を移動させる、または流体および／または他の身体物体が患者の器官の内腔内で移動するのを防ぐように、器官に沿って連続的に狭さくされる。
【００５４】
代替形態によると、ステップ（ａ）は、それぞれ器官の組織壁面の一連の壁面部のうちの任意の壁面部を狭さくすることによって行われ、一連の壁面部のうちの壁面部は、器官の内腔を完全に閉じることなく連続的に狭さくされ、ステップ（ｂ）は、狭さくされた壁面部を刺激することによって行われ、それによって一連の壁面部のうちの壁面部がさらに狭さくされる。代替形態によると、一連の壁面部のうちの壁面部は、ランダムで、または所定の順序で狭さくされる。
【００５５】
代替形態によると、一連の壁面部のうちの壁面部は、患者の器官の内腔内で流体および／または他の身体物体を移動させる、または流体および／または他の身体物体が患者の器官の内腔内で移動するのを防ぐように、器官に沿って連続的に狭さくされる。
【００５６】
代替形態によると、ステップ（ａ）は、一連の壁面部のうちの全ての壁面部を狭さくすることによって行われ、ステップ（ｂ）は任意の狭さくされた壁面部を刺激することによって行われ、それによって一連の壁面部のうちの壁面部はさらに狭さくされる。
【００５７】
代替形態によると、一連の壁面部のうちの壁面部は、ランダムにまたは所定の順序で刺激デバイスによってさらに狭さくされる。
【００５８】
代替形態によると、一連の壁面部のうちの壁面部は、患者の器官の内腔内で流体および／または他の身体物体を移動させる、または流体および／または他の身体物体が患者の器官の内腔内を移動するのを防ぐように、器官に沿って刺激デバイスによって連続的にさらに狭さくされる。
【００５９】
全ての適用可能な代替形態に対する代替形態によると、ステップ（ａ）およびステップ（ｂ）は互いに独立して行われ、代替形態によると、ステップ（ａ）およびステップ（ｂ）は同時に行われる。
【００６０】
刺激
神経または筋肉組織を刺激する場合、刺激が適切に行われない場合には、経時的に組織を傷つけるまたは損なう危険性がある。本発明の装置は、この危険性を低くするまたはさらにはなくすように設計されている。したがって、本発明によると、制御デバイスは、卵管の壁面部の異なる領域を間欠的に刺激するように刺激デバイスを制御し、それによってこれらの領域のうちの少なくとも２つは、異なる時点で刺激される、すなわち刺激は経時的に１つの領域から別の領域に移動される。加えて、制御デバイスは刺激デバイスを制御し、それによって現在刺激されていない異なる領域のうちのある領域が刺激デバイスがその領域を再び刺激する前に、ほぼ通常の血液循環を回復させる時間がある。さらに、制御デバイスは、連続した期間の間、各領域を刺激するように刺激デバイスを制御し、各期間は期間の経過まで、領域内で満足のいく血液循環を維持するのに十分なほど短い。これにより、本発明の装置が器官を傷つけるという危険性なく、卵管の自然な物理的性状を経時的に基本的に維持しながら、所望の流れ制御を達成するように、卵管の壁面部の連続刺激を可能にするという利点が生じる。
【００６１】
また、上に記載したように、経時的に器官上の刺激の位置を物理的に変更することによって、所望の流れ制御を達成するために、卵管上の有利な変更刺激パターンを作り出すことが可能である。
【００６２】
制御デバイスは、例えば、異なる領域を連続して刺激することによって、ある時点で壁面部の領域の１つまたは複数を刺激するように刺激デバイスを制御することができる。さらに、制御デバイスは、好ましくは所定の刺激パターンにより、壁面部に沿って領域の刺激を循環的に伝播させるように刺激デバイスを制御することができる。刺激中に卵管壁面の所望の反応を達成するために、制御デバイスは、壁面部の刺激の強さを好ましくは循環的に変更するように、刺激デバイスを制御することができる。
【００６３】
本発明の好ましい一実施形態では、制御デバイスは、パルス列を形成することが好ましいパルスで壁面部の領域を間欠的に刺激するように、刺激デバイスを制御する。壁面部の領域のうちの少なくとも第１の領域および第２の領域を、それぞれ第１のパルス列および第２のパルス列で繰り返し刺激することができ、それによって第１および第２のパルス列は経時的に互いに対して移動させられる。例えば、第１の領域を第１のパルス列で刺激することができ、第２の領域は第２のパルス列で刺激されず、またその逆も同様である。別法では、第１および第２のパルス列を互いに対して移動させることができ、それによって第１および第２のパルス列は互いに少なくとも部分的に重なり合う。
【００６４】
パルス列を、多くの異なる方法で構成することができる。したがって、制御デバイスは、パルス列のパルスの振幅、各パルス列の個別のパルスのデューティ・サイクル、パルス列の各パルスの幅、各パルス列の長さ、パルス列のパルスの繰り返し周波数、パルス列の繰り返し周波数、各パルス列のパルスの数、および／またはパルス列間のオフ期間を変更するように、刺激デバイスを制御することができる。異なる構成のいくつかのパルス列を利用して、所望の効果を達成することができる。
【００６５】
制御デバイスが、壁面部のそれぞれの領域を刺激するパルス列間のオフ期間を変更するように刺激デバイスを制御する場合、後者がオフ期間中に刺激されない場合に、領域内にほぼ通常の血液循環を回復させるのに十分長く続くように、パルス列間の各オフ期間を制御することも可能である。
【００６６】
電気刺激
本発明の好ましい実施形態によると、刺激デバイスは、好ましくは電気パルスで、患者の身体器官の卵管壁面部を電気的に刺激する電動刺激デバイスである。本実施形態は、壁面部が電気刺激に反応する筋繊維を含む応用例に特に適切である。本実施形態では、制御デバイスは、壁面部が狭さく状態にある場合に、好ましくは電気パルス列の形の電気パルスで壁面部を刺激して、壁面部を収縮させるように、刺激デバイスを制御する。もちろん、電気パルス列の構成は、上記パルス列と同様であってもよく、制御デバイスは、上に記載したのと同じ方法で、卵管の壁面の異なる領域を電気刺激するように刺激デバイスを制御することができる。
【００６７】
電気刺激デバイスは適切には、壁面部と係合し、電気パルスでこれを刺激するための、電極などの、少なくとも１つの、好ましくは複数の電気素子を備えている。任意選択では、電気素子を、互いに対して固定した方向に配置することができる。制御デバイスは、電気素子を、一度に１つ、または一度にグループの電気素子を電気的に付勢するように、電気刺激デバイスを制御する。制御デバイスは、電気パルスで各素子を循環的に付勢するように、電気刺激デバイスを制御するのが好ましい。任意選択では、制御デバイスは、電気素子を付勢するように刺激デバイスを制御することができ、それによって電気素子は順に一度に１つ付勢される、またはいくつかのまたはグループの電気素子は同時に付勢される。また、グループの電気素子を、ランダムに、または所定のパターンでのいずれかで、連続して付勢することができる。
【００６８】
電気素子は、任意のパターンの電気素子を形成することができる。電気素子は、細長いパターンの電気素子を形成することが好ましく、電気素子は患者の卵管の壁面上で利用可能であり、それによって細長いパターンの電気素子は卵管の壁面に沿って長手方向に延び、素子は壁面部のそれぞれの領域に当接する。細長いパターンの電気素子は、卵管の壁面に沿って長手方向に延びる１列または複数列の電気素子を含むことができる。各列の電気素子は、電気素子の直線状、螺旋状またはジグザグ状経路、または任意の形の経路を形成することができる。制御デバイスは、患者の卵管内の流れと反対の方向、または同じ方向に細長いパターンの電気素子に沿って長手方向に電気素子を連続して付勢するように、刺激デバイスを制御することができる。
【００６９】
任意選択では、制御デバイスは、細長いパターンの電気素子の両端部に向かって狭さくされた壁面部のほぼ中心の位置から電気素子を連続的に付勢するように、刺激デバイスを制御することができる。卵管を比較的長時間にわたって閉じたままにする場合、制御デバイスは電気素子を付勢するように刺激デバイスを制御することができ、それによって付勢された電気素子は、細長いパターンの電気素子の両端部に向かって反対の２方向に狭さくされた壁面部の中心から同時に前進する付勢された電気素子の２つの波動を形成する。卵管を損ねることなく、また卵管内で任意の方向に流体または気体を移動させることなく、付勢された電気素子のこのような波動を何度も繰り返すことができる。
【００７０】
制御デバイスは、電気素子を付勢するように刺激デバイスを適切に制御し、それによって現在付勢されている電気素子は、少なくとも１つのグループの隣接する付勢電気素子を形成する。第１の代替形態によると、付勢された電気素子のグループの素子は、付勢された電気素子の１つの経路を形成する。付勢された電気素子の経路は、患者の卵管の周りに少なくとも部分的に延びることができる。第２の代替形態では、付勢された電気素子のグループの素子は、好ましくは卵管内の流れ方向に対してほぼ横に、患者の卵管の相互側に延びる付勢された電気素子の２つの経路を形成することができる。第３の代替形態では、付勢された電気素子のグループの素子は、付勢された電気素子のグループの素子は、好ましくは患者の卵管内の流れ方向に対してほぼ横に、患者の卵管の異なる側に延びる付勢された電気素子の３つ以上の経路を形成することができる。
【００７１】
本発明の好ましい実施形態によると、電気素子は複数のグループの素子を形成し、グループは、患者の卵管内の流れ方向に患者の器官に沿って延びる一連のグループを形成する。各グループの電気素子の電気素子は、患者の卵管の周りに少なくとも部分的に延びる素子の経路を形成することができる。第１の代替形態では、各グループの電気素子の電気素子は、好ましくは患者の卵管内の流れ方向に対してほぼ横に、患者の卵管の異なる側に延びる素子の３つ以上の経路を形成することができる。制御デバイスは、ランダムに、または所定のパターンで一連のグループで電気素子のグループを付勢するように、刺激デバイスを制御することができる。別法では、制御デバイスは、患者の卵管内の流れと反対の方向、または同じ方向に、または狭さくされた壁面部のほぼ中心の位置から始まる両方の方向に、一連のグループで電気素子のグループを連続的に付勢するように、刺激デバイスを制御することができる。例えば、付勢された電気素子のグループは、上に記載したように、付勢された電気素子の前進する波動を形成することができる。すなわち、制御デバイスは電気素子のグループを付勢するように刺激デバイスを制御することができ、それによって付勢された電気素子は、細長いパターンの電気素子の両端部に向かって反対の２方向に狭さくされた壁面部の中心から同時に前進する付勢された電気素子の２つの波動を形成する。
【００７２】
固定配向に電気素子を保持する構造を提供することができる。構造は狭さくデバイスを別にすることができるが、構造は狭さくデバイス内に一体化されていることが好ましく、これが実用的な設計であり、これにより狭さくおよび刺激デバイスの移植が容易になる。電気素子が細長いパターンの電気素子を形成する場合、構造を患者の卵管上に適用可能であり、それによって細長いパターンの電気素子は、患者の卵管内の流れと同じ方向に卵管に沿って延び、素子は卵管の壁面部のそれぞれの領域に当接する。
【００７３】
熱刺激
本発明の別の実施形態では、刺激デバイスは、卵管の壁面部を熱刺激する。したがって、制御デバイスは、壁面部が狭さくされた場合に、壁面部を冷却して、壁面部を収縮させるように、刺激デバイスを制御することができる。例えば、狭さくデバイスは、卵管内の流れを少なくとも制限するように壁面部を狭さくすることができ、制御デバイスは、狭さくされた壁面部を冷却して収縮させるように、刺激デバイスを制御することができ、それによって卵管内の流れは少なくともさらに制限される、またはさらに制限されるが止められない、または止められる。別法では、制御デバイスは、壁面部が狭さくされ収縮された場合に、壁面部を加熱して、壁面部を拡張させるように、刺激デバイスを制御することができる。壁面部が血管を含んでいる場合、制御デバイスは血管を冷却してこれを収縮させるように、または血管を加熱してこれを拡張させるように、刺激デバイスを制御することができる。適用可能である場合、熱刺激は本発明の実施形態のいずれでも実施することができ、熱刺激を、様々なセンサ、例えば歪み、運動または圧力センサに応じて制御することができる。
【００７４】
センサ制御狭さくおよび／または刺激デバイス
上に記載したように、装置は少なくとも１つの移植可能センサを備えることができ、制御デバイスは、センサからの信号に応じて、狭さくデバイスおよび／または刺激デバイスを制御する。普通、センサは、患者の少なくとも１つの身体パラメータ、または装置の少なくとも１つの機能パラメータ、または患者内の医療用インプラントの少なくとも１つの機能パラメータを直接または間接的に感知する。
【００７５】
身体パラメータを感知するための多くの異なる種類のセンサを使用することができる。例えば、卵管運動、すなわち自然収縮、卵管収縮を感知する運動センサ、器官内の圧力を感知する圧力センサ、卵管の歪みを感知する歪みセンサ、器官の卵管内の流体流れを感知する流れセンサ、分光光度分析センサ、卵管内の流体の酸性度またはアルカリ性度を感知するＰｈセンサ、卵管内の流体の酸素含有量を感知する酸素センサ、または刺激された卵管上の刺激の分布を感知するセンサを使用することができる。任意の他の種類の有用な身体パラメータを感知するための任意の考えられるセンサを使用することができる。
【００７６】
狭さくデバイスおよび／または刺激デバイスの制御のために、装置の機能パラメータを感知する多くの異なる種類のセンサを使用することもできる。例えば、装置の移植された電気構成部品の電気パラメータを感知するセンサ、または装置の移植されたモータの性能を感知するセンサを使用することもできる。
【００７７】
センサは、患者の卵管内の圧力に関連する患者の身体内の圧力を身体パラメータとして感知する圧力センサを備えることができ、制御デバイスは、所定の値の測定圧力を感知する圧力センサに応じて、患者の壁面部の狭さくを変更するように、狭さくデバイスおよび／または刺激デバイスを制御する。
【００７８】
別法では、または圧力センサと組み合わせて、水平に対して患者の配向を身体パラメータとして感知する位置センサを提供することができる。位置センサは、本明細書に参照によりここに組み込む米国特許第４９４２６６８号および第５９００９０９号に示された生体適合性のものであってもよい。例えば、制御デバイスは、患者がほぼ水平な配向を呈している、すなわち患者が横になっていることを感知する位置センサに応じて、患者の卵管壁面部の狭さくを変更するように、狭さくデバイスおよび／または刺激デバイスを制御することができる。
【００７９】
適用可能な場合、本発明の実施形態のいずれでも上記センサを使用することができる。
【００８０】
制御デバイスは、時刻に応じて、患者の壁面部の狭さくを変更するように、狭さくデバイスおよび／または刺激デバイスを制御することができる。その目的で、制御デバイスは、患者の壁面部の狭さくを変更して、一日の異なる期間中に卵管内の流れへの影響を増減するように、狭さくデバイスおよび／または刺激デバイスを制御するクロック機構を備えることができる。身体または機能パラメータを感知する上記タイプの任意のセンサが提供される場合、センサによって感知されたパラメータがクロック機構を乗り越えない条件で、狭さくデバイスおよび／または刺激デバイスを制御するためにクロック機構が使用される、またはクロック機構がセンサを乗り越えない条件で、狭さくデバイスおよび／または刺激デバイスを制御するためにセンサ機構が使用されるいずれかである。適切には、制御デバイスは、センサからの信号に応じて、音声信号または表示情報などの指示を作り出す。
【００８１】
制御デバイスは、センサからの信号に応じて、狭さくデバイスおよび／または刺激デバイスを直接制御する、移植可能な内部制御ユニットを備えることができる。制御デバイスはさらに、患者を機械的に穿刺することなく、患者の外側から内部制御ユニットの制御パラメータを設定するようになっている無線リモート・コントロールを備えることができる。無線リモート・コントロールによって設定可能である、制御パラメータの少なくとも１つは、身体または機能パラメータである。適切には、内部制御ユニットは上記クロック機構を備えており、無線リモート・コントロールはまた、クロック機構を設定するようになっている。
【００８２】
別法では、制御デバイスは、センサからの信号に応じて、狭さくデバイスおよび／または刺激デバイスを制御するように、患者の身体の外側に外部制御ユニットを備えることができる。
【００８３】
調節可能な狭さくデバイス
本発明のいくつかの代替実施形態では、狭さくデバイスは調節可能である。これらの実施形態では、患者の卵管壁面部の狭さくを変更するように調節可能な狭さくデバイスを操作する操作デバイスがあり、狭さくおよび刺激デバイスは、狭さく／刺激ユニットを形成する。狭さく／刺激ユニットの狭さくおよび刺激デバイスは、移植に適切な単一片に一体化させられることが好ましい。ユニットの狭さくデバイスは、卵管壁面部の長さに接触するような寸法をしている接触表面を含んでおり、ユニットの刺激デバイスは、接触表面上に設けられ、これに沿って分配された複数の刺激要素を備えている。制御デバイスが、壁面部を刺激するように刺激デバイスを制御する場合、刺激要素は壁面部の長さに沿って壁面部の異なる領域を刺激する。刺激要素は、上に記載したように、電気パルスで壁面部を刺激するための電気素子を備えていることが好ましい。しかし、本発明のほとんどの応用例では、熱刺激などの他の種類の刺激が利用するのに適切である可能性がある。
【００８４】
操作デバイスは、以下の例の実施形態によって説明するように、狭さくデバイスの設計による方法で、狭さく／刺激ユニットの調節可能な狭さくデバイスを操作する。１）狭さくデバイスは、接触表面を有し、器官の異なる側に壁面部に沿って延びる少なくとも２つの細長いクランプ要素を備え、操作デバイスは、壁面部を狭さくするために、クランプ要素の間で卵管壁面部をクランプするようにクランプ要素を操作する。
【００８５】
２）狭さくデバイスは、接触表面を有し、卵管の一方側に壁面部に沿って延びる１つの細長いクランプ要素を備え、操作デバイスは、壁面部を狭さくするために、クランプ要素と患者の骨または組織の間で壁面部をクランプするように、クランプ要素を操作する。
【００８６】
３）狭さくデバイスは、接触表面を有し、卵管の異なる側に位置決めされた少なくとも２つの係合要素を備えており、操作デバイスは係合要素を回転させ、それによって係合要素は卵管の壁面部と係合し、これを狭さくする。
【００８７】
４）狭さくデバイスは、接触表面を有し、卵管の異なる側に位置決めされた少なくとも２つの連節されたクランプ要素を備えており、操作デバイスは、壁面部を狭さくするために、クランプ要素の間で卵管の壁面部をクランプするように、クランプ要素を互いに向かって移動させる。
【００８８】
５）狭さくデバイスは、接触表面を有する少なくとも２つの別個のクランプ要素を備えており、クランプ要素の少なくとも１つは旋回され、それによって次に、狭さく部材のループが延びる平面に旋回することができ、操作デバイスは、狭さく開口部の寸法を変更するように旋回されたクランプ要素を旋回させる。
【００８９】
６）狭さくデバイスは、接触表面を有する少なくとも１つの細長い狭さく部材と、卵管周りで少なくともほぼ閉じられたループ内に狭さく部材を形成する形成手段とを備えており、ループは狭さく開口部を画定する。操作デバイスは、狭さく開口部の寸法を変更するように、ループ内で狭さく部材を操作する。
【００９０】
６ａ）細長い狭さく部材は、接触表面を有するベルトを備え、操作デバイスは、ループ内のベルトの長手方向延長部を変更して、狭さく開口部の寸法を変更するようにベルトを操作する。形成手段は、少なくとも１つの所定の寸法を有するループ内に狭さく部材またはベルトを形成することができる。
【００９１】
６ｂ）細長い狭さく部材は、狭さく開口部の寸法を変更するように操作可能であり、それによって狭さくデバイスの外周面制限表面が変更される、または別法では変更されない。
【００９２】
６ｃ）細長い狭さく部材は弾性があり、そこを通る断面に見えるように厚さが変わり、狭さく部材の長手方向延長部の周りで旋回するように操作可能である。
【００９３】
６ｄ）細長い狭さく部材は、接触表面を有し、互いにヒンジ付けされた２つのほぼまたは部分的に半円形のフレーム要素を備えており、それによって半円形要素は、実質的にまたは部分的に円を形成する全開状態から実質的に半円を形成する完全折り畳み状態に互いに対して揺動可能である。
【００９４】
７）狭さくデバイスは、卵管の壁面部を屈曲させて、後者を狭さくするようになっている。
【００９５】
上記実施形態（１）から（７）では、狭さくデバイスは、患者の卵管の卵管壁面部の長さを狭さくするように設計されていることが重要である。この目的で、狭さくデバイスは、壁面部の長さに沿って一列に加えられる記載の狭さく要素／部材の２つ以上を備えることができ、列は卵管の卵管内の流れの方向に延びている。このような狭さく要素／部材は、膨張不能であり、機械的に操作可能または調節可能であることが好ましい。
【００９６】
上記実施形態（１）から（７）では、操作デバイスは、狭さく／刺激ユニットの狭さくデバイスを機械的または油圧的のいずれかで調節することができる。また、操作デバイスは、狭さくデバイスを操作する電動操作デバイスを備えることができる。本発明の多くの応用例では、操作デバイスは、狭さくデバイスを適切に操作し、それによって卵管の貫流領域は、卵管内の流れが止められるように刺激デバイスが壁面部を収縮させることを可能にする狭さく状態の寸法を呈する。
【００９７】
機械的操作
操作デバイスが狭さく／刺激ユニットの狭さくデバイスを機械的に操作する場合、これは膨張不能であってもよい。さらに、操作デバイスは、ギアボックスを備えることができるサーボ・システムを備えることができる。「サーボ・システム」という用語は、サーボ機構の通常の定義、すなわち極めて少量の電力により大量の電力を制御する自動デバイスを含んでいるが、別法ではまたは加えて、長いストロークを有する移動要素に作用する弱い力を短いストロークを有する別の移動要素に作用する強い力に変換する機構の定義を含むこともできる。操作デバイスは、非磁気および／または非手動方法で狭さくデバイスを操作することが好ましい。モータは、操作デバイスに動作可能に接続させることができる。操作デバイスは、少なくとも１つの可逆機能を行うように操作可能であってもよく、モータは機能を逆転させることが可能であってもよい。
【００９８】
油圧操作
操作デバイスが、狭さく／刺激ユニットの狭さくデバイスを油圧的に操作する場合、狭さくデバイスを調節する油圧手段を備えている。
【００９９】
本発明の一実施形態では、油圧手段は、狭さくデバイス内にリザーバおよび拡張可能／収縮可能キャビティを備えており、操作デバイスはキャビティを拡張させるようにリザーバから油圧流体を分配し、キャビティを収縮させるようにキャビティからリザーバまで油圧流体を分配する。患者の卵管の卵管壁面部に当接する狭さくデバイスのバルーンによってキャビティを画定することができ、それによって患者の壁面部は、キャビティの拡張の際に狭さくされ、キャビティの収縮の際に解放される。
【０１００】
別法では、狭さくデバイスの比較的大きい収縮要素、例えば壁面部に当接する大きなバルーンを変位させる蛇腹によってキャビティを画定することができ、それによって患者の壁面部は、蛇腹の収縮の際に狭さくされ、蛇腹の拡張の際に解放される。したがって、蛇腹への油圧流体の比較的少ない追加により、壁面部の狭さくに比較的大きな増加が生じる。このような蛇腹は、適切に設計されたピストン／シリンダ機構と交換することもできる。
【０１０１】
油圧手段が狭さくデバイス内にキャビティを備えている場合、本発明の装置を以下に挙げた選択肢により設計することができる。
【０１０２】
１）リザーバは、第１および第２の壁面部を備えており、操作デバイスは、リザーバの容量を変更するために、互いに対して第１および第２の壁面部を変位させ、それによって流体はリザーバからキャビティに、またはキャビティからリザーバに分配される。
１ａ）リザーバの第１および第２の壁面部は、磁気デバイス、油圧デバイスまたは電気制御デバイスの少なくとも１つによって、互いに対して変位可能である。
２）操作デバイスは、リザーバとキャビティの間で流体を汲み上げるポンプを備えている。
２ａ）ポンプは、リザーバからキャビティまで流体を汲み上げるようにポンプを作動させる第１の作動部材と、キャビティからリザーバまで流体を汲み上げるようにポンプを作動させる第２の作動部材とを備えている。
２ａ１）第１および第２の作動部材は、その手動操作によって操作可能である。
２ａ２）作動部材の少なくとも一方は、所定の外圧に曝された場合に動作する。
２ａ３）第１および第２の作動部材の少なくとも一方は、磁気手段、油圧手段、または電気制御手段によって操作可能である。
２ｂ）装置は、ポンプとキャビティの間に流体導管を備えており、リザーバは導管の一部を形成する。導管およびポンプは、逆止め弁がない。リザーバは、可変容量を備えた流体チャンバを形成し、ポンプはチャンバの容量の減少によって、チャンバからキャビティまで流体を分配し、チャンバの容量の拡張によりキャビティから流体を引き出す。装置はさらに、ポンプを駆動するモータを備えており、ポンプはチャンバの容量を変更するためのリザーバの可動壁面を備えている。
【０１０３】
油圧手段が狭さくデバイス内に拡張可能キャビティを備えている上記実施形態１から２ｂの全てでは、キャビティは、狭さくデバイスを調節するシリンダ／ピストン機構と交換することができる。この場合、操作デバイスは、狭さくデバイスを調節するために、リザーバとシリンダ／ピストン機構の間に油圧流体を分配する。
【０１０４】
本発明の特殊な実施形態では、操作デバイスは、油圧手段に動作可能に接続された反転を備えている。「反転」という用語は、短いストロークを有する移動要素に作用する強い力を長いストロークを有する別の移動要素に作用する弱い力に変換する機構、すなわち通常のサーボ機構の反転機能として理解されたい。したがって、より小さなリザーバ内の流体の量の小さな変更を、反転によって、より大きなリザーバ内の流体の量の大きな変更に変換することができる。反転は特に、その手動操作に適している。
【０１０５】
反転は、サーボ流体を入れた拡張可能サーボ・リザーバと、サーボ流体に対する閉じられた導管システムを形成するようにサーボ・リザーバに油圧接続された流体供給リザーバとを備えているのが好ましい。拡張可能サーボ・リザーバは、第１および第２の壁面部を有し、これらは拡張可能サーボ・リザーバの量の変更に応じて互いに対して変位可能である。
【０１０６】
第１の代替形態によると、サーボ・リザーバの第１および第２の壁面部は、油圧手段に動作可能に接続されている。反転は、サーボ・リザーバの容量を変更するように、流体供給リザーバと拡張可能サーボ・リザーバの間に流体を分配し、それによって油圧手段は狭さくデバイスを調節するように操作される。
【０１０７】
第２の代替形態によると、所定量の油圧流体を入れた移植可能なメイン・リザーバが提供され、反転は、狭さくデバイスを調節するように、メイン・リザーバと油圧手段の間に油圧流体を分配するように操作可能である。特に、メイン・リザーバは、拡張可能サーボ・リザーバの第１および第２の壁面部に動作可能に接続された第１および第２の壁面部を備えており、それによってメイン・リザーバの容量は拡張可能なサーボ・リザーバの容量が変更された場合に変更される。したがって、反転がメイン・リザーバの容量を変更するように、流体供給リザーバと拡張可能なサーボ・リザーバの間にサーボ流体を分配させる場合、油圧流体はメイン・リザーバから油圧手段まで、または油圧手段からメイン・リザーバまで分配される。有利には、サーボおよびメイン・リザーバは、サーボ・リザーバの容量が比較的少量のサーボ流体によって変更される場合に、メイン・リザーバの容量が比較的大量の油圧流体によって変更されるような寸法をしている。
【０１０８】
上記代替形態の両方では、流体供給リザーバは第１および第２の壁面部を有することができ、これらは流体供給リザーバの容量を変更して流体供給リザーバと拡張可能サーボ・リザーバの間にサーボ流体を分配するように、互いに対して変位可能である。流体供給リザーバの第１および第２の壁面部は、流体供給リザーバの容量を変更して流体供給リザーバと拡張可能サーボ・リザーバの間にサーボ流体を分配するように、手動操作、磁気デバイス、油圧デバイス、または電気制御デバイスによって互いに対して変位可能であってもよい。
【０１０９】
油圧手段が狭さくデバイス内に拡張可能キャビティを備えている上記実施形態１から２ｂの全てでは、または油圧手段が油圧操作可能な機械構成を備えている実施形態では、操作デバイスは上記反転を備えることができる。本発明の別の実施形態では、油圧手段は、第１および第２の油圧相互接続された拡張可能／収縮可能リザーバを備えている。第１のリザーバは、狭さくデバイスに動作可能に接続され、それによって狭さくデバイスは、第１のリザーバの拡張または収縮の際に患者の壁面部の狭さくを変更する。第２のリザーバの容量を変更することによって、油圧流体は２つのリザーバ間に分配され、それによって第１のリザーバは拡張されるまたは収縮されるいずれかである。本実施形態では、油圧手段の長期間操作に有益である、２つのリザーバ間の流体連通導管内に逆止め弁は必要ない。
【０１１０】
別法では、油圧手段は、上記第１および第２のリザーバの代わりに、第１および第２の油圧相互接続されたピストン／シリンダ機構を備えることができる。第１のピストン／シリンダ機構は、狭さくデバイスに動作可能に接続され、それによって狭さくデバイスは、第１のピストン／シリンダ機構の操作の際に患者の壁面部の狭さくを変更する。第２のピストン／シリンダ機構を操作することによって、油圧流体は２つのピストン／シリンダ機構の間に分配され、それによって第１のピストン／シリンダ機構は狭さくデバイスを調節する。
【０１１１】
狭さくデバイスが拡張可能／収縮キャビティを備えていない場合、狭さくデバイスは、上記接触表面を有し、卵管の異なる側で壁面部に沿って延びる少なくとも２つの細長いクランプ要素を備えることができる。上記反転を備えることができる油圧手段は、壁面部を狭さくするように、壁面部に向かって細長いクランプ要素を油圧移動させる。例えば、狭さくデバイスは、クランプ要素が前後にスライドする油圧チャンバを有することができ、油圧手段はまた、ポンプと油圧流体を入れた移植可能なリザーバとを備えることもできる。ポンプは、壁面部に対してクランプ要素を移動させるように、リザーバからチャンバまで油圧流体を分配し、壁面部から離れるようにクランプ要素を移動させるように、チャンバからリザーバまで油圧流体を分配する。
【０１１２】
制御デバイスの設計
制御デバイスは、患者の身体の外側から狭さく／刺激ユニットを適切に制御する。制御デバイスは、患者によって操作可能であることが好ましい。例えば、制御デバイスは、狭さく／刺激ユニットのスイッチを入れたり切ったりする手動操作可能スイッチを備えることができ、スイッチは患者内への皮下移植を患者の身体の外側から手動でまたは磁気的に操作するようになっている。別法では、制御デバイスは、狭さく／刺激ユニットのスイッチを入れたり切ったりするように、患者によって便利に操作可能である手持ち式無線リモート・コントロールを備えることができる。無線リモート・コントロールはまた、腕時計のように患者の身体への応用例のために設計することができる。このような腕時計タイプのリモート・コントロールは、患者の身体に従う制御信号を装置の移植された信号応答手段に発することができる。
【０１１３】
制御デバイスが患者の身体の外側から狭さく／刺激ユニットを無線制御する場合、無線制御機能は非磁気的方法で行われることが好ましい、すなわち制御デバイスは、非磁気的方法で狭さく／刺激ユニットの狭さくデバイスを制御する。患者は、刺激強さを調節するおよび／または壁面部の狭さくを調節するように狭さく／刺激ユニットを制御するために、リモート・コントロールを使用することができる。無線リモート・コントロールは、少なくとも１つの外部信号送信器または送受信器、および患者に移植可能な少なくとも１つの内部信号受信器または送受信器を備えることができる。
【０１１４】
無線リモート・コントロールは、狭さく／刺激ユニットを制御するために、少なくとも１つの無線制御信号を伝送することが好ましい。制御信号としては、周波数、振幅、位相変調信号、またはその組合せを挙げることができ、アナログまたはデジタル信号、またはアナログおよびデジタル信号の組合せであってもよい。リモート・コントロールは、デジタルまたはアナログ制御信号を運ぶための電磁搬送波信号を伝送することができる。また、搬送波信号としては、デジタル、アナログ、またはデジタルおよびアナログ信号の組合せを挙げることができる。
【０１１５】
上記制御信号のいずれも、波信号、例えば音波信号、超音波信号、電磁波信号、赤外線信号、可視光信号、紫外線信号、レーザ光信号、マイクロ波信号、電波信号、Ｘ線放射信号、またはガンマ放射信号を含むことができる。別法では、制御信号としては、電場または磁場、または組み合わせられた電場および磁場を挙げることができる。
【０１１６】
上に記載したように、制御信号は、患者の身体を装置の移植された信号応答手段に従わせることができる。
【０１１７】
制御デバイスは、狭さく／刺激ユニットを制御するために患者に移植可能である、マイクロプロセッサなどのプログラム可能内部制御ユニットを備えることができる。制御デバイスはさらに、患者の身体の外側にあることを意図した外部制御ユニットを備えることができ、内部制御ユニットは外部制御ユニットによってプログラム可能である。例えば、内部制御ユニットは、適切には活動スケジュール・プログラムに従って、経時的に狭さく／刺激ユニットを制御するようにプログラム可能である。本発明の装置は、外部データ・コミュニケータと、外部データ・コミュニケータと通信する移植可能な内部データ・コミュニケータとを備えることができ、内部コミュニケータは、狭さく／刺激ユニットに関連するデータを外部データ・コミュニケータに送り戻す、または外部データ・コミュニケータはデータを内部データ・コミュニケータに送る。
【０１１８】
エネルギー源
本発明はまた、狭さく／刺激ユニットの操作に関連して使用するためのエネルギーを供給する解決法を提示する。したがって、幅広い意味では、本発明は患者の卵管の卵管壁面によって形成された卵管内の精子の流れを制御する装置を提供し、この装置は卵管内の流れに影響を与えるように卵管壁面の一部を優しく狭さくする移植可能な狭さくデバイスと、狭さくデバイスが壁面部を狭さくするときに、壁面部の異なる領域を間欠的におよび個別に刺激して、壁面部を収縮させて、卵管内の流れにさらに影響を与える刺激デバイスとを備えており、狭さくおよび刺激デバイスは、操作可能な狭さく／刺激ユニット、エネルギー源、および狭さく／刺激ユニットの操作に関連して使用するためのエネルギーを放出するようにエネルギー源を制御する、患者身体の外側から操作可能な制御デバイスを形成する。本発明の単純な形では、電池または蓄電池などのエネルギー源は、患者の身体に移植可能である。
【０１１９】
無線エネルギーの伝送
好ましい本発明のより洗練された形では、エネルギー源は患者の身体の外部にあり、制御デバイスは無線エネルギーを放出するために外部エネルギー源を制御する。本発明の洗練された形では、装置は患者の身体の外側から患者の身体の内側に放出された無線エネルギーを伝送するエネルギー伝送デバイスを備えている。中でも、無線エネルギーとしては、電磁エネルギー、電場、電磁場または磁場、またはその組合せ、または電磁波を挙げることができる。エネルギー伝送デバイスは、無線エネルギーが伝送されているときに、狭さく／刺激ユニットの操作に関連して直接使用するために無線エネルギーを伝送することができる。例えば、電気モータまたはポンプが狭さくデバイスを操作する場合、磁気または電磁場の形の無線エネルギーをモータまたはポンプの直接電力のために使用することができる。
【０１２０】
したがって、モータまたはポンプは、無線エネルギーの伝送中に直接稼動している。これは、２つの異なる方法、ａ）無線エネルギーを異なる形のエネルギー、好ましくは電気エネルギーに変換するために患者に移植された変換デバイスを使用して、モータまたはポンプに変換したエネルギーで動力を与えて、またはｂ）モータまたはポンプに直接動力を与えるために無線伝送エネルギーを使用して達成することができる。電磁または磁場の形の無線エネルギーを使用して、モータまたはポンプを駆動するように運動エネルギーを生成するために、モータまたはポンプの特定の構成要素に直接影響を与えるのが好ましい。このような構成要素としては、モータまたはポンプ内に一体化されたコイル、あるいは磁場または永久磁石によって影響を与えられた材料とを挙げることができ、磁場または電磁場はコイルに影響を与えて、モータまたはポンプを駆動するために電流を生成し、あるいは材料または永久磁石に影響を与えて、モータまたはポンプを駆動するために運動エネルギーを生成する。
【０１２１】
エネルギー伝送デバイスは、少なくとも１つの無線信号、適切には波信号によってエネルギーを伝送することが好ましい。波信号としては、赤外線信号、可視光信号、紫外線信号、レーザ信号、マイクロ波信号、電波信号、Ｘ線放射信号、およびガンマ放射信号の１つを含む電磁波信号を挙げることができる。別法では、波信号としては、音波または超音波信号を挙げることができる。無線信号は、デジタルまたはアナログ信号、またはデジタルおよびアナログ信号の組合せであってもよい。
【０１２２】
無線エネルギー変換
本発明の特定の実施形態によると、典型的には第１の形のエネルギーとは異なる、第２の形のエネルギーにエネルギー伝送デバイスによって伝送される第１の形の無線エネルギーを変換するために、移植可能なエネルギー変換デバイスが提供される。狭さく／刺激ユニットは、第２の形のエネルギーに応じて操作可能である。例えば、第１の形の無線エネルギーとしては音波を挙げることができ、第２の形のエネルギーとしては電気エネルギーを挙げることができる。この場合、エネルギー変換デバイスは、音波を電気エネルギーに変換する圧電素子を備えることができる。任意選択では、第１の形のエネルギーおよび第２の形のエネルギーの一方としては、磁気エネルギー、運動エネルギー、音響エネルギー、化学エネルギー、放射エネルギー、電磁エネルギー、光エネルギー、核エネルギー、または熱エネルギーを挙げることができる。第１の形のエネルギーおよび第２の形のエネルギーの一方は、非磁気、非運動的、非化学的、非音響的、非核的、または非熱的であることが好ましい。
【０１２３】
エネルギー変換デバイスは、エネルギー伝送デバイスと異なってまたは同様に機能することができる。特殊な実施形態では、エネルギー変換デバイスは、エネルギー伝送デバイスによって伝送された第１の形のエネルギーに曝された場合に、正の領域および負の領域を有する、少なくとも１つの半導体などの少なくとも１つの素子を備えており、素子は正の領域と負の領域の間にエネルギー場を生成することが可能であり、エネルギー場は第２の形のエネルギーを作り出す。特に、素子としては、エネルギー伝送デバイスによって伝送された第１の形のエネルギーに曝された場合に、正の領域と負の領域の間に電場を誘導することが可能である電気接点素子を挙げることができ、それによって第２の形のエネルギーとしては電気エネルギーが挙げられる。
【０１２４】
エネルギー変換デバイスは、第１の形のエネルギーを第２の形のエネルギーに直接または間接的に変換することができる。狭さく／刺激ユニットの狭さくデバイスを操作するための移植可能なモータまたはポンプを提供することができ、モータまたはポンプは第２の形のエネルギーによって動力が与えられる。狭さくデバイスは、少なくとも１つの可逆機能を行うように操作可能であり、モータは機能を逆にすることが可能である。例えば、制御デバイスは、モータを逆転させるために、第２の形のエネルギーの極性を転換することができる。
【０１２５】
エネルギー変換デバイスは、第２の形のエネルギーが第１の形のエネルギーから変換されているときに、変換されたエネルギーでモータまたはポンプに直接動力を与えることができる。エネルギー変換デバイスは、非磁気、非熱的または非機械的方法で、第２の形のエネルギーで狭さく／刺激ユニットを直接操作することが好ましい。
【０１２６】
通常、狭さく／刺激ユニットは、電気エネルギーで付勢された電気構成部品を備えている。装置の他の移植可能な電気構成部品は、少なくとも１つの電圧レベル・ガード、または少なくとも１つの定電流ガードであってもよい。したがって、エネルギー変換デバイスは、第１の形のエネルギーを直流または拍動直流、または直流および拍動直流の組合せに変換することができる。別法では、エネルギー変換デバイスは、第１の形のエネルギーを交流、または直流および交流の組合せに変換することができる。
【０１２７】
本発明の装置は、狭さく／刺激ユニットの操作のためにエネルギーを供給する、患者に移植可能な内部エネルギー源を備えることができる。この装置はさらに、内部エネルギー源が使用されていない「オフ」モードから、内部エネルギー源が狭さく／刺激ユニットの動作のために、および／または装置の移植された電子構成部品を付勢するためにエネルギーを供給する「オン」モードに切り換えるように操作可能である移植可能スイッチを備えることができる。スイッチは、エネルギー伝送デバイスによって伝送される第１の形のエネルギーによって、またはエネルギー変換デバイスによって供給される第２の形のエネルギーによって操作可能である。記載されたスイッチ配置により、操作間の装置の電力消費が少なくなる。
【０１２８】
内部エネルギー源は、エネルギー変換デバイスによって供給された第２の形のエネルギーを貯蔵することができる。この場合、内部エネルギー源は、少なくとも１つのコンデンサまたは少なくとも１つの充電式電池などの蓄電池、または少なくとも１つのコンデンサおよび少なくとも１つの充電式電池の組合せを適切に備えている。内部エネルギー源が充電式電池である場合、患者に都合の良いときにのみ、例えば患者が寝ているときに、充電することができる。別法では、内部エネルギー源は、狭さく／刺激ユニットの操作のためにエネルギーを供給することができるが、第２の形のエネルギーを貯蔵するために使用することができない。このような代替形態では、内部エネルギー源は電池であってもよく、上記スイッチを設けても設けなくてもよい。
【０１２９】
適切には、本発明の装置は、第２の形のエネルギーを安定化させる移植可能なスタビライザを備えている。第２の形のエネルギーが電気エネルギーである場合、スタビライザは適切には、少なくとも１つのコンデンサを備えている。
【０１３０】
エネルギー変換デバイスを、患者の腹部、胸部または頭部に皮下的に移植するように設計することができる。別法では、患者の身体の開口部内、および粘膜の下、または開口部の粘膜の外側で筋肉内に移植するように設計することができる。
【０１３１】
上記実施形態の狭さく／刺激ユニットは、移植に最も実用的である単一片として設計されているが、代替形態として、狭さくデバイスおよび刺激デバイスを別個の片として設計することができることに留意されたい。上記狭さくおよび刺激ユニットのいずれか一方を、互いに独立して制御された、２つ以上の別個の狭さく／刺激要素と代替として交換することができる。
【０１３２】
一実施形態では、この装置は、その通路を制限するように女性の卵管のそれぞれを狭さくするための移植可能な狭さくデバイスと、卵管の通路にある精子が子宮腔に入らないように卵管を狭さくし、卵管の通路内に存在する精子が子宮腔に入ることが可能であるように卵管を解放するように狭さくデバイスを制御する制御デバイスとを備えている。狭さくデバイスは、その通路を制限するように卵管の卵管壁面の少なくとも一部分を優しく狭さくすることができ、卵管壁面部を刺激するために移植可能な刺激デバイスを提供することができ、制御デバイスは、狭さくデバイスが卵管壁面部を狭さくするときに卵管壁面部を刺激して、卵管の通路をさらに制限するように卵管壁面部を収縮させるように刺激デバイスを制御する。
【０１３３】
別法では、精子流制御装置は、その通路を制限するように女性の卵管のそれぞれの卵管壁面の少なくとも一部分を優しく狭さくするための移植可能な狭さくデバイスと、卵管の卵管壁面部を刺激する刺激デバイスと、狭さくデバイスが卵管壁面部を狭さくするときに卵管壁面部を刺激して、卵管の通路をさらに制限して卵管内に存在する精子が子宮腔に入るのを防ぐように卵管壁面部を収縮させるように刺激デバイスを制御する制御デバイスとを備えている。
【０１３４】
別法では、精子流制御装置は、女性の卵管のそれぞれの卵管壁面の一部分を刺激するための移植可能な刺激デバイスと、卵管の通路が卵管内にある精子が子宮腔に入らないように制限されるように、卵管の卵管壁面部を刺激して卵管壁面部を収縮させ、卵管の卵管壁面部の刺激を止めて卵管の通路内に存在する精子が子宮腔に入ることが可能になるように、刺激デバイスを制御する制御デバイスとを備えている。
【０１３５】
本発明はまた、女性患者の卵管内の精子の流れを制御するために上記のような装置を使用する方法であって、患者の身体の外側から狭さくデバイスおよび／または刺激デバイスを制御するようになっている無線リモート・コントロールを提供するステップと、患者が卵管内の精子の流れに影響を与えたい場合に、患者によって無線リモート・コントロールを操作するステップとを含む方法を提供する。
【０１３６】
本発明はまた、女性患者の卵管内の精子の流れを制御する方法であって、ａ）卵管内の流れに影響を与えるように、卵管壁面の少なくとも一部分を優しく狭さくするステップと、ｂ）壁面部を収縮させて卵管内の精子の流れにさらに影響を与えるように、狭さくされた壁面部を刺激するステップとを含む方法を提供する。
【０１３７】
一般的方法
本発明はまた、女性患者の卵管内の精子の流れを制御する方法であって、壁面部を収縮させて卵管内の精子の流れに影響を与えるように、壁面部を刺激するステップを含む方法を提供する。
【０１３８】
刺激デバイスは、本明細書に記載した全ての方法の実施形態に上記された狭さくデバイスと組み合わせることができ、また本明細書に記載した刺激デバイスに関連する全ての異なる方法の実施形態を使用することもできる。
【０１３９】
本発明はまた、女性患者の卵管内の精子の流れを制御する方法であって、卵管内の精子の流れに影響を与えるように、卵管壁面の少なくとも一部分を狭さくするステップを含む方法を提供する。
【０１４０】
狭さくデバイスは、本明細書に記載した全ての方法の実施形態の刺激デバイスと組み合わせることができ、また本明細書に記載した狭さくデバイスおよび方法に関連する全ての異なる方法の実施形態を使用することもできる。
【０１４１】
腹腔鏡方法
患者の卵管の組織壁面によって形成された内腔内の精子の流れを制御する方法であって、患者の身体の空洞内に針状管を挿入するステップと、針状管を使用して気体で空洞を充填し、それによってＩ空洞を拡張させるステップと、患者の身体内に少なくとも２つの腹腔鏡トロカールを定置するステップと、トロカールの１つを通して空洞内にカメラを挿入するステップと、トロカールのいずれかを通して解剖具を挿入し、卵管の組織壁面の少なくとも一部分の領域を解剖するステップと、卵管と動作可能に係合するように解剖された領域内に狭さくデバイスおよび刺激デバイスを定置するステップと、狭さくデバイスを使用して、内腔内の流れに影響を与えるように卵管の壁面部を優しく狭さくするステップと、刺激デバイスを使用して、狭さくされた壁面部を刺激して、内腔内の流れにさらに影響を与えるように壁面部を収縮させるステップとを含む方法。
【０１４２】
患者の卵管の組織壁面によって形成された内腔内の精子の流れを制御する方法であって、患者の身体の空洞内に針状管を挿入するステップと、針状管を使用して気体で空洞を充填し、それによって空洞を拡張させるステップと、患者の身体内に少なくとも２つの腹腔鏡トロカールを定置するステップと、トロカールの１つを通して空洞内にカメラを挿入するステップと、トロカールのいずれかを通して解剖具を挿入し、卵管の組織壁面の少なくとも一部分の領域を解剖するステップと、卵管と動作可能に係合するように解剖された領域内に刺激デバイスを定置するステップと、刺激デバイスを使用して、壁面部を刺激して、内腔内の流れに影響を与えるように壁面部を収縮させるステップとを含む方法。
【０１４３】
患者の卵管の組織壁面によって形成された内腔内の精子の流れを制御する方法であって、患者の身体の空洞内に針状管を挿入するステップと、針状管を使用して気体で空洞を充填し、それによって空洞を拡張させるステップと、患者の身体内に少なくとも２つの腹腔鏡トロカールを定置するステップと、トロカールの１つを通して空洞内にカメラを挿入するステップと、トロカールのいずれかを通して解剖具を挿入し、卵管の組織壁面の少なくとも一部分の領域を解剖するステップと、卵管と動作可能に係合するように解剖された領域内に狭さくデバイスを定置するステップと、狭さくデバイスを使用して、内腔内の流れに影響を与えるように卵管の壁面部を狭さくするステップとを含む方法。
【０１４４】
患者の卵管の組織壁面によって形成された内腔内の卵管の流れを制御する方法であって、患者の皮膚を切断するステップと、解剖具を挿入し、卵管の組織壁面の少なくとも一部分の領域を解剖するステップと、卵管と動作可能に係合するように解剖された領域内に狭さくデバイスおよび刺激デバイスを定置するステップと、狭さくデバイスを使用して、内腔内の流れに影響を与えるように卵管の壁面部を優しく狭さくするステップと、刺激デバイスを使用して、狭さくされた壁面部を刺激して、内腔内の流れにさらに影響を与えるように壁面部を収縮させるステップとを含む方法。
【０１４５】
患者の卵管の組織壁面によって形成された内腔内の精子の流れを制御する方法であって、患者の皮膚を切断するステップと、解剖具を挿入し、卵管の組織壁面の少なくとも一部分の領域を解剖するステップと、卵管と動作可能に係合するように解剖された領域内に刺激デバイスを定置するステップと、刺激デバイスを使用して、壁面部を刺激して、内腔内の流れに影響を与えるように壁面部を収縮させるステップとを含む方法。
【０１４６】
患者の卵管の組織壁面によって形成された内腔内の精子の流れを制御する方法であって、患者の皮膚を切断するステップと、解剖具を挿入し、器官の組織壁面の少なくとも一部分の領域を解剖するステップと、卵管と動作可能に係合するように解剖された領域内に狭さくデバイスを定置するステップと、狭さくデバイスを使用して、内腔内の流れに影響を与えるように卵管の壁面部を狭さくするステップとを含む方法。
【０１４７】
上記６つの方法の実施形態のいずれか１つによる方法であって、空洞は、腹部空洞、骨盤部の空洞、筋肉、脂肪および線維性組織などの人間の軟組織内の空洞の少なくとも１つを含んでいる。
【０１４８】
別の方法実施形態を、上記のいずれかに使用することができる。
【０１４９】
さらに、狭さくデバイスを操作する動力操作デバイスを移植するステップを含む方法。
【０１５０】
操作デバイスは、動力油圧操作デバイスを備える方法。
【０１５１】
操作デバイスは、電動操作デバイスを備える方法。
【０１５２】
操作デバイスは電気モータを備える方法。
【０１５３】
操作デバイスに動力を与える無線エネルギーを伝送するステップと、患者の卵管内の流れに影響を与えたい場合、狭さくデバイスを操作するように伝送されたエネルギーで操作デバイスに動力を与えるステップとをさらに含む方法。
【０１５４】
さらに、患者にエネルギー源を移植するステップと、外部エネルギー源を提供するステップと、無線エネルギーを放出するように外部エネルギー源を制御するステップと、無線エネルギーを貯蔵可能エネルギーに変換するステップと、変換されたエネルギーで移植されたエネルギー源を非侵襲的に充電するステップと、狭さくデバイスおよび／または刺激デバイスの操作に関連して使用するためにエネルギーを放出するように、患者の身体の外側から移植されたエネルギー源を制御するステップとを含む方法。
【０１５５】
無線エネルギーは、無線エネルギーと異なる貯蔵可能エネルギーに変換される方法。
【０１５６】
流れを防ぐまたは流れを促進する
【０１５７】
第１に、流れ影響デバイスは２つ以上の組織壁面部を収縮させるようになっている１つまたは複数の制限デバイスを備えており、１つまたは複数の制限デバイスは、卵管の組織壁面の一連の壁面部を制限するようになっている装置。
【０１５８】
第２に、制限デバイスは、ランダムにまたは所定の順序により、一連の壁面部のうちの壁面部を制限するようになっている、一連の壁面部のうちの壁面部を制限する狭さくデバイスを備えている装置。
【０１５９】
第３に、制限デバイスは、一連の壁面部のうちの壁面部を制限する狭さくデバイスを備えており、ランダムにまたは所定の順序により、一連の壁面部のうちの任意の狭さくされた壁面部をさらに制限する刺激デバイスをさらに備えた装置。
【０１６０】
第４に、制限デバイスは、卵管の内腔を完全に閉じることなく狭さくするための狭さくデバイスを備えており、一連の壁面部のうちの壁面部が、ランダムにまたは所定の順序により、卵管に沿って連続的に制限されるように、次々と狭さくされた壁面部を刺激する刺激デバイスをさらに備えた装置。
【０１６１】
第５に、制限デバイスは、ランダムにまたは所定の順序により、一連の壁面部のうちの壁面部を制限するように一連の壁面部のうちの任意の壁面部を刺激する刺激デバイスを備えた装置。
【０１６２】
第６に、制限デバイスは一連の壁面部のうちの壁面部の全てを制限する狭さくデバイスと、卵管の内腔を閉じるようにランダムにまたは所定の順序により、任意の制限された壁面部を刺激する刺激デバイスとを備えた装置。
【０１６３】
上記６つの目的全てに記載された装置であって、制御デバイスは、間隔を置いた制限で一度に少なくとも２つ、一連の壁面部のうちの壁面部を制限するように１つまたは複数の制限デバイスを制御するようになっており、制御デバイスは、患者の卵管の内腔内で精子を移動させるように卵管に沿って一連の壁面部のうちの壁面部を連続的に制限し、または精子が患者の卵管の内腔内で移動するのを防ぐようになっている。
【０１６４】
上記６つの目的全てに記載された装置であって、制御デバイスは、患者の卵管の内腔内で精子を移動させるように卵管に沿って一連の壁面部のうちの壁面部を連続的に制限し、または精子が患者の卵管の内腔内で移動するのを防ぐようになっている。
【０１６５】
無線エネルギーに関連するフィードバック
【０１６６】
以下の実施形態は、ａ）狭さくデバイスおよび／または刺激デバイスによって使用されるエネルギー量と比較された内部エネルギー源によって受けられたエネルギー量、またはｂ）内部エネルギー源によって受けられたエネルギー量および外部エネルギー源によって伝送されたエネルギー量のいずれかを比較した、エネルギー・バランスに関連するフィードバック情報に関連している。
【０１６７】
本発明の方法のいくつかの代替形態が以下に開示されており、狭さくデバイスおよび／または刺激デバイスに直接相関することを除いて、操作方法に含めることもできる。これらの方法は、刺激デバイスおよび狭さくデバイスの両方で別々にまたは組み合わせて使用するのに有用である。
【０１６８】
内部エネルギー源を備えた無線エネルギーの伝送を制御する方法であって、前記無線エネルギーは、患者の外側に置かれた外部エネルギー源から伝送され、患者の内側に置かれた内部エネルギー源によって受けられ、内部エネルギー源は、受けたエネルギー源を直接または間接的に供給するように狭さくデバイスおよび／または刺激デバイスに接続されている方法であって、内部エネルギー源によって受けられたエネルギーと狭さくデバイスおよび／または刺激デバイスに使用されるエネルギーの間のエネルギー・バランスを判断するステップと、所定のエネルギー・バランスに基づいて、外部エネルギー源からの無線エネルギーの伝送を制御するステップとを含む方法。
【０１６９】
無線エネルギーは、外部エネルギー源内の一次コイルから内部エネルギー受信器内の二次コイルまで誘導伝送される方法。
【０１７０】
前記エネルギー・バランスの変化が検出され、無線エネルギーの伝送は、前記検出されたエネルギー・バランス変化に基づいて制御される方法。
【０１７１】
前記内部エネルギー受信器によって受けられたエネルギーと医療用デバイスに使用されるエネルギーの差が検出され、無線エネルギーの伝送は、前記検出されたエネルギー差に基づいて制御される方法。
【０１７２】
検出されたエネルギー・バランス変化がエネルギー・バランスが増加していることを示している場合に、伝送された無線エネルギー量が減少され、また逆も同様である方法。
【０１７３】
エネルギー伝送の増減は、検出された変化率に対応する方法。
【０１７４】
検出されたエネルギー差が受けられたエネルギーが使用されるエネルギーより大きいことを示している場合に、伝送された無線エネルギー量が減少され、また逆も同様である方法。
【０１７５】
エネルギー伝送の増減は、前記検出されたエネルギー差の大きさに対応する方法。
【０１７６】
狭さくデバイスおよび／または刺激デバイスに使用されるエネルギーは、デバイスの少なくとも１つのエネルギー貯蔵デバイス内に貯蔵される方法。
【０１７７】
狭さくデバイスおよび／または刺激デバイスｉに使用されるほぼ全てのエネルギーは、デバイスを操作するために消費される方法。
【０１７８】
エネルギーは、デバイスの少なくとも１つのエネルギー安定化ユニット内で安定化された後に消費される方法。
【０１７９】
狭さくデバイスおよび／または刺激デバイスに使用されるエネルギーは、デバイスの少なくとも１つのエネルギー貯蔵デバイス内に貯蔵される方法。
【０１８０】
狭さくデバイスおよび／または刺激デバイスｉに使用されるほぼ全てのエネルギーは、デバイスを操作するために消費される方法。
【０１８１】
エネルギーは、デバイスの少なくとも１つのエネルギー安定化ユニット内で安定化された後に消費される方法。
【０１８２】
受けられたエネルギーを直接または間接的に供給するように狭さくデバイスおよび／または刺激デバイスに接続された、患者の内側に配置された内部エネルギー源を備えた狭さくおよび刺激デバイスの少なくとも一方に供給される無線エネルギーの伝送を制御する方法であって、外部エネルギー源によって送られたエネルギーと内部エネルギー源によって受けられたエネルギーの間のエネルギー・バランスを判断するステップと、判断されたエネルギー・バランスに基づいて、外部エネルギー源からの無線エネルギーの伝送を制御するステップとを含む方法。
【０１８３】
無線エネルギーは、外部エネルギー源内の一次コイルから内部エネルギー受信器内の二次コイルまで誘導伝送される方法。
【０１８４】
前記エネルギー・バランスの変化が検出され、無線エネルギーの伝送は、前記検出されたエネルギー・バランス変化に基づいて制御される方法。
【０１８５】
外部エネルギー源によって送られたエネルギーと前記内部エネルギー受信器によって受けられたエネルギーの差が検出され、無線エネルギーの伝送は、前記検出されたエネルギー差に基づいて制御される方法。
【０１８６】
検出されたエネルギー・バランス変化がエネルギー・バランスが増加していることを示している場合に、伝送された無線エネルギー量が減少され、また逆も同様である方法。
【０１８７】
エネルギー伝送の増減は、検出された変化率に対応する方法。
【０１８８】
検出されたエネルギー差が受けられたエネルギーが使用されるエネルギーより大きいことを示している場合に、伝送された無線エネルギー量が減少され、また逆も同様である方法。
【０１８９】
エネルギー伝送の増減は、前記検出されたエネルギー差の大きさに対応する方法。
【０１９０】
無線エネルギーの伝送を制御する方法であって、前記無線エネルギーは外部エネルギー源内の一次コイルにより伝送され、内部エネルギー源内の二次コイルにより誘導的に受けられ、内部エネルギー源は受けられたエネルギーを直接または間接的に供給するために医療用デバイスに接続され、フィードバック制御情報（Ｓ）は、二次コイルのスイッチを入れたり切ったりして、フィードバック制御情報を符号化する一次コイル内の検出可能なインピーダンス負荷変化を導き出すことによって、二次コイルから一次コイルまで伝送され、フィードバック制御情報は、内部エネルギー源によって受けられるエネルギーに関し、外部エネルギー源からの無線エネルギーの伝送を制御するために使用される。
【０１９１】
２８５．外部エネルギー源はさらに、外部エネルギー源によって伝送されたエネルギー量とフィードバック情報を比較するために電子回路を備えている、請求項２８４に記載の装置。
【０１９２】
電子回路は、伝送されているエネルギー量を分析し、受信器に受けられたエネルギー量に関連するフィードバック情報を受け、伝送されたエネルギー量と受けられたエネルギー量に関連するフィードバック情報を比較することによってエネルギー・バランスを判断する分析器を備えている方法。
【０１９３】
外部エネルギー源は、前記伝送されたエネルギーのレベルを調節する前記フィードバック情報を使用するようになっている方法。
【０１９４】
無線エネルギーの伝送を制御する方法であって、前記無線エネルギーは外部エネルギー源内の一次コイルにより伝送され、内部エネルギー源内の二次コイルにより誘導的に受けられ、内部エネルギー受信器は受けられたエネルギーを直接または間接的に供給するために医療用デバイスに接続され、フィードバック制御情報（Ｓ）は、二次コイルのスイッチを入れたり切ったりして、フィードバック制御情報を符号化する一次コイル内の検出可能なインピーダンス負荷変化を導き出すことによって、二次コイルから一次コイルまで伝送され、フィードバック制御情報は、前記エネルギー・バランスに関する。
【図面の簡単な説明】
【０１９５】
【図１Ａ】本発明による装置の一般的実施形態の操作の異なる状態を示す略図である。
【図１Ｂ】本発明による装置の一般的実施形態の操作の異なる状態を示す略図である。
【図１Ｃ】本発明による装置の一般的実施形態の操作の異なる状態を示す略図である。
【図１Ｄ】本発明による装置の一般的実施形態の操作の異なる状態を示す略図である。
【図１Ｅ】本発明による装置の一般的実施形態の操作の異なる状態を示す略図である。
【図１Ｆ】一般的実施形態の変更形態の操作の異なる状態を示す図である。
【図１Ｇ】一般的実施形態の変更形態の操作の異なる状態を示す図である。
【図１Ｈ】一般的実施形態の変更形態の操作の異なる状態を示す図である。
【図１Ｉ】一般的実施形態の変更形態の操作の代替形態を示す図である。
【図１Ｋ】一般的実施形態の変更形態の操作の代替形態を示す図である。
【図１Ｌ】一般的実施形態の変更形態の操作の代替形態を示す図である。
【図２】狭さくデバイスおよび電気刺激デバイスを含む、本発明による装置の好ましい一実施形態の長手断面図である。
【図３】図２の線ＩＩＩ−ＩＩＩに沿った断面図である。
【図４】図３に示すのと同じであるが、異なる操作状態の装置の断面図である。
【図５Ａ】装置が患者の卵管の卵管壁面に取り付けられた、異なる操作状態を示す図２の実施形態の断面図である。
【図５Ｂ】装置が患者の卵管の卵管壁面に取り付けられた、異なる操作状態を示す図２の実施形態の断面図である。
【図５Ｃ】装置が患者の卵管の卵管壁面に取り付けられた、異なる操作状態を示す図２の実施形態の断面図である。
【図６Ａ】装置が患者の卵管の卵管壁面に取り付けられた、異なる操作状態を示す、図２の実施形態の変更形態の断面図である。
【図６Ｂ】装置が患者の卵管の卵管壁面に取り付けられた、異なる操作状態を示す、図２の実施形態の変更形態の断面図である。
【図６Ｃ】装置が患者の卵管の卵管壁面に取り付けられた、異なる操作状態を示す、図２の実施形態の変更形態の断面図である。
【図７Ａ】装置が患者の卵管の卵管壁面を狭さくしている、図２の装置によって行われる電気刺激モードの異なるステップを示す図である。
【図７Ｂ】装置が患者の卵管の卵管壁面を狭さくしている、図２の装置によって行われる電気刺激モードの異なるステップを示す図である。
【図８Ａ】患者の卵管の卵管壁面を刺激するように、本発明の装置によって生成された電気刺激パルスを示すパルス／時間図である。
【図８Ｂ】混合周波数および／または振幅のパルスが利用される、図８Ａに示す電気刺激の変更形態を示すパルス／時間図である。
【図９Ａ】パルスがパルス列を形成する状態で、卵管壁面の２つの異なる領域の電気刺激を示す、それぞれ２つのパルス／時間図である。
【図９Ｂ】パルスがパルス列を形成する状態で、卵管壁面の２つの異なる領域の電気刺激を示す、それぞれ２つのパルス／時間図である。
【図１０Ａ】パルス列を変更した、図９Ａおよび９Ｂのパルス／時間図である。
【図１０Ｂ】パルス列を変更した、図９Ａおよび９Ｂのパルス／時間図である。
【図１１Ａ】装置が患者の卵管の卵管壁面を狭さくしている、熱刺激デバイスを含む、本発明の装置の一実施形態の長手断面図である。
【図１１Ｂ】熱刺激デバイスが作動された、図１１Ａと同じ実施形態を示す図である。
【図１２Ａ】図２〜１１の実施形態の狭さくデバイスを操作するのに適した、油圧操作手段の略図である。
【図１２Ｂ】狭さくデバイスが患者の卵管の卵管壁面を狭さくしている、図１２Ａの実施形態を示す図である。
【図１３Ａ】図２〜１１の実施形態の狭さくデバイスを操作するのに適した機械的操作手段の略図である。
【図１３Ｂ】狭さくデバイスが患者の卵管の卵管壁面を狭さくしている、図１３Ａの実施形態を示す図である。
【図１３Ｃ】図１３Ｂの実施形態の変更形態を示す図である。
【図１４Ａ】腹部にろう孔開口部を有する結腸ろう造設術患者の小腸に適用された、本発明の装置を示す図である。
【図１４Ｂ】患者の肛門に小腸末端がある結腸ろう造設術患者の小腸に適用された、本発明の装置を示す図である。
【図１５】本発明により使用する機械的操作可能な膨張不能狭さくデバイスの略断面図である。
【図１６−１７】それぞれ、図１５の線ＸＶＩ−ＸＶＩおよびＸＶＩＩ−ＸＶＩＩに沿った断面図である。
【図１８】図１５の実施形態の代替設計を示す略図である。
【図１９】図１８による設計のモータ配置を示す略図である。
【図２０】本発明の膨張不能狭さくデバイスの２つの代替設計の略断面図である。
【図２１】本発明の膨張不能狭さくデバイスの２つの代替設計の略断面図である。
【図２２】それぞれ、図２１の実施形態の完全開口および縮小された狭さく開口を示す図である。
【図２３】それぞれ、図２１の実施形態の完全開口および縮小された狭さく開口を示す図である。
【図２４】本発明の膨張不能狭さくデバイスの別の代替設計の略図である。
【図２５】それぞれ、図２４の実施形態の完全開口および縮小された狭さく開口を示す図である。
【図２６】それぞれ、図２４の実施形態の完全開口および縮小された狭さく開口を示す図である。
【図２７】本発明の膨張不能狭さくデバイスの別の代替設計の略図である。
【図２８】それぞれ、本発明の膨張不能狭さくデバイスのさらに別の代替設計の略断面図である。
【図２９】それぞれ、本発明の膨張不能狭さくデバイスのさらに別の代替設計の略断面図である。
【図３０Ａ】本発明により使用される油圧操作可能な膨張可能狭さくデバイスの略図である。
【図３０Ｂ】狭さくデバイスが膨張した状態の、図３０Ａに示すのと同じ実施形態の図である。
【図３１Ａ】図３０Ａに示す狭さくデバイスの油圧操作のための４つの異なる原理を示すブロック図である。
【図３１Ｂ】図３０Ａに示す狭さくデバイスの油圧操作のための４つの異なる原理を示すブロック図である。
【図３１Ｃ】図３０Ａに示す狭さくデバイスの油圧操作のための４つの異なる原理を示すブロック図である。
【図３１Ｄ】図３０Ａに示す狭さくデバイスの油圧操作のための４つの異なる原理を示すブロック図である。
【図３２】遠隔制御モータによって制御された可変容量を有するリザーバの断面図である。
【図３３Ａ】図３１Ｃに示す油圧操作原理の特定の実施形態による反転サーボの斜視図である。
【図３３Ｂ】図３１Ｃに示す油圧操作原理の特定の実施形態による反転サーボの斜視図である。
【図３４】本発明により使用される別の油圧操作可能な狭さくデバイスの略図である。
【図３５Ａ】狭さく状態の図３４の狭さくデバイスを示す図である。
【図３５Ｂ】解放状態の図３４の狭さくデバイスを示す図である。
【図３６Ａ】狭さくデバイスおよび刺激デバイスが協働して、患者の卵管の卵管内で精子を移動させる、本発明の実施形態の異なる操作段階を示す略図である。
【図３６Ｂ】狭さくデバイスおよび刺激デバイスが協働して、患者の卵管の卵管内で精子を移動させる、本発明の実施形態の異なる操作段階を示す略図である。
【図３６Ｃ】狭さくデバイスおよび刺激デバイスが協働して、患者の卵管の卵管内で精子を移動させる、本発明の実施形態の異なる操作段階を示す略図である。
【図３６Ｄ】狭さくデバイスおよび刺激デバイスが協働して、患者の卵管の卵管内で精子を移動させる、本発明の実施形態の異なる操作段階を示す略図である。
【図３６Ｅ】狭さくデバイスおよび刺激デバイスが協働して、患者の卵管の卵管内で精子を移動させる、本発明の実施形態の異なる操作段階を示す略図である。
【図３７】エネルギーが、患者に移植された装置のエネルギー消費構成部品に伝送される、本発明の装置の一般的実施形態を示す略ブロック図である。
【図３８】それぞれ、無線エネルギーが患者の身体の外側から患者に移植された装置のエネルギー消費構成部品に伝送される、図３７に示す一般的実施形態に基づく１２実施形態を示す略ブロック図である。
【図３９】それぞれ、無線エネルギーが患者の身体の外側から患者に移植された装置のエネルギー消費構成部品に伝送される、図３７に示す一般的実施形態に基づく１２実施形態を示す略ブロック図である。
【図４０】それぞれ、無線エネルギーが患者の身体の外側から患者に移植された装置のエネルギー消費構成部品に伝送される、図３７に示す一般的実施形態に基づく１２実施形態を示す略ブロック図である。
【図４１】それぞれ、無線エネルギーが患者の身体の外側から患者に移植された装置のエネルギー消費構成部品に伝送される、図３７に示す一般的実施形態に基づく１２実施形態を示す略ブロック図である。
【図４２】それぞれ、無線エネルギーが患者の身体の外側から患者に移植された装置のエネルギー消費構成部品に伝送される、図３７に示す一般的実施形態に基づく１２実施形態を示す略ブロック図である。
【図４３】それぞれ、無線エネルギーが患者の身体の外側から患者に移植された装置のエネルギー消費構成部品に伝送される、図３７に示す一般的実施形態に基づく１２実施形態を示す略ブロック図である。
【図４４】それぞれ、無線エネルギーが患者の身体の外側から患者に移植された装置のエネルギー消費構成部品に伝送される、図３７に示す一般的実施形態に基づく１２実施形態を示す略ブロック図である。
【図４５】それぞれ、無線エネルギーが患者の身体の外側から患者に移植された装置のエネルギー消費構成部品に伝送される、図３７に示す一般的実施形態に基づく１２実施形態を示す略ブロック図である。
【図４６】それぞれ、無線エネルギーが患者の身体の外側から患者に移植された装置のエネルギー消費構成部品に伝送される、図３７に示す一般的実施形態に基づく１２実施形態を示す略ブロック図である。
【図４７】それぞれ、無線エネルギーが患者の身体の外側から患者に移植された装置のエネルギー消費構成部品に伝送される、図３７に示す一般的実施形態に基づく１２実施形態を示す略ブロック図である。
【図４８】それぞれ、無線エネルギーが患者の身体の外側から患者に移植された装置のエネルギー消費構成部品に伝送される、図３７に示す一般的実施形態に基づく１２実施形態を示す略ブロック図である。
【図４９】それぞれ、無線エネルギーが患者の身体の外側から患者に移植された装置のエネルギー消費構成部品に伝送される、図３７に示す一般的実施形態に基づく１２実施形態を示す略ブロック図である。
【図５０】本発明の装置で使用される電気接点素子の形のエネルギー変換デバイスを示す図である。
【図５１】本発明の実施形態の制御構成部品を示すブロック図である。
【図５２】無線エネルギーが電流に変換される、本発明の実施形態の例示的回路の略図である。
【図５３Ａ】狭さくデバイスおよび刺激デバイスが協働して、患者の卵管の卵管内で精子を移動させる、図２に示すタイプの本発明の別の実施形態の異なる操作段階を示す略図である。
【図５３Ｂ】狭さくデバイスおよび刺激デバイスが協働して、患者の卵管の卵管内で精子を移動させる、図２に示すタイプの本発明の別の実施形態の異なる操作段階を示す略図である。
【図５３Ｃ】狭さくデバイスおよび刺激デバイスが協働して、患者の卵管の卵管内で精子を移動させる、図２に示すタイプの本発明の別の実施形態の異なる操作段階を示す略図である。
【図５４Ａ】狭さくデバイスおよび刺激デバイスが協働して、患者の卵管の卵管内で精子を移動させる、図３６Ａ〜３６Ｅに示すタイプの本発明の別の実施形態の異なる操作段階を示す略図である。
【図５４Ｂ】狭さくデバイスおよび刺激デバイスが協働して、患者の卵管の卵管内で精子を移動させる、図３６Ａ〜３６Ｅに示すタイプの本発明の別の実施形態の異なる操作段階を示す略図である。
【図５５Ａ】本発明により使用される別の機械的操作可能な膨張不能狭さくデバイスの略図である。
【図５５Ｂ】狭さく状態にある図５５Ａの狭さくデバイスを示す図である。
【図５５Ｃ】図５５Ｂの実施形態の端面図である。
【図５６】上に記載したような狭さく／刺激ユニットの操作のために使用される、的確な量の無線エネルギーを供給するための配置を示す略ブロック図である。
【図５７】装置がワイヤ束縛エネルギーで操作される、システムの一実施形態を示す略図である。
【図５８】上に記載したような狭さく／刺激ユニットの操作のために使用される無線エネルギーの伝送を制御するための配置のより詳細なブロック図である。
【図５９】可能な実施例による、図１９に示す配置に対する回路である。
【図６０】狭さくデバイスを通る断面図である。
【図６１Ａ】異なる遮断段階にある図６０の狭さくデバイスを示す図である。
【図６１Ｂ】異なる遮断段階にある図６０の狭さくデバイスを示す図である。
【図６１Ｃ】異なる遮断段階にある図６０の狭さくデバイスを示す図である。
【図６２Ａ】狭さくデバイスの第２の実施形態を示す図である。
【図６２Ｂ】狭さくデバイスの第２の実施形態を示す図である。
【図６２Ｃ】狭さくデバイスの第２の実施形態を示す図である。
【図６２Ｄ】狭さくデバイスの第２の実施形態を示す図である。
【図６３Ａ−Ｅ】子宮から卵管内へのこのような精子の上昇に精子ポンプを使用する、本発明の特定の一実施形態を開示する図である。
【図６３Ａ−Ｅ】子宮から卵管内へのこのような精子の上昇に精子ポンプを使用する、本発明の特定の一実施形態を開示する図である。
【図６３Ａ−Ｅ】子宮から卵管内へのこのような精子の上昇に精子ポンプを使用する、本発明の特定の一実施形態を開示する図である。
【図６３Ａ−Ｅ】子宮から卵管内へのこのような精子の上昇に精子ポンプを使用する、本発明の特定の一実施形態を開示する図である。
【図６３Ａ−Ｅ】子宮から卵管内へのこのような精子の上昇に精子ポンプを使用する、本発明の特定の一実施形態を開示する図である。
【発明を実施するための形態】
【０１９６】
図面を参照すると、同様の参照番号は、いくつかの図面全体を通して同一または対応する要素を示している。
【０１９７】
図１Ａ、１Ｂおよび１Ｃは、装置がＢＯで示された卵管の壁面部に適用される場合の、本発明による一般的に設計された装置の操作の異なる段階を略図的に示している。装置は、ＣＳＤで示された、狭さくデバイスおよび刺激デバイスと、狭さくおよび刺激デバイスＣＳＤを制御するためのＣＤで示された制御デバイスとを備えている。図１Ａは、狭さくデバイスが卵管ＢＯを狭さくせず、刺激デバイスが卵管ＢＯを刺激しない、非作動状態の装置を示している。図１Ｂは、狭さくされた壁面部内の血液循環が実質的には制限されず、壁面部の卵管内の流れが制限される狭さく状態に、卵管ＢＯの壁面部を優しく狭さくするように制御デバイスＣＤが狭さくデバイスを制御する、狭さく状態の装置を示している。図１Ｃは、卵管ＢＯの壁面部のほぼ全体が卵管を収縮させ（厚くし）、これを閉じるように、制御デバイスＣＤが狭さくされた壁面部の異なる領域を刺激するように刺激デバイスを制御する、刺激状態の装置を示している。
【０１９８】
図１Ｄおよび１Ｅは、経時的に狭さくされた壁面部内に十分な血液循環を維持するために、壁面部の右側領域が刺激されていない間に壁面部の左側領域（図１Ｄ参照）が刺激されている第１の刺激モードと、壁面部の左側領域が刺激されていない間に壁面部の右側領域（図１Ｅ参照）が刺激されている第２の刺激モードの間で、狭さくされた壁面部の刺激をどのように循環的に変化させることができるかを示している。
【０１９９】
図１Ｄおよび１Ｅに示す刺激モードは、卵管ＢＯの狭さくされた壁面部をどのように刺激することができるかの原則的例を構成するだけであることに留意されたい。したがって、狭さくされた壁面部の３つ以上の異なる領域をサイクル内で同時に刺激する、または連続的に刺激することができる。また、狭さくされた壁面部の異なる領域のグループを連続的に刺激することができる。
【０２００】
図１Ｆ、１Ｇおよび１Ｈは、図１Ａ〜１Ｅに示す一般的実施形態の変更形態の操作の異なる状態を示しており、狭さくおよび刺激デバイスＣＳＤは、いくつかの個別の狭さく／刺激要素、ここでは３つの要素ＣＳＤＥ１、ＣＳＤＥ２およびＣＳＤＥ３を備えている。図１Ｆは、どのように第１の操作状態の要素ＣＳＤＥ１が作動されて、卵管ＢＯの卵管が閉じられるように卵管ＢＯを狭さくしたり刺激したりし、他の２つの要素ＣＳＤＥ２およびＣＳＤＥ３が停止されるかを示している。図１Ｇは、卵管ＢＯの卵管が閉じられるように、どのように次の第２の操作状態の要素ＣＳＤＥ２が作動され、他の２つの要素ＣＳＤＥ１およびＣＳＤＥ３が停止されるかを示している。図１Ｈは、卵管ＢＯの卵管が閉じられるように、次の第３の操作段階で要素ＣＳＤＥ３がどのように作動され、他の２つの要素ＣＳＤＥ１およびＣＳＤＥ２が停止されるかを示している。ランダムに、または所定の順序でのいずれかで、第１、第２および第３の操作状態間でシフトすることによって、卵管が閉じられたままにしながら、卵管の異なる部分を一時的に狭さくし、刺激することができ、それによって卵管が傷つけられる危険が最小限に抑えられる。また、卵管内で精子を移動させるように、卵管に沿って連続して要素ＣＳＤＥ１〜ＣＳＤＥ３を作動させることも可能である。
【０２０１】
図１Ｉ、１Ｋおよび１Ｌは、一般的実施形態の変更形態の代替操作形態を示している。したがって、図１Ｉは、どのように第１の操作状態の要素ＣＳＤＥ１が作動されて、卵管ＢＯが閉じられるように卵管ＢＯを狭さくしたり刺激したりし、要素ＣＳＤＥ２およびＣＳＤＥ３が卵管ＢＯと係合する場合に卵管ＢＯが完全に閉じられないように、他の２つの要素ＣＳＤＥ２およびＣＳＤＥ３が作動されて、卵管ＢＯを狭さくしないが、刺激することを示している。図１Ｋは、卵管ＢＯが閉じられるように、どのように次の第２の操作状態の要素ＣＳＤＥ２が作動され、要素ＣＳＤＥ１およびＣＳＤＥ３が卵管ＢＯと係合する場合に卵管ＢＯが完全に閉じられないように、他の２つの要素ＣＳＤＥ１およびＣＳＤＥ３が作動されて、器官ＢＯを狭さくしないが、刺激することを示している。図１Ｌは、どのように次の第３の操作状態の要素ＣＳＤＥ３が作動されて、卵管ＢＯが閉じられるように卵管ＢＯを狭さくしたり刺激したりし、要素ＣＳＤＥ１およびＣＳＤＥ２が卵管ＢＯと係合する場合に卵管ＢＯが完全に閉じられないように、他の２つの要素ＣＳＤＥ１およびＣＳＤＥ２が作動されて、卵管ＢＯを狭さくしないが、刺激することを示している。ランダムに、または所定の順序でのいずれかで、第１、第２および第３の操作状態間でシフトすることによって、卵管が閉じられたままにしながら、卵管の異なる部分を一時的に刺激することができ、それによって卵管が傷つけられる危険が少なくなる。また、卵管内で流体および／または他の身体物質を移動させるように、卵管ＢＯに沿って連続的に要素ＣＳＤＥ１〜ＣＳＤＥ３の刺激を活性化させることも可能である。
【０２０２】
図２〜４は、患者の卵管の卵管壁面によって形成される卵管内の精子の流れを制御するための、本発明による装置の一実施形態の基本的構成部品を示している。装置は、開口端部を備えた管状ハウジング１と、ハウジング１内に配置された狭さくデバイス２と、狭さくデバイス２内に一体化された刺激デバイス３と、狭さくデバイス２および刺激デバイス３を制御する制御デバイス４（図４に示す）とを備えている。狭さくデバイス２は、図３に示す収縮位置と図４のクランプ位置の間で互いに向かって、および互いから離れて管状ハウジング１内で径方向に移動可能である２つの細長いクランプ要素５、６を有する。刺激デバイス３は、クランプ要素５、６の一方上の電気素子７が他のクランプ要素上の電気素子７に面するように、クランプ要素５、６上に位置決めされた多数の電気素子７を備えている。したがって、本実施形態では、狭さくおよび刺激デバイスは狭さく／刺激ユニットを形成し、狭さくおよび刺激デバイスは単一片に一体化される。
【０２０３】
狭さくおよび刺激デバイスはまた、互いに離れていてもよい。この場合、互いに対して固定した配向で電気素子７を保持するための構造を提供することができる。別法では、電気素子７は、患者の卵管の壁面部に別に取り付けられた電極を備えることができる。
【０２０４】
図５Ａ〜５Ｃは、装置が患者の卵管の管状卵管壁面の部分８に適用された場合の、図２の装置の機能を原則的に示している。したがって、図５Ａは、クランプ要素５、６が収縮位置にあり、壁面部８がクランプ要素５、６によって狭さくされることなく、ハウジング１の開口端部を通して延びる、非クランプ状態の装置を示している。図５Ｂは、クランプ要素５、６がその収縮位置から、クランプ要素５、６が壁面部８を狭さくされた壁面部８内の血液循環が実質的には狭さくされず、壁面部８の卵管内の流れが制限される狭さく状態に優しく狭さくするクランプ位置に移動されるクランプ状態の装置を示している。図５Ｃは、クランプ要素５、６が壁面部８を狭さくし、刺激デバイス３の電気素子７が壁面部８の異なる部分を電気刺激し、それによって壁面部８が収縮し（厚くなり）、卵管を閉じる刺激状態の装置を示している。
【０２０５】
装置がその刺激状態にある場合、領域が傷つけられないようにするために、経時的に自然の身体性状を基本的に維持するような方法で、壁面部８の異なる領域を刺激することが重要である。したがって、制御デバイス４は、連続した期間の間、壁面部８の各領域を間欠的に刺激するように刺激デバイス３を制御し、各期間は経時的に領域内の十分な血液循環を維持するのに十分なだけ短い。さらに、制御デバイス４は、壁面部８の領域の刺激を制御し、それによって現在刺激されていない各領域は、再び刺激される前にほぼ通常の血液循環を回復させる。経時的に刺激の影響を維持するためには、すなわち、壁面部８を収縮させたままにすることによって卵管を閉じたままにするためには、制御デバイス４は、一度に領域の１つまたは複数を刺激するように、および経時的に１つの領域から別の領域まで刺激をシフトするように、刺激デバイス３を制御する。制御デバイス４は、例えば所定の刺激パターンにしたがって、管状壁面部８に沿って領域の刺激を循環的に伝播させるように刺激デバイス３を制御することができる。その刺激中に卵管壁面の所望の反応を達成するためには、制御デバイスは、壁面部８の刺激の強さを好ましくは循環的に変化させるように、刺激デバイスを制御することができる。
【０２０６】
図２〜４の実施形態では、電気素子７は、それぞれ図２に示すように、各細長いクランプ要素５および６に沿って長手方向に延びる一連の１４のグループの電気要素７を形成する。各グループの電気要素７の電気要素７は、クランプ要素５の上に一列で位置決めされ、それに対して横に延びる４つの電気素子７の第１の経路と、クランプ要素６上に一列で位置決めされ、それに対して横に延びる４つの電気素子７の第２の経路とを形成する。したがって、電気素子７の２つの経路は、患者の卵管の相互側に延びている。制御デバイス４は、患者の卵管の卵管内の流れと反対の方向、または別法では同じ方向に、一連のグループで電気素子７のグループを連続的に付勢するように刺激デバイス３を制御する。もちろん、電気素子７の各経路の電気素子７の数は、４より大きくてもまたは小さくてもよく、いくつかの平行列の電気素子７は、電気素子７の各経路を形成することができる。
【０２０７】
図６Ａ〜６Ｃは、管状ハウジング９と、収縮位置（図６Ａ参照）とクランプ位置（図６Ｂ参照）の間で、その中心軸に向かっておよびそこから離れるように、管状ハウジング９内で径方向に移動可能な３つの細長いクランプ要素１０ａ、１０ｂ、１０ｃを備えた、本発明の別の実施形態を示している。３つのクランプ要素１０ａ〜１０ｃは、ハウジング９の中心軸の周りに対称的に配置されている。本実施形態の刺激デバイスは、細長いクランプ要素１０ａ〜１０ｃに沿って長手方向に延びる一連のグループの素子を形成する電気素子１１ａ、１１ｂ、１１ｃを備えており、各グループの電気素子の電気素子１１ａ〜１１ｃは、ハウジング９の中心軸の周りに周方向に延びている３つの電気素子１１ａ、１１ｂおよび１１ｃの経路を形成する。各グループの３つの電気素子１１ａ〜１１ｃは、それぞれ３つのクランプ要素１０ａ〜１０ｃ上に位置決めされている。したがって、３つの電気素子１１ａ〜１１ｃは、患者の卵管の周りに延びている。もちろん、電気素子の各経路の電気素子１１ａ〜１１ｃの数は、４以上であってもよく、いくつかの平行列の電気素子１１ａ〜１１ｃは、電気素子の各経路を形成することができる。
【０２０８】
図７Ａおよび７Ｂは、装置のクランプ要素５、６が、器官１２の卵管１３内の流れを制限するように、患者の卵管１２の管状卵管壁面の部分を狭さくしながら、図２の装置によって行われる電気刺激モードの異なるステップを示している。簡潔にする目的で、狭さくデバイス２のクランプ要素５、６のみが、図７Ａ、７Ｂに示されている。したがって、図７Ａは、電気素子のグループのうちの付勢された電気素子７がどのように、卵管１３を収縮させ、これを閉じるように、管状壁面の第１の部分１４と第２の部分１５を電気刺激するかを示している。図７Ｂは、第１および第２の部分内のほぼ通常の血液循環を回復させるように、管状壁面の第１および第２の部分１４、１５の電気刺激が停止している間に、卵管１３を収縮させ、これを閉じるように、どのように他のグループの電気素子のうちの付勢された電気素子７が第１および第２の部分とは異なる管状壁面の第３の部分１６を電気刺激するかを示している。このように、狭さくされた管状壁面の電気刺激は、経時的に、管状壁面の一部分から別の部分までシフトされ、それによって狭さくされた管状壁面内の血液循環の再発回復を保証する。
【０２０９】
制御デバイス４は、電気二層パルス、すなわち組み合わされた正負パルスで電気素子７を付勢するように、刺激デバイス３を制御する。所望の刺激効果が、異なるパルス・パラメータを変更することによって達成される。したがって、制御デバイス４は、パルス振幅（電圧）、連続パルス間のオフ期間、パルス持続時間、およびパルス繰り返し周波数を変更するように、刺激デバイス３を制御する。パルス電流は、１から３０ｍＡの間であるべきである。神経刺激では、約５ｍＡのパルス電流、および約３００μｓのパルス持続時間が適切であり、約２０ｍＡのパルス電流、および約３０μｓのパルス持続時間が筋刺激には適切である。パルス繰り返し周波数は適切には、約１０Ｈｚである。例えば、図８Ａのパルス／時間図Ｐ／ｔに示すように、短い持続時間および高い振幅（電圧）の負パルスＰＳ、および負パルスの後の長い持続時間および低い振幅の正パルスＰＬを含むパルス組合せを循環的に繰り返して、このようなパルス組合せのパルス列を形成することができる。負パルスＰＳのエネルギー含量は、正パルスＰＬのエネルギー含量とほぼ等しくなるべきである。
【０２１０】
図８Ｂは、図８Ａに示す電気刺激の変更形態を示すパルス／時間図である。したがって、図８Ａのパルス組合せは、図８Ａのパルス組合せの正パルスＰＬと同時に現れる、高周波数／低振幅パルスの第１の比較的長いパルス列ＰＴＬ、および図８Ａに示すパルス組合せの負パルスＰＳと同時に現れる高周波数／低振幅の第２の比較的短いパルス列ＰＴＳを有するパルス列組合せと混合される。その結果、高周波数／低振幅パルス列ＰＴＬおよびＰＴＳは、図８Ｂに示すように、図８Ａの正負パルスＰＬおよびＰＳ上に重ね合わせられている。図８、およびその変更形態のパルス構成は、所望の刺激効果を達成するために、卵管の刺激と関連して使用することが有利である。
【０２１１】
電気パルスは、図９Ａ、９Ｂ、９Ｃおよび９Ｄのパルス／時間図Ｐ／ｔ内に示されているように、パルス列を形成することが好ましい。図９Ａのパルス／時間図Ｐ／ｔは、パルス列１８Ａで刺激される患者の卵管の壁面部の個別の領域を示している。パルス列１８Ａは、それぞれ短い持続時間および高い振幅（電圧）である３つの初期負パルス、および負パルスの後の長い持続時間および低振幅の１つの正パルスを含んでいる。卵管の領域がほぼ通常の血液循環を回復することを可能にするための遅延時間の後に、パルス列１８Ａが繰り返される。
【０２１２】
図９Ｂのパルス／時間図Ｐ／ｔは、パルス列１８Ａと同じ構成を有するパルス列１８Ｂで刺激される、壁面部の別の個別の領域を示している。パルス列１８Ａおよび１８Ｂは、互いに対してシフトされ、それによって必要に応じて収縮するように狭さくされた壁面部が常に刺激されることを保証するように、互いに部分的に重なり合う。
【０２１３】
図１０Ａおよび１０Ｂのパルス／時間図Ｐ／ｔは、それぞれ同じ構成を有する、循環的に繰り返されるパルス列１８Ｃおよび１８Ｄで刺激される、壁面部の２つの異なる領域を示している。各パルス列１８Ｃ、１８Ｄは、それぞれ短い持続時間および高い振幅（電圧）である２つの初期負パルス、および２つの負パルスの後の長い持続時間および低振幅の１つの正パルスを含んでいる。この場合、パルス列１８Ｃおよび１８Ｄは互いに対してシフトされ、それによって互いに重なり合わない。したがって、隣接するパルス列１８Ｃの間のオフ期間は、パルス列１８Ｄの持続時間より長く、隣接するパルス列１８Ｄの間のオフ期間は、パルス列１８Ｃの持続時間より長い。
【０２１４】
パルス列１８Ａ、１８Ｂ、１８Ｃおよび１８Ｄを、多くの異なる方法で構成することができる。したがって、制御デバイス４は、各パルス列の長さ、パルス列の繰り返し周波数、各パルス列のパルスの数、および／またはパルス列の間のオフ期間を変更するように、刺激デバイス２を制御することができる。典型的には、制御デバイス４は、その領域が再び電気パルスで刺激される前に、ちょうど刺激された領域内にほぼ通常の血液循環を回復させるのに十分長く続くように、パルス列間の各オフ期間を制御する。
【０２１５】
図１１Ａおよび１１Ｂは、２つのクランプ要素２０ａおよび２０ｂを備えた狭さくデバイスと、それぞれクランプ要素２０ａ、２０ｂ内に一体化された２つの熱刺激要素２１ａおよび２１ｂの形の刺激デバイスと、クランプ要素２０ａ、２０ｂおよび刺激要素２１ａ、２１ｂを制御する制御デバイス４とを備えた、卵管１９内の精子流れを制御する、本発明の別の実施形態を示している。クランプ要素２０ａおよび２０ｂは、図５Ａ〜５Ｃによる実施形態に関連して、上記と同じ方法で互いに向かって、および互いから離れるように移動可能である。ペルティエ要素を含むことができる、熱刺激要素２１ａおよび２１ｂは、クランプ要素２０ａ、２０ｂ上に位置決めされ、それによって熱要素２１ａは熱要素２１ｂに面している。図１１Ａは、精子流れが制限されるように、クランプ要素２０ａ、２０ｂがどのように卵管１９を狭さくするかを示している。図１１Ｂは、壁面が卵管１９を収縮させて、これを閉じるように、どのように制御デバイス４が熱刺激要素２１ａ、２１ｂを制御して卵管１９の壁面を冷却するかを示している。卵管１９を解放するために、制御デバイス４は、卵管１９の壁面を加熱するように熱刺激要素２１ａ、２１ｂを制御し、それによって壁面が拡張する。
【０２１６】
図１２Ａおよび１２Ｂは、上に記載した実施形態の狭さくデバイスを操作するのに適した油圧操作手段を示している。特に、図１２Ａおよび１２Ｂは、狭さくデバイス２の油圧操作のためのこのような手段を備えた、図２の装置を示している（刺激デバイスは図示されていない）。したがって、ハウジング１は、２つの油圧チャンバ２２ａおよび２２ｂを形成し、その中では２つのクランプ要素５、６は、患者の卵管の管状卵管壁面部８に対して前後にスライド可能である。油圧操作手段は、油圧流体を入れた弾性バルーンなどの拡張可能リザーバ２３と、リザーバ２３と油圧チャンバ２２ａ、２２ｂの間の導管２４ａおよび２４ｂと、導管２４ａ、２４ｂ内の油圧流体を汲み上げるための２方向ポンプ２５とを備えている。制御デバイス４は、リザーバ２３からチャンバ２２ａ、２２ｂに油圧流体を汲み上げて、クランプ要素５、６を壁面部８に対して移動させ、それによって壁面部８が制限されるように（図１２Ｂ参照）、チャンバ２２ａ、２２ｂからリザーバ２３に油圧流体を汲み上げて、クランプ要素５、６を壁面部８から離れるように移動させ、それによって管状壁面８が解放されるように（図１２Ａ参照）、ポンプ２５を制御する。
【０２１７】
別法では、拡張可能なリザーバ２３と油圧チャンバ２２ａ、２２ｂの間に油圧流体を分配させる適切な手動操作可能な油圧手段を適用することによって、図１２Ａおよび１２Ｂの実施形態を手動で操作することができる。この場合、ポンプ２５が省かれる。
【０２１８】
図１３Ａおよび１３Ｂは、患者の卵管の管状卵管壁面部８上に適用された開口端部管状ハウジング２６と、ハウジング２６内に配置された狭さくデバイス２７と、狭さくデバイス２７を制御するための制御デバイス４とを備えた、本発明の機械操作可能な実施形態を略図的に示している。上に記載したような刺激デバイス（図示せず）はまた、ハウジング２６内に設けられている。狭さくデバイス２７は、収縮位置（図１３Ａ参照）と、クランプ要素２８が管状壁面部８を優しく狭さくするクランプ位置（図１３Ｂ参照）の間で、管状壁面部８に向かって、およびこれから離れるように管状ハウジング２６内で径方向に移動可能なクランプ要素２８を備えている。クランプ要素２８を機械的に操作するための機械操作手段は、ハウジング２６に取り付けられた電気モータ２９と、モータ２９によって駆動され、クランプ要素２８に動作可能に接続された伸縮デバイス３０とを備えている。制御デバイス４は、伸縮デバイス３０を拡張させて、壁面部８に対してクランプ要素２８を移動させ、それによって管状壁面部８が狭さくされるように電気モータ２９を制御し（図１３Ｂ参照）、伸縮デバイス３０を収縮させて、壁面部８から離れるようにクランプ要素２８を移動させ、それによって壁面部８が解放されるようにモータ２９を制御する（図１３Ａ参照）。
【０２１９】
別法では、モータを省くことができ、伸縮デバイス３０を図１３Ｃに示すように、手動操作のために変更することができる。したがって、ばね３０ａを設けて、クランプ要素２８を壁面部８に対して押すように伸縮デバイス３０を拡張させたままにするように働くことができる。機械操作手段は、伸縮デバイス３０に動作可能に接続された、皮下に移植されたレバー機構２９ａを備えることができる。患者は、極細線で示すように、伸縮デバイス３０を伸縮デバイス３０の伸縮位置までばね３０ａの動作に対して引くように、レバー機構２９ａを患者の皮膚２９ｂを通して押すことができる。患者がレバー機構２９ａを解放する場合、ばね３０ａは伸縮デバイス３０を拡張させ、それによってクランプ要素２８は壁面部８に対して押される。
【０２２０】
図１３Ａ、１３Ｂおよび１３Ｃに関連して上に記載したような機械操作手段を、図１〜１１による実施形態で実施することもできる。
【０２２１】
図１４Ａは、患者の卵管上に適用された図２の実施形態を示している。狭さくデバイス２のクランプ要素５、６は、卵管３１を狭さくし、刺激デバイス３は卵管を閉じるように付勢される（簡潔にする目的で、ハウジングは図示されず、クランプ５、６は誇張されている）。本実施形態では、制御デバイスは、手持ち式無線リモート・コントロール３２の形の外部制御ユニットと、狭さくおよび刺激デバイスを制御するための、マイクロプロセッサを備えることができる移植された内部制御ユニット３３とを備えている。リモート・コントロール３２は、狭さくデバイスおよび／または刺激デバイスのスイッチを入れたり切ったりするために、内部制御ユニット３３を制御するように、患者によって操作可能である。しかし、別法では、リモート・コントロール３２を、「オン」と「オフ」の間で患者によって手動で切り換えられる、皮下に移植された押しボタンと交換することができる。患者が緊急または故障の場合に装置の操作を止めることが可能なように、このような手動操作可能な押しボタンを、緊急ボタンとしてリモート・コントロール３２と組み合わせて設けることもできる。
【０２２２】
内部制御ユニット３３は、クランプ要素５、６を移動させるように、移植された操作デバイス３４を制御する。充電式電池などの移植されたエネルギー源３５は、操作デバイス３４に動力を与える。皮下に、または腹部に移植することができる、内部制御ユニット３３はまた、エネルギー受信器として、すなわち無線エネルギーを電気エネルギーに変換し、電気エネルギーで移植されたエネルギー源３５（充電式電池）を充電するように働く。
【０２２３】
移植されたセンサ３６は、卵管内の圧力などの、患者の身体パラメータ、または卵管内の圧力に関連するパラメータを感知し、内部制御ユニット３３は、センサ３６からの信号に応じて、狭さくデバイス２および／または刺激デバイス３を制御する。本実施形態では、センサ３６は圧力センサであり、内部制御ユニット３３は、測定した所定の圧力値を感知する圧力センサ３６に応じて、患者の腸３１の狭さくを変更するように、狭さくデバイスおよび／または刺激デバイスを制御する。例えば、制御ユニット３３は、増加した圧力を感知する圧力センサに応じて、患者の卵管３１の狭さくを大きくするように、狭さくデバイスおよび／または刺激デバイスを制御する。別法では、または組み合わせて、リモート・コントロール３２は、内部制御ユニット３３と同じ方法で、センサ３６からの信号に応じて、狭さくデバイスおよび／または刺激デバイスを制御する。
【０２２４】
リモート・コントロール３２は、センサ３６からの信号に応じて、音声信号または表示された情報などの表示を生成する手段を備えることができる。閾値を超える増加した圧力を示すこのような表示によって患者の注意が払われる場合、患者は患者の卵管を通して卵巣に向けて精子を汲み上げるように狭さくデバイスおよび刺激デバイスを制御するためのリモート・コントロールを使用することができる。妊娠が達成されたい場合、または妊娠を防ぐために反対の方向に汲み上げる場合である。
【０２２５】
もちろん、図１４に示す狭さくデバイス２を、適用可能な場合、本発明の様々な実施形態に記載された狭さくデバイスの任意の１つと交換することができる。
【０２２６】
図１５〜１７は、２つの重なり合った端部３８、３９を備えた円形弾力性芯３７の形の細長い狭さく部材を有する、機械操作可能な狭さくデバイスを示している。芯３７は、ほぼ円形の制限開口部を画定し、解放された場合に、患者の卵管の管状卵管壁面の一部の周りにそのホース４０を備えた芯３７を適用することを可能にする、芯３７の解放可能および係止可能な継手４１を除いて、弾性のある軟質ホース４０内に囲まれている。これらの全ての要素の材料は、生体適合性であり、それによって患者の身体はこれらを拒絶しない。狭さく開口部の寸法を変更するように、芯３７の長手方向延長部を機械的に操作する操作デバイス４２は、芯３７の重なり合っている端部３８、３９と摩擦係合する駆動ホイール４３を備えている。駆動ホイール４３は、ホース４０内に置かれ、その間の摩擦係合を大きくするように、駆動ホイール４３に対して芯３７のそれぞれの端部３８、３９を押す２つの逆圧ローラ４５、４６を備えたホルダ４４上に支承されている。操作デバイスの電気モータ４７は、長い可撓性駆動シャフト４８を介して駆動ホイール４３に接続されており、シリコーン・ゴムの本体５０内の遠隔制御電源ユニット４９と共に成形されている。可撓性駆動シャフト４８の長さは、本体５０を患者の身体内の所望の位置、適切には腹部に置くことができるように選択することができる。
【０２２７】
電気モータ４７に動力を与えて、壁面部が狭さくされるように芯３７の直径を小さくするために駆動ホイール４３を一方向に旋回させるように、または壁面部が解放されるように、芯３７の直径を大きくするために駆動ホイール４３を反対方向に旋回させるように、電源ユニット４９を制御することができる。
【０２２８】
第１の代替形態によると、ラック・ギアを、芯３７の端部３８、３９の一方に形成することができ、駆動ホイール４３は、芯３７のもう一方の端部に接続され、ラック・ギアと噛み合っている駆動ギア・ホイールと交換することができる。
【０２２９】
第２の代替形態によると、操作デバイス４２は、ウォーム駆動ホース・クランプとして設計することができる、すなわち、芯２７の端部３８、３９の一方は、ねじ山を備えることができ、芯３７のもう一方の端部はウォームを備えることができ、そのねじ山は芯３７の一端部のねじ山と相互作用する。このようなウォームのねじ山はまた、芯３７の両方の端部３８、３９に設けられたねじ山と相互作用することができる。この代替形態では、電気モータ４７は、壁面部が狭さくされるように、芯３７の直径を小さくするために一方向にウォームを旋回させる、または壁面部が狭さくされるように芯３７の直径を小さくするために壁面部が一方向に解放されるように、芯３７の直径を大きくするためにウォームを反対方向に旋回させる、または壁面部が解放されるように、芯３７の直径を大きくするためにクランプねじを反対方向に旋回させる。
【０２３０】
図１８は、モータ４７がホース４０内に入れられ、それによって芯３７に固定され、短い駆動シャフト５１を有し、駆動シャフト５１が円形芯３７に対してほぼ接線方向に延びるようにモータ４７が芯３７に対して位置決めされていることを除いて、図１５〜１７の実施形態と同一の狭さくデバイスを示している。駆動シャフト５１を駆動ホイール４３に接続させる角度歯車装置５２がある。
【０２３１】
図１９は、芯３７の一端部に固定された第１のクランプ部材５３と、芯３７のもう一端部３９に固定された第２のクランプ部材５４とを備えた、図１８の実施形態のモータ４７に対する適切な代替配置を示している。モータ４７は、第１のクランプ部材５３に固定され、歯車伝動装置５６を介してウォーム・ギア５５に動作可能に接続されている。ウォーム・ギア５５は、それぞれクランプ部材５３およびモータ４７にしっかり固定された、ホルダ５７および５８上にその両端部で支承されている。第２のクランプ部材５４は、ウォーム・ギア５５と噛み合っているピニオンを有する。モータ４７に動力が与えられた場合、ウォーム・ギア５５は回転し、それによって芯３７の端部３９を一長手方向または反対の長手方向に引き、それによってほぼ円形の芯３７の直径は大きくなるかまたは小さくなるかのいずれかである。モータ４７、ウォーム・ギア５５、歯車伝動装置５６、および第２のクランプ部材５４は、長いストロークを有する移動要素に作用する弱い力を、短いストロークを有する別の移動要素に作用する強い力に変換するタイプのサーボ・システムを構成する。
【０２３２】
図２０は、カメラの従来の調節可能な絞り機構のように配置された複数のアーチ状薄板を含む狭さくデバイスを示している。モータ６０は、薄板５９によって画定された狭さく開口部の寸法を変更するように、薄板５９を操作する。
【０２３３】
図２１〜２３は、半円形要素６１、６２が、図２２に示すように円形を実質的に形成する全開状態と、半円形要素６１、６２によって画定された狭さく開口部の寸法が図２３に示すように小さくされる角度状態の間で、互いに対して揺動可能であるように、互いにヒンジ付けされた２つの半円形要素６１および６２を備えた狭さくデバイスを示している。モータ６３は、互いに対して揺動させるように、半円形要素６１、６２を操作する。
【０２３４】
図２４〜２６は、円形を形成し、ほぼ楕円形の断面を有する弾力性ベルト６４を備えた狭さくデバイスを示している。モータ６７は、ベルト６４の内側のより幅広い側が図２５に示すようにほぼ円筒形の表面を形成する全開状態と、ベルト６４の内側のより幅広い側が図２６に示すようにほぼ円錐形の表面を形成する小さな開口状態の間で、その長手方向延長部の周りで旋回するようにベルト６４を操作する。
【０２３５】
図２７は、患者の器官の管状卵管壁面７０の一部の反対側に位置決めされた２つの剛性のある連節クランプ要素６９を有する狭さくデバイス６８を示している。操作デバイス７１は、クランプ要素６９の間で壁面部７０を狭さくし、それによって壁面部を収縮させるように互いに向かってクランプ要素６９を旋回させ、壁面部をクランプ要素６９から解放するように、クランプ要素６９を互いから離れるように旋回させる。
【０２３６】
図２８および２９は、患者の卵管の管状卵管壁面３０４の一部に沿って一列に、互いに対して変位され、管状壁面部３０４の反対側に交互に位置決めされた、３つの屈曲部材３０１、３０２および３０３を有する狭さくデバイス３００を備えた、本発明の装置の一実施形態を示している（別法では、各部材３０１、３０２および３０３は、砂時計の形状をとることができる）。操作デバイス（図示せず）は、２つの外側部材３０１、３０３を管状壁面３０４に対して一方向に横方向に移動させ、管状壁面３０４を屈曲させるように、中間部材３０２を管状壁面３０４に対して反対方向に移動させ、それによって図２９に示すように、管状壁面部３０４を狭さくする。壁面部３０４を解放するために、操作デバイスは、部材３０１〜３０３を、図２８に示す位置に管状壁面部３０４から離れるように移動させる。
【０２３７】
図３０Ａおよび３０Ｂは、油圧流体を入れた調節可能リザーバ７４と流体連通している、拡張可能／収縮可能キャビティ７３を有するバンド７２の形の油圧操作可能な細長い狭さくデバイスを示している。図３０Ａは、バンドが非狭さく状態にある場合を示しており、図３０Ｂは、キャビティ７３がリザーバ７４によって供給される油圧流体によって拡張される、狭さく状態にバンドがある場合を示している。
【０２３８】
図３１Ａ、３１Ｂ、３１Ｃおよび３１Ｄは、４つの異なるように操作された油圧狭さくデバイスのブロック図である。図３１Ａは、図３０Ａのバンド７２を示しており、そのキャビティ７３はリザーバ７５と流体連通している。図３１Ｂは、図３０Ａの実施形態を示しており、バンド７２のキャビティ７３は、２方向ポンプ７６の形の操作デバイスを介してリザーバ７４と流体連通している。図３１Ｃは、第２のシステムを制御する第１の閉じられたシステムを備えた反転・システムの形の操作デバイスを示している。反転・システムは、調節可能な流体供給リザーバ７７、および調節可能なサーボ・リザーバ７８を備えている。サーボ・リザーバ７８は、患者の卵管の管状卵管壁面の部分の周りに付けられたバンド７２と関連して、バンド７２のキャビティ７３の容量を変更し、その後、壁面部の狭さくを変更する、より大きな調節可能なリザーバ７９を制御する。図３１Ｄは、より大きなリザーバ７９が省かれていることを除いて、図３１Ｃの実施形態と同一の実施形態を示している。代わりに、サーボ・リザーバ７８は、バンド７２のキャビティと流体連通している。
【０２３９】
図１２Ａから３０Ｂによる上記実施形態全てでは、狭さく／刺激ユニットを形成するための刺激デバイスを設けることができ、刺激デバイスは、狭さくデバイス上に位置決めされた多数の電気素子７（図１２Ａ〜１５、１８、２０〜２３、２６〜３１Ｂに示す）を備えている。
【０２４０】
図３２は、その寸法が遠隔制御電気モータ８２を備えた操作デバイスによって変更可能である、チャンバ８１を画定する蛇腹リザーバ８０を備えた流体供給デバイスの断面図である。リザーバ８０およびモータ８２は、ハウジング８３内に置かれている。大きな壁面８４を移動させることにより、チャンバ８１が変わる。壁面８４は、回転可能なスピンドル８６上にねじ切られたナット８５に固定されている。スピンドル８６は、モータ８２によって回転される。ハウジング８３内に置かれた電池８９は、モータ８２に動力を与える。モータ８２を制御する信号受信器９０はまた、ハウジング８３内に置かれる。別の方法では、電池８９および信号受信器９０を別の位置に取り付けることができる。モータ８２はまた、伝送された信号から変換されたエネルギーで動力を与えることができる。
【０２４１】
適用可能な場合、図３２の流体供給デバイスを使用して、本明細書に記載された狭さくデバイスの操作のために油圧流体を供給することができる。例えば、図３２の流体供給デバイスを、図３０Ａによる実施形態でリザーバ７４に置き換えることができる。
【０２４２】
図３３Ａおよび３３Ｂは、矩形ハウジング９１、およびハウジング９１内で移動可能である中間壁面９２を備えた反転を示している。比較的大きな、ほぼ円筒形の蛇腹リザーバ９３は、ハウジング９１内に配置されており、移動可能な中間壁面９２に結合されている。リザーバ９３より実質的に小さい別の円筒形蛇腹リザーバ９４は、中間壁面９２の他の側部でハウジング９１内に配置されており、また壁面９２に結合される。小さい蛇腹リザーバ９４は、流体供給パイプ９５を有し、大きな蛇腹リザーバ９３は流体供給パイプ９６を有する。
【０２４３】
図３３Ａを参照すると、少量の油圧流体が小さな蛇腹リザーバ９４内に供給パイプ９５を通して案内される場合、小さな蛇腹リザーバ９４は拡張し、移動可能な中間壁面９２を大きな蛇腹リザーバ９３に向かって押す。その結果、大きな蛇腹リザーバ９３は、中間壁面９２によって収縮され、それによって大量の油圧流体は、図３３Ｂに示すように、供給パイプ９６を通して大きな蛇腹リザーバ９３から押し出される。
【０２４４】
例えば、図３３Ａおよび３３Ｂの反転は図３１Ｃの実施形態で使用することができ、小さな蛇腹リザーバ９４は、小さなサーボ・リザーバ７８に対応しており、大きな蛇腹リザーバ９３は大きなリザーバ７９に対応している。また、図３３Ａおよび３３Ｂの逆リザーバを、図３０Ａおよび３０Ｂの実施形態で使用することができ、小さな蛇腹リザーバ９４は調節可能なリザーバ７４に接続され、大きな蛇腹リザーバ９３はバンド７２のキャビティ７３に接続されている。
【０２４５】
図３４は、油圧システムが異なるように設計されていることを除いて、図３０Ａに示す実施形態と同様である、本発明の装置の油圧操作可能な狭さくデバイス９７を略図的に示している。したがって、狭さくデバイス９７は、油圧流体を入れたリザーバ９９に流体連通している比較的小さな膨張可能キャビティ９８と、小さなキャビティ９８によって変位可能である比較的大きなキャビティ１００とを備えている。小さなキャビティ９８は、小さなキャビティ９８が膨張された場合に、患者の管状壁面部を狭さくするために大きなキャビティ１００を変位させ、小さなキャビティ９８が収縮された場合に、壁面部を解放するために大きなキャビティ１００を変位させるようになっている。したがって、リザーバ９９から小さなキャビティ９８への油圧流体の比較的小さな添加により、壁面部の狭さくの比較的大きな増加を引き起こす。
【０２４６】
大きなキャビティ１００は、大きなキャビティ１００の容量のキャリブレーションのために、注入ポート（図示せず）に接続させることができる、大きなバルーン１０１の形の収縮要素によって画定される。注射器の助けを借りて流体を注入ポートに加える、または流体を注入ポートから引き抜くことにより、バルーン１０１の容量がキャリブレーションされる。小さなキャビティ９８は、狭さくデバイス９７の環状フレーム１０３に取り付けられた小さな蛇腹１０２によって画定され、反対端部でバルーン１０１に取り付けられている。
【０２４７】
図３５Ａおよび３５Ｂは、環状フレーム１０３が患者の器官の管状壁面部の周りに付けられている場合の、狭さくデバイス９７の操作を略図的に示している。図３５Ａを参照すると、小さなキャビティ９８が収縮された場合、蛇腹１０２はバルーン１０１を環状フレーム１０３内に内側に引き、それによって狭さくデバイス９７は壁面部を狭さくする。図３５Ｂを参照すると、小さなキャビティ９８が膨張された場合、蛇腹１０２は環状フレーム１０３からバルーン１０１を引き、それによって狭さくデバイス９７が壁面部を解放する。
【０２４８】
上に記載したように、狭さくデバイスおよび刺激デバイスは、患者の卵管内で精子を活動的に移動させるように協働することができる。これは、図２に示す狭さく／刺激ユニットを使用して達成することができる。したがって、第１の協働選択肢によると、狭さくデバイスのクランプ要素５、６は、卵管を完全に閉じることなく壁面部８を狭さくし、それによって卵管内の流れが制限され、制御デバイス４は、卵管の下流側または上流側方向に狭さくされた壁面部を次第に刺激して、壁面部８を次第に収縮させて、卵管内で精子を移動させるように電気素子７を制御する。
【０２４９】
第２の協働選択肢によると、狭さくデバイスは、卵管内の流れが制限されるように壁面部を狭さくし、制御デバイス４は、狭さくされた壁面部８を刺激して、壁面部８の上流端部または下流端部のいずれかで卵管を閉じるように、細長いクランプ要素５、６の一端部でいくつかの電気素子７を制御する。卵管がこのように閉じられた状態で、制御デバイス４は、壁面部の狭さくを大きくするように狭さくデバイスを制御し、それによって卵管内の精子は、壁面部８の下流側または上流側に移動される。
【０２５０】
第２の協働選択肢を行うための本発明の別の実施形態では、狭さくデバイスは壁面部を狭さくし、それによって卵管内の流れが制限され、壁面部が卵管の下流側または上流側方向に次第に狭さくされるように、狭さくデバイスが壁面部の異なる領域の狭さくを変えながら、狭さくされた壁面部を刺激するように制御デバイス４が刺激デバイスを制御する。図３６Ａ〜３６Ｅは、その相互側に壁面部８の長さと当接する凸状表面１０７、１０８を有する２つの細長い狭さく要素１０５、１０６と、凸状表面１０７、１０８上に位置決めされた多数の電気素子７（電極など）と備えた狭さくデバイス１０４を含む、このような代替実施形態の異なる操作段階を示している。制御デバイス４は、狭さくデバイス１０４の操作中に電気素子７を制御し、狭さく要素１０５、１０６が図３６Ａから３６Ｄから分かるように、壁面部８を次第に狭さくするように、管状壁面部８に対して移動するように細長い狭さく要素１０５、１０６を制御する。
【０２５１】
したがって、図３６Ａに示す狭さく要素１０５、１０６の初期位置では、壁面部は狭さく要素１０５、１０６によって狭さくされず、電気素子７は付勢されない。この初期位置から始まり、制御デバイス４は、壁面部８に接触する電気素子７が後者に接触するように、電気素子７を付勢しながら、管状壁面部８を狭さくするように（図３６Ｂ参照）壁面部に向かって（矢印で示す）狭さく要素１０５、１０６の左側端部を揺動させるように、狭さく要素１０５、１０６を制御する。図３６Ｃは、どのように卵管が厚くなった壁面部８によって完全に閉じられているかを示している。その後、図３６Ｃに示すように、制御デバイス４は、狭さく要素１０５、１０６の凸状表面１０７、１０８がその間で収縮された壁面部８で互いの上を転動しながら（図３６Ｄ参照）、その右側端部が互いに向かって（矢印で示す）移動するように、狭さく要素１０５、１０６が移動するように制御する。その結果、器官の卵管内の精子は、右側に（白い矢印で示す）押される。狭さく要素１０５、１０６が図３６Ｅに示す位置まで互いの上で転動された場合、制御デバイス４は、互いから離れるように（図３６Ｅの矢印によって示す）図３６Ａに示す初期位置まで移動するように、狭さく要素１０５、１０６の右側端部を制御する。図３６Ａから３６Ｅまでにより記載された操作段階を、所望量の精子が蠕動的に器官の卵管内で移動されるまで、数回循環的に繰り返すことができる。
【０２５２】
別法では、狭さく要素１０５、１０６の一方だけが凸状表面を備えることができるが、他の狭さく要素は壁面部に当接する平面表面を有する。また、患者の骨に対して器官の管状部８を押す凸状表面を備えた単一の狭さく要素を使用することが可能である。
【０２５３】
図３６Ａから３６Ｅによる実施形態では、制御デバイス４は、狭さくされた壁面部８を次第に刺激して、狭さく要素１０５、１０６の凸状表面１０７、１０８が互いの上を転動しているときに、細長い狭さく要素１０５、１０６の移動と調和して次第に収縮させるように、電気素子７を制御することができる。図３７は、患者に移植された装置のエネルギー消費構成部品にエネルギーが伝送された、本発明の装置の一般的実施形態を略図的に示している。図３７の装置は、患者の管状卵管壁面の一部を優しく狭さくするように、および狭さくされた部分の異なる領域を刺激して、壁面部を収縮させるように操作可能である、移植された狭さく／刺激ユニット１１０を備えている。狭さく／刺激ユニット１１０の狭さくデバイスは、可逆機能を行うこと、すなわち壁面部を狭さくするおよび解放することが可能である。エネルギー源１１１は、電源ライン１１２を介してエネルギーを狭さく／刺激ユニット１１０のエネルギー消費構成部品に供給するようになっている。エネルギー源からエネルギー供給をオンまたはオフに切り換えるために患者によって操作可能な無線リモート・コントロール、または皮下移植スイッチを設けることができる。エネルギー源は、移植可能な永久または充電式電池であってもよく、または患者によって直接操作可能である、または無線エネルギーを狭さく／刺激ユニットのエネルギー消費構成部品に伝送するように患者によって操作可能なリモート・コントロールによって制御することができる、外部エネルギー伝送デバイス内に含めることができる。別法では、エネルギー源は、移植可能な充電式電池、外部エネルギー伝送デバイス、および移植可能な充電式電池の充電のために外部エネルギー伝送デバイスによって伝送された無線エネルギーを電気エネルギーに変換するための移植可能なエネルギー変換デバイスの組合せを備えることができる。図３８は、いくつかの部品が患者内に移植され、他の部品が患者の身体の外側に置かれている、図３７の一般的実施形態の特別な実施形態を示している。したがって、図３８では、患者の皮膚１０９の右側に置かれた全ての部品が移植され、皮膚１０９の左側に置かれた全ての部品が、患者の身体の外側に置かれている。装置の移植されたエネルギー変換デバイス１１１Ａは、電源ライン１１２を介してエネルギーを狭さく／刺激ユニット１１０のエネルギー消費構成部品に供給するようになっている。装置の外部エネルギー伝送デバイス１１３は、移植されたエネルギー変換デバイス１１１Ａ内に組み込まれた信号受信器によって受けられる、無線信号を伝送する無線リモート・コントロールを備えている。移植されたエネルギー変換デバイス１１１Ａは、電源ライン１１２を介して狭さく／刺激ユニット１１０に供給される、電気エネルギーに信号からのエネルギーを変換する。
【０２５４】
図３８の装置はまた、装置のエネルギー消費移植構成部品を付勢するための移植された充電式電池を備えることができる。この場合、移植されたエネルギー変換デバイス１１１Ａはまた、エネルギー変換デバイスが信号からのエネルギーを電気エネルギーに変換するときに、電気エネルギーで電池を充電する。
【０２５５】
マイクロプロセッサなどの、電気スイッチ１１４の形の逆転デバイスは、狭さく／刺激ユニット１１０の狭さくデバイスを逆転させるために、患者に移植される。外部エネルギー伝送デバイス１１３の無線リモート・コントロールは、エネルギーを搬送する無線信号を伝送し、移植されたエネルギー変換デバイス１１１Ａは、スイッチ１１４を操作するために、無線エネルギーを電流に変換する。電流の極性がエネルギー変換デバイス１１１Ａによってシフトされると、スイッチ１１４は、狭さく／刺激ユニット１１０の狭さくデバイスによって行われる機能を逆転させる。
【０２５６】
図３９は、エネルギー変換デバイス１１１Ａ、狭さく／刺激ユニット１１０、および狭さく／刺激ユニット１１０の狭さくデバイスを操作するための、モータ１１５の形の移植された操作デバイスを備えた、本発明の一実施形態を示している。モータ１１５は、外部エネルギー伝送デバイス１１３のリモート・コントロールがエネルギー変換デバイス１１１Ａの受信器に無線信号を伝送するときに、エネルギー変換デバイス１１１Ａからのエネルギーで動力が与えられる。
【０２５７】
図４０は、エネルギー変換デバイス１１１Ａ、狭さく／刺激ユニット１１０、およびモータ／ポンプ・ユニット１１７および流体リザーバ１１８を含む移植されたアセンブリ１１６を備えた、本発明の一実施形態を示している。この場合、狭さく／刺激ユニット１１０の狭さくデバイスは、油圧操作される、すなわち、油圧流体は壁面部を狭さくするように、モータ／ポンプ・ユニット１１７によってリザーバ１１８から狭さく／刺激ユニット１１０まで汲み上げられ、油圧流体は壁面部を解放するように、モータ／ポンプ・ユニット１１７によって狭さく／刺激ユニット１１０からリザーバ１１８に汲み戻される。移植されたエネルギー変換デバイス１１１Ａは、モータ／ポンプ・ユニット１１７に動力を与えるように、無線エネルギーを電流に変換する。
【０２５８】
図４１は、必要に応じてモータ１１５を逆転させるように制御ユニット１２２を制御する外部エネルギー伝送デバイス１１３と、その狭さくデバイスが油圧操作された狭さく／刺激ユニット１１０と、移植されたエネルギー変換デバイス１１１Ａとを備え、移植された油圧流体リザーバ１１９と、移植されたモータ／ポンプ・ユニット１２０と、油圧弁シフト・デバイス１２１の形の移植された逆転デバイスと、別個の外部無線リモート・コントロール１１１Ｂとをさらに備えた、本発明の一実施形態を示している。モータ／ポンプ・ユニット１２０のモータは電気モータである。外部エネルギー伝送デバイス１１３の無線リモート・コントロールからの制御信号に応じて、移植されたエネルギー変換デバイス１１１Ａは、制御信号によって運ばれるエネルギーからのエネルギーでモータ／ポンプ・ユニット１２０に動力を与え、それによってモータ／ポンプ・ユニット１２０は、リザーバ１１９と狭さく／刺激ユニット１１０の狭さくデバイスの間に油圧流体を分配する。リモート・コントロール１１１Ｂは、壁面部を狭さくするように流体が、モータ／ポンプ・ユニット１２０によってリザーバ１１９から狭さく／刺激ユニット１１０の狭さくデバイスまで汲み上げられる１つの方向と、壁面部を解放するように、流体がモータ／ポンプ・ユニット１２０によって狭さく／刺激ユニット１１０の狭さくデバイスからリザーバ１１９まで汲み戻される別の反対方向の間で油圧流体流方向をシフトするようにシフト・デバイス１２１を制御する。
【０２５９】
図４２は、エネルギー変換デバイス１１１Ａおよび狭さく／刺激ユニット１１０を備えた、本発明の一実施形態を示している。制御ユニット１２２、蓄電池１２３およびコンデンサ１２４はまた、患者内に移植されている。別個の外部無線リモート・コントロール１１１Ｂは、制御ユニット１２２を制御する。制御ユニット１２２は、エネルギーを狭さく／刺激ユニット１１０に供給する、蓄電池１２３内に電気エネルギーを貯蔵するように、エネルギー変換デバイス１１１Ａを制御する。無線リモート・コントロール１１１Ｂからの制御信号に応じて、制御ユニット１２２は、蓄電池１２３からの電気エネルギーを解放し、解放されたエネルギーを電源ラインを介して伝送する、または狭さく／刺激ユニット１１０の操作のために、電流を安定化させる、コンデンサ１２４を介してエネルギー変換デバイス１１１Ａからの電気エネルギーを直接伝送する。
【０２６０】
一代替形態によると、図４２の実施形態ではコンデンサ１２４を省くことができる。別の代替形態によると、本実施形態の蓄電池１２３を省くことができる。
【０２６１】
図４３は、エネルギー変換デバイス１１１Ａ、狭さく／刺激ユニット１１０を備えた、本発明の一実施形態を示している。狭さく／刺激ユニット１１０の操作のためにエネルギーを供給するための電池１２５、および狭さく／刺激ユニット１１０の操作を切り換えるための電気スイッチ１２６はまた、患者に移植されている。スイッチ１２６は、電池１２５が使用されていないオフ・モードから、電池１２５が狭さく／刺激ユニット１１０の操作のためにエネルギーを供給するオン・モードに切り換えるように、エネルギー変換デバイス１１１Ａによって供給されたエネルギーによって操作される。
【０２６２】
図４４は、制御ユニット１２２がまた患者内に移植されていることを除いて、図４３と同一の本発明の一実施形態を示している。別個の外部無線リモート・コントロール１１１Ｂは、制御ユニット１２２を制御する。この場合、スイッチ１２６は、無線リモート・コントロール１１１Ｂが制御ユニット１２２を制御しないようにされ、電池１２５が使用されていないオフ・モードから、リモート・コントロール１１１Ｂが、狭さく／刺激ユニット１１０の操作のために、電池１２５から電気エネルギーを解放するように制御ユニット１２２を制御することが可能である待機モードに切り換えるために、エネルギー変換デバイス１１１Ａによって供給されたエネルギーによって操作される。
【０２６３】
図４５は、蓄電池１２３が電池１２５に置き換えられ、移植された構成部品が異なるように相互接続されていることを除いて、図４４と同一の本発明の一実施形態を示している。この場合、蓄電池１２３は、エネルギー変換デバイス１１１Ａからエネルギーを貯蔵する。無線リモート・コントロール１１１Ｂからの制御信号に応じて、移植された制御ユニット１２２は、蓄電池１２３が使用されていないオフ・モードから、蓄電池１２３が狭さく／刺激ユニット１１０の操作のためにエネルギーを供給するオン・モードに切り換えるように、スイッチ１２６を制御する。
【０２６４】
図４６は、電池１２５がまた患者内に移植されており、移植された構成部品が異なるように相互接続していることを除いて、図４５と同一の本発明の一実施形態を示している。無線リモート・コントロール１１１Ｂからの制御信号に応じて、移植された制御ユニット１２２は、電池１２５が使用されていないオフ・モードから電池１２５が狭さく／刺激ユニット１１０の操作のために電気エネルギーを供給するオン・モードに切り換えるように、スイッチ１２６を操作するためにエネルギーを運ぶように、コンデンサであってもよい蓄電池１２３を制御する。
【０２６５】
別法では、スイッチ１２６は、無線リモート・コントロール１１１Ｂが、電気エネルギーを供給するように電池１２５を制御しないようにされ、電池１２５が使用されていないオフ・モードから、無線リモート・コントロール１１１Ｂが狭さく／刺激ユニット１１０の操作のために、電気エネルギーを供給するように電池１２５を制御することが可能である待機モードに切り換えるように、蓄電池１２３によって供給されたエネルギーによって操作することができる。
【０２６６】
図４７は、モータ１１５、ギアボックス１２７の形の機械的逆転デバイス、およびギアボックス１２７を制御する制御ユニット１２２がまた、患者内に移植されていることを除いて、図４３と同一の本発明の一実施形態を示している。別個の外部無線リモート・コントロール１１１Ｂは、狭さく／刺激ユニット１１０の狭さくデバイス（機械的に操作された）によって行われる機能を逆転させるようにギアボックス１２７を制御するために、移植された制御ユニット１２２を制御する。
【０２６７】
図４８は、移植された構成部品が異なるように相互接続されていることを除いて、図４６と同一の本発明の一実施形態を示している。したがって、この場合、蓄電池１２３、適切にはコンデンサがオン・モードに切り換えるためにスイッチ１２６を作動させる場合に、電池１２５が制御ユニット１２２に動力を与える。スイッチ１２６がオン・モードにある場合、制御ユニット１２２は、狭さく／刺激ユニット１１０の操作のために、エネルギーを供給する、または供給しないように、電池１２５を制御することが可能である。
【０２６８】
図４９は、モータ１１５を狭さく／刺激ユニット１１０に接続させるギアボックス１２７、およびモータ１１５に動力を与えるようにエネルギー変換デバイス１１１Ａを制御する制御ユニット１２２がまた患者に移植されていることを除いて、図３９と同一の本発明の一実施形態を示している。必要に応じてモータ１１５を逆転させるように、制御ユニット１２２を制御する別個の外部無線リモート・コントロール１１１Ｂがある。
【０２６９】
任意選択では、図４２に示す蓄電池１２３を、図４９の実施形態に設けることができ、移植された制御ユニット１２２は、蓄電池１２３内に変換されたエネルギーを貯蔵するように、エネルギー変換デバイス１１１Ａを制御する。無線リモート・コントロール１１１Ｂからの制御信号に応じて、制御ユニット１２２は、狭さく／刺激ユニット１１０の操作のためにエネルギーを供給するように蓄電池１２３を制御する。
【０２７０】
当業者は、図３８〜４９による上記様々な実施形態を多くの異なる方法で組み合わせることができることが分かるだろう。例えば、エネルギー操作スイッチ１１４を、図３９、４２〜４９の実施形態のいずれかに組み込むことができ、油圧シフト・デバイス１２１を図４０の実施形態に組み込むことができ、ギアボックス１２７を図３９の実施形態に組み込むことができる。スイッチ１１４は、電子構成部品、例えば切り換えのために設計されたマイクロプロセッサ、またはＦＧＰＡ（フィールド・プログラマブル・ゲート・アレイ）を備えたタイプであってもよい。しかし、別法では、エネルギー操作スイッチ１１４は、「オン」と「オフ」の間で患者によって手動で切り換えられる皮下移植押しボタンに置き換えることができる。
【０２７１】
別法では、永久または充電式電池は、図３８〜４９に示す実施形態のエネルギー変換デバイス１１１Ａに置き換えることができる。
【０２７２】
図５０は、図３７〜４９による上記実施形態のいずれかで使用するための、電気接合素子１２８の形のエネルギー変換デバイスを示している。素子１２８は、互いに挟まれたｐ型半導体層１２９およびｎ型半導体層１３０を含む平面ｐ−ｎ接合素子である。電球１３１は、生成された電流がどのように得られるかを示すように、素子１２８の反対側に電気接続されている。このようなｐ−ｎ接合素子１２８からの電流の出力は、温度に相関している。以下の式を参照のこと。
Ｉ＝Ｉ０（ｅｘｐ（ｑＶ／ｋＴ）−１）
式中、Ｉは外部電流流れであり、Ｉ０は逆飽和電流であり、ｑは１．６０２×１０〜１９クーロンの基礎電荷であり、Ｖは付加電圧であり、ｋはボルツマン定数であり、Ｔは絶対温度である。
【０２７３】
大きな負の付加電圧（逆バイアス）で、指数項は、１．０と比べてごく僅かとなり、Ｉはほぼ−Ｉ０である。Ｉ０は、接合の温度に強く依存しており、したがって真性キャリア濃度に強く依存している。Ｉ０は、より大きなバンドギャップのものより小さなバンドギャップの材料で大きい。ダイオードの整流作用、すなわち１つの方向のみへの電流流れの制限は、この特定の実施形態では、ｐ−ｎ接合素子１２８の操作に重要である。
【０２７４】
ｐ−ｎ接合素子を設計する代替方法は、それぞれの実施形態で利用されるエネルギーの種類を吸収しない支持材料の上に半導体の薄層を被着させることである。光波に関して無線伝送されたエネルギーを使用するために、ガラスは適切な材料である可能性がある。半導体層内で、これに限定されないが、テルル化カドミウム、銅インジウム・ジセレナイド、およびケイ素などの様々な材料を使用することができる。効率をよくするために、ｐおよびｎ型材料のいくつかの層を備えた多層構造を使用することも可能である。
【０２７５】
ｐ−ｎ接合素子１２８によって生成される電気エネルギーは、太陽電池によって生成されるのと同じタイプであってもよく、負および正の場が直流を作り出す。別法では、負および正の半導体層は、伝送された波の後に極性を変えることができ、それによって交流が生成される。
【０２７６】
ｐ−ｎ接合素子１２８は、移植に適したようになるように設計されている。したがって、人間の身体に接触している素子１２８の外部表面は全て、生体適合性材料で作られている。ｐ−ｎ接合半導体は、１μＡより大きいべきである電流出力が、上に示すようにこのような温度にかなり依存しているので、３７℃の体温で最適に動作するように設計されている。皮膚および皮下組織は両方ともエネルギーを吸収するので、素子１２８の感度または作業領域と、無線エネルギー伝送の強度または強さの間の関係が考えられる。ｐ−ｎ接合素子１２８は、平らで小さく設計されていることが好ましい。別法では、素子１２８がより大きな寸法にされる場合、患者の身体移動に適合するために可撓性があるべきである。素子１２８の容量は、２０００ｃｍ3より小さく保持されるべきである。
【０２７７】
図５１は、狭さく／刺激ユニット１１０を制御するための、本発明の装置の遠隔制御の基本的部品を示している。この場合、狭さく／刺激ユニットの刺激デバイスは電気パルスで壁面部を刺激する。遠隔制御は、患者の皮膚１３２を通して、しばしば約１００ｋＨｚ〜１ｇＨｚの高周波数の電磁波信号の無線伝送に基づいている。図５１では、皮膚１３２の左側に置かれた全ての部品は、患者の身体の外側に置かれており、皮膚１３２の右側に置かれた全ての部品は移植されている。
【０２７８】
外部信号伝送デバイス１３３は、皮膚１３２の近くに移植された信号受信デバイス１３４の近くに位置決めされるようになっている。代替形態として、信号受信デバイス１３４は、例えば患者の腹部の内側に置くことができる。信号受信デバイス１３４は、極めて細いワイヤで巻かれ、特定の高周波数にコンデンサで調整された、約１〜１００ｍｍ、好ましくは２５ｍｍの直径のコイルを備えている。小さなコイルは、患者の皮膚の下に移植される場合に選択され、大きなコイルは患者の腹部に移植される場合に選択される。信号伝送デバイス１３３は、信号受信デバイス１３４のコイルとほぼ同じ寸法を有するが、必要なより大きな電流を取り扱うことができる厚いワイヤで巻かれたコイルを備えている。信号伝送デバイス１３３のコイルは、信号受信デバイス１３４のコイルと同じ特定の高周波数に調整される。
【０２７９】
信号伝送デバイス１３３は、電力増幅器および信号受信デバイス１３４を介して移植された制御ユニット１３５にデジタル情報を送信するようになっている。偶然のランダムな高周波数領域が制御コマンドをトリガするのを避けるために、デジタル信号コードが使用される。信号伝送デバイス１３３上に置かれた従来のキーパッドは、狭さく／刺激ユニットの制御のためにデジタル信号を送るように、信号伝送デバイス１３３に命令するために使用される。信号伝送デバイス１３３は、高周波数信号を生成することによってコマンドを開始する。短時間の後に、信号が制御システムの移植された部品を付勢すると、所定のステップで狭さく／刺激ユニット１１０の狭さくデバイスを操作するようにコマンドが送られる。コマンドは、以下に示す形でデジタル・パケットとして送られる。
【０２８０】
【表１】
0005400051.tif 000002
【０２８１】
コマンドは、かなり長い期間の間（例えば、約３０秒以上）連続的に送られる。新しい狭さくまたは解放ステップが望ましい場合、カウント・バイトは１だけ増加されて、移植された制御ユニット１３５が復号化し、別のステップが信号伝送デバイス１３３によって要求されていることを理解することが可能になる。デジタル・パケットの任意の部分がエラーである場合、その内容は単に無視される。
【０２８２】
ライン１３６を通して、移植された付勢ユニット１３７は、信号受信デバイス１３４によって受けられる高周波数電磁波信号からエネルギーを引き出す。付勢ユニット１３７は、大きなコンデンサなどのエネルギー源内にエネルギーを貯蔵し、制御ユニット１３５に動力を与え、ライン１３８を介して狭さく／刺激ユニット１１０に動力を与える。
【０２８３】
制御ユニット１３５は、復調器およびマイクロプロセッサを備えている。復調器は、信号伝送デバイス１３３から送信されたデジタル信号を復調する。マイクロプロセッサは、デジタル・パケットを受信し、これを復号化し、信号ライン１３９を介して制御信号を送信して、受信したコマンド・コードによって患者の器官の壁面部を狭さくするまたは解放するように、狭さく／刺激ユニット１１０の狭さくデバイスを制御する。
【０２８４】
図５２は、無線エネルギーが電流に変換される、本発明の一実施形態の回路を示している。回路の外部構成部品は、マイクロプロセッサ１４０、信号発生器１４１、およびそれに接続された電力増幅器１４２を含んでいる。マイクロプロセッサ１４０は、信号発生器１４１をオン／オフに切り換え、デジタル・コマンドで信号発生器１４１によって生成された信号を変調するようになっている。電力増幅器１４２は、信号を増幅し、これらを外部信号伝送アンテナ・コイル１４３に送信する。アンテナ・コイル１４３は、信号発生器１４１によって生成される周波数に調整された共振回路を形成するように、コンデンサ１４４と並列に接続されている。
【０２８５】
回路の移植された構成部品は、伝送アンテナ・コイル１４３と同じ周波数に調整された共振回路を共に形成する信号受信アンテナ・コイル１４５、およびコンデンサ１４６を含んでいる。信号受信アンテナ・コイル１４５は、電流を受信した高周波電磁波から誘導し、整流ダイオード１４７は貯蔵コンデンサ１４８を充電する誘導電流を整流する。貯蔵コンデンサ１４８は、狭さく／刺激ユニット１１０の狭さくデバイスを駆動するためにモータ１４９に動力を与える。アンテナ・コイル１４５とダイオード１４７の間に接続されたコイル１５０は、コンデンサ１４８およびダイオード１４７が、より高周波数で信号受信アンテナ１４５の回路を装填するのを防ぐ。したがって、コイル１５０により、コンデンサ１４８を充電し、振幅変調を使用してデジタル情報を伝送することが可能になる。
【０２８６】
並列に接続されたコンデンサ１５１および抵抗器１５２、およびダイオード１５３は、振幅変調デジタル情報を検出するために使用される検出器を形成する。フィルタ回路は、アースを介して抵抗器１５４と直列に接続されたコンデンサ１５６と直列に接続された抵抗器１５５と直列に接続された抵抗器１５４、およびその一端子が抵抗器１５４、１５５の間に接続され、もう一方の端子がダイオード１５３とコンデンサ１５１および抵抗器１５２によって形成された回路の間に接続されているコンデンサ１５７とによって形成されている。フィルタ回路は、望ましくない低および高周波数を除去するために使用される。検出および除去された信号は、デジタル情報を復号化し、トランジスタ１６０、１６１、１６２および１６３を備えたＨブリッジ１５９を介してモータ１４９を制御する、移植されたマイクロプロセッサ１５８に供給される。モータ１４９は、Ｈブリッジ１５９によって２つの反対方向に駆動させることができる。
【０２８７】
マイクロプロセッサ１５８はまた、貯蔵コンデンサ１４８内の貯蔵エネルギー量を監視する。モータ１４９を作動させるために信号を送信する前に、マイクロプロセッサ１５８は、貯蔵コンデンサ１４８内に貯蔵されたエネルギーが十分であるかどうかをチェックする。貯蔵されたエネルギーが要求された操作を行うのに十分でない場合、マイクロプロセッサ１５８は、モータ１４９を作動させる前に、貯蔵コンデンサ１４８を充電するために受信信号を待つ。
【０２８８】
別法では、貯蔵コンデンサ１４８に貯蔵されたエネルギーは、スイッチに動力を与えるために使用することしかできず、モータ１４９に動力を与えるエネルギーは、比較的高い容量の別の移植されたエネルギー源、例えば電池から得ることができる。この場合、スイッチは、スイッチが貯蔵コンデンサ１４８によって動力が与えられる場合にオン・モードでモータ１４９に電池を接続し、スイッチに動力が与えられていない場合に待機モードでモータ１４９から電池を切断させたままにするようになっている。
【０２８９】
図５３Ａ〜５３Ｃは、ここでは参照番号２００で示されている狭さく／刺激ユニットが、追加のクランプ要素を備えていることを除いて、図２の実施形態と同様の、本発明の一実施形態を示している。図５３Ａ〜５３Ｃの実施形態は、患者の卵管内で精子を活動的に移動させるのに適している。したがって、狭さく／刺激ユニット２００はまた、第１の対の短いクランプ要素２０１および２０２、第２の対の短いクランプ要素２０３および２０４を備えており、第１および第２の対のクランプ要素は、細長いクランプ要素５、６の相互側に位置決めされている。第１の対の２つの短いクランプ要素２０１、２０２は、収縮位置（図５３Ａ）とクランプ位置（図５３Ｂおよび５３Ｃ）の間で互いに向かって、および互いから離れるように径方向に移動可能であり、第２の対の２つの短いクランプ要素２０３、２０４は、収縮位置（図５３Ｃ）とクランプ位置（図５３Ａおよび図５３Ｂ）の間で互いに向かって、および互いから離れるように径方向に移動可能である。各対の短い要素のそれぞれの短いクランプ要素２０１および２０３の一方の上の電気素子７が、各対の短い要素のそれぞれの他の短いクランプ要素２０２および２０４の上の電気素子７に面しているように、刺激デバイス３はまた、短いクランプ要素２０１〜２０４上に位置決めされた電気素子７を備えている。
【０２９０】
短いクランプ要素２０１、２０２が壁面部８の上流端部に位置決めされ、短いクランプ要素２０３、２０４、２０２が壁面部８の下流端部に位置決めされるように、狭さく／刺激ユニット２００は、患者の管状卵管壁面の壁面部８に付けられている。図５３Ａ〜５３Ｃでは、壁面部８の上流端部は左側に対してであり、壁面部８の下流端部は右側に対してである。
【０２９１】
制御デバイス４は、互いに独立して壁面部８を狭さくし、解放するように、１対の短いクランプ要素２０１、２０２、１対の細長いクランプ要素５、６、および１対の短い要素２０３、２０４を制御する。制御デバイスはまた、電気パルスで狭さくされた壁面部８を刺激して、壁面部８を収縮させるように、壁面部を狭さくしているクランプ要素上の電気素子７を制御し、それによって壁面部８の卵管が閉じられる。
【０２９２】
図５３Ａ〜５３Ｃは、壁面部８の卵管内で下流側に精子を循環的に移動させるように、狭さく／刺激ユニット２００の操作を制御デバイス４がどのように制御するかを示している。したがって、図５３Ａは、短いクランプ要素２０１、２０２および細長いクランプ要素５、６が収縮位置にあり、短いクランプ要素２０３、２０４がクランプ位置にあり、要素２０３、２０４上の電気素子７が壁面部８を電気刺激している。電気刺激により、要素２０３、２０４での壁面部８は厚くなり、それによって卵管が閉じられる。図５３Ｂは、要素２０１、２０２上の電気素子７が壁面部８を電気刺激し、それによってある量の身体物質が壁面部８の上流端部と下流端部の間で卵管内に捕捉されながら、短いクランプ要素２０１、２０２がまたどのようにクランプ位置まで径方向内側に移動されたのかを示している。図５３Ｃは、最初にどのように短いクランプ要素２０３、２０４が収縮位置に径方向外側に移動され、その後、要素５、６上の電気素子７が壁面部８を電気刺激しながら細長いクランプ要素５、６がクランプ位置に径方向内側に移動されたのかを示している。その結果、壁面部８の上流端部と下流端部の間の卵管内の精子は、卵管内で下流側に移動された。その後、制御デバイス４は、図５３Ａに示す状態をとるように、狭さく／刺激ユニット２００を制御する。
【０２９３】
別法では、卵管内で上流側に精子を移動させるために、上に記載した狭さく／刺激ユニット２００の操作サイクルを逆にすることができる。この場合、制御デバイス４は、その下流端部で壁面部８を狭さくして、卵管内の流れを制限するように、短いクランプ要素２０３、２０４を制御し、下流端部で電気パルスで狭さくされた壁面部８を刺激して、卵管を閉じるように電気素子７を制御する。図５３Ａに示すように卵管が狭さくされた壁面部８の下流端部で閉じられ、短いクランプ要素２０１、２０２が収縮位置にある状態で、制御デバイス４は、その上流端部と下流端部の間で壁面部８を狭さくするように、細長いクランプ要素５、６を制御する。その結果、その上流端部と下流端部の間で壁面部８内に含まれた精子は、卵管内で上流側に移動される。
【０２９４】
図５３Ａ〜５３Ｃは、対のクランプ要素を開示しているが、単一の短いクランプ要素２０１、単一の細長いクランプ要素５および単一の短いクランプ要素２０３のみを備えた狭さく／刺激ユニット２００を設計することが考えられることに留意されたい。この場合、管状壁面部８の底部は、クランプ要素２０１、５および２０３と反対側で狭さく／刺激ユニット２００の固定要素によって支持されている。
【０２９５】
図５４Ａおよび５４Ｂは、狭さく／刺激ユニット２０５が患者の管状器官の卵管内で精子を活動的に移動させるために設計された、本発明の別の実施形態を略図的に示している。狭さく／刺激ユニット２０５の狭さくデバイス２０６は、回転子２０７の軸２０９から等配分で位置決めされた３つの円筒形狭さく要素２０８Ａ、２０８Ｂおよび２０８Ｃを担持する回転子２０７を備えている。狭さく要素２０８Ａ〜２０８Ｃは、ローラとして設計することができる。各円筒形要素２０８Ａ〜２０８Ｃは、電気素子７を備えている。固定した細長い支持要素２１０は、回転子２０７から間隔を置いているが近くに位置決めされており、回転子２０７の軸２０９と同心の部分円筒形表面２１１を有する。狭さく／刺激ユニット２０５は、支持要素２１０と回転子２０７の間に器官２１２が延びるように、患者の卵管２１２の上に付けられている。
【０２９６】
制御デバイス４は、狭さくデバイスの回転子２０７を回転させるように制御し、それによって狭さく要素２０８Ａ〜２０８Ｃが細長い支持要素２１０に対して卵管２１２の一連の壁面部のうちの壁面部を連続的に狭さくする。狭さく要素２０８Ａ〜２０８Ｃの電気素子７は、電気パルスで狭さくされた壁面部を刺激し、それによって壁面部は厚くなり、卵管２１２を閉じる。図５４Ａは、どのように狭さく要素２０８Ａが卵管２１２の壁面を狭さくし始めたか、およびどのように卵管２１２が狭さく要素２０８Ａ上の電気素子７の助けを借りて閉じられており、狭さく要素２０８Ｂが卵管２１２を解放するところであるかを示している。図５４Ｂは、どのように狭さく要素２０８Ａが細長い支持要素２１０に沿ってほぼ半分前進し、矢印によって示された方向に卵管内で精子を移動させたかを示している。狭さく要素２０８Ｂは卵管２１２を解放し、狭さく要素２０８Ｃは卵管２１２と係合するところである。したがって、制御デバイス４は、２１２内の精子が蠕動的に移動されるように、卵管２１２の壁面部を狭さくしながら、細長い支持要素２１０に沿って、次々と狭さく要素２０８Ａ〜２０８Ｃを循環的に移動させるように回転子２０７を制御する。
【０２９７】
図５５Ａ、５５Ｂおよび５５Ｃは、本発明の装置で使用するための、別の機械操作可能な狭さくデバイス２１３を示している。図５５Ａを参照すると、狭さくデバイス２１３は、患者の卵管８の上に取り付けられた第１のリング形ホルダ２１４と、ホルダ２１４から離れて置かれた卵管８上に付けられた第２のリング形ホルダ２１５とを備えている。卵管８に沿って平行に延び、卵管８に接触することなく２つのホルダ２１３、２１４を相互接続させる弾性ストリング２１６（ここでは、１２のストリング）がある。図５５Ａは、卵管８が狭さくされていない、狭さくデバイス２１３の停止状態を示している。
【０２９８】
図５５Ｂおよび５５Ｃを参照すると、卵管８が狭さくされる場合、リング形ホルダ２１３および２１４は、反対方向に操作手段（図示せず）によって回転され、それによって弾性ストリング２１６が図５５Ｂおよび５５Ｃから分かる方法で卵管８を狭さくする。簡潔にする目的で、５つのストリング２１６のみが図５５Ｂに示されている。
【０２９９】
本発明によると、卵管８を電気刺激して、卵管８の壁面を収縮させる電極が、ストリング２１６（図５５Ａ〜５５Ｃに図示せず）に取り付けられている。
【０３００】
図５６は、本発明の装置の移植された狭さく／刺激ユニット３０１のエネルギー消費構成部品に接続された移植された内部エネルギー受信器３０２に正確な量のエネルギーを供給するために、装置の少なくとも１つの機能パラメータに関連する、および／または患者の身体パラメータに関連する情報を与えるように、患者の身体の内側からその外側に情報を送信することが可能である装置の配置を略図的に示している。このようなエネルギー受信器３０２は、エネルギー源および／またはエネルギー変換デバイスを備えることができる。要するに、無線エネルギーは患者の外側に置かれた外部エネルギー源３０４ａから伝送され、患者の内側に置かれた内部エネルギー受信器３０２によって受けられる。内部エネルギー受信器は、スイッチ３２６を介して狭さく／刺激ユニット３０１のエネルギー消費構成部品に受けたエネルギーを直接または間接的に供給するようになっている。エネルギー・バランスは、内部エネルギー受信器３０２によって受けられたエネルギーと狭さく／刺激ユニット３０１で使用されるエネルギーの間で判断され、無線エネルギーの伝送はその後、判断されたエネルギー・バランスに基づいて制御される。エネルギー・バランスはしたがって、過度の温度上昇を引き起こすことなく、適切に狭さく／刺激ユニット３０１を操作するのに十分である、必要な正しいエネルギー量の正確な表示を与える。
【０３０１】
図５６では、患者の皮膚は縦線３０５によって示されている。ここでは、エネルギー受信器は、患者の内側、好ましくは患者の皮膚３０５のちょうど下に置かれたエネルギー変換デバイス３０２を備えている。一般的に言えば、移植されたエネルギー変換デバイス３０２は、腹部、胸部、筋肉帯（例えば、腹部壁面内の）に、皮下に、または任意の他の適切な位置に置くことができる。移植されたエネルギー変換デバイス３０２は、移植されたエネルギー変換デバイス３０２の近くで、患者の皮膚３０５の外側に置かれた外部エネルギー伝送デバイス３０４に設けられた外部エネルギー源３０４ａから伝送される無線エネルギーＥを受けるようになっている。
【０３０２】
当技術分野でよく知られているように、無線エネルギーＥは普通、外部エネルギー源３０４ａ内に配置された一次コイル、および移植されたエネルギー変換デバイス３０２内に配置された隣接した二次コイルを備えたデバイスなどの任意の適切な経皮エネルギー伝送（ＴＥＴ）デバイスにより伝送することができる。電流が一次コイルを通して供給される場合、電圧の形のエネルギーは、装置の移植されたエネルギー消費構成部品に動力を与えるために使用することができる二次コイル内に、例えば充電式電池またはコンデンサなどの、移植されたエネルギー源内に入ってくるエネルギーを貯蔵した後に誘導される。しかし、本発明は普通、任意の特定のエネルギー伝送技術に限定されるものではなく、ＴＥＴデバイスまたはエネルギー源、および任意の種類の無線エネルギーを使用することができる。
【０３０３】
移植されたエネルギー受信器によって受けられるエネルギー量は、装置の移植された構成部品によって使用されるエネルギーと比較することができる。「使用されるエネルギー」という用語はその後、装置の移植された構成部品によって貯蔵されるエネルギーをも含むものとして理解されたい。制御デバイスは、伝送されたエネルギーの量を調整するように、判断されたエネルギー・バランスに基づいて、外部エネルギー源３０４ａを制御する外部制御ユニット３０４ｂを備えている。正確な量のエネルギーを伝送するためには、エネルギー・バランスおよび所要のエネルギー量が、スイッチ３２６と狭さく／刺激ユニット３０１の間に接続された、移植された内部制御ユニット３１５を含む判断デバイスによって判断される。内部制御ユニット３１５はしたがって、図示しないが適切なセンサなどによって得られる様々な測定値を受けるように配置することができ、狭さく／刺激ユニット３０１のいくつかの特性を測定し、狭さく／刺激ユニット３０１の適切な操作に必要な所要のエネルギー量をいくらか反映することができる。さらに、患者の現在の状態はまた、患者の状態を反映したパラメータを与えるために、適切な測定デバイスまたはセンサにより検出することもできる。したがって、このような特徴および／またはパラメータは、電力消費、操作モード、および温度と、体温、血圧、脈拍および呼吸などのパラメータによって反映される患者の状態などの、狭さく／刺激ユニット３０１の現在の状態に関連させることができる。患者の他の種類の身体パラメータ、およびデバイスの機能パラメータはどこかに記載されている。
【０３０４】
さらに、蓄電池３１６の形のエネルギー源は任意選択では、狭さく／刺激ユニット３０１による後の使用のために、受けたエネルギーを蓄積するために、制御ユニット３１５を介して移植されたエネルギー変換デバイス３０２に接続させることができる。別法では、または加えて、また所要の量のエネルギーを反映するこのような蓄電池の特徴を測定することもできる。蓄電池を充電式電池に交換することができ、測定した特徴は電池の現在の状態、エネルギー消費電圧、温度などの任意の電気パラメータに関連させることができる。狭さく／刺激ユニット３０１に十分な電圧および電流を与えるために、また過剰な加熱を避けるために、正確な量のエネルギーを移植されたエネルギー変換デバイス３０２から受けることによって、最適に、すなわち少なすぎも多すぎもせず充電すべきであることをはっきりと理解されたい。蓄電池はまた、対応する特徴を有するコンデンサであってもよい。
【０３０５】
例えば、電池特徴を、電池の現在の状態を判断するために定期的に測定することができ、その後、内部制御ユニット３１５内の適切な貯蔵手段内に状態情報として記憶させることができる。したがって、新しい測定が行われるたびに、記憶された電池状態情報はそれに応じて更新させることができる。このように、電池を最適の状態に維持するように、正確な量のエネルギーを伝送することによって電池の状態を「キャリブレーション」することができる。
【０３０６】
したがって、判断デバイスの内部制御ユニット３１５は、装置の上記センサまたは測定デバイスによって行われた測定、または患者、または使用されている場合は移植されたエネルギー源、またはこれらの任意の組合せに基づいて、エネルギー・バランスおよび／または現在必要な量のエネルギーを判断するようになっている。内部制御ユニット３１５はさらに、外部制御ユニット３０４ｂに接続された外部信号受信器３０４ｃに判断した所要量のエネルギーを反映した制御信号を伝送するように配置された、内部信号伝送装置３２７に接続されている。外部エネルギー源３０４ａから伝送されたエネルギー量はその後、受信した制御信号に応じて調整することができる。
【０３０７】
別法では、判断デバイスは外部制御ユニット３０４ｂを備えることができる。この代替形態では、センサ測定は、外部制御ユニット３０４ｂに直接伝送することができ、エネルギー・バランスおよび／または現在必要な量のエネルギーは外部制御ユニット３０４ｂによって判断することができ、したがって外部制御ユニット３０４ｂ内に内部制御ユニット３１５の上記機能が一体化される。この場合、内部制御ユニット３１５を省くことができ、センサ測定値は、外部信号受信器３０４ｃおよび外部制御ユニット３０４ｂに測定値を送信する、内部信号伝送装置３２７に直接供給される。エネルギー・バランスおよび現在必要な量のエネルギーはその後、これらのセンサ測定値に基づいて外部制御ユニット３０４ｂによって判断することができる。
【０３０８】
したがって、図５６の配置による本解決法は、例えば、エネルギー量、エネルギー差、または装置の移植されたエネルギー消費構成部品によって使用されるエネルギー率と比較した受信エネルギー率に対する、受けたエネルギーと比較したエネルギーの実際の使用に基づいているので、前の解決法より有効である所要のエネルギーを示す情報のフィードバックを利用している。装置は、エネルギーを消費するため、または移植されたエネルギー源などの中にエネルギーを貯蔵するいずれかのために受けたエネルギーを使用することができる。上に論じた異なるパラメータはしたがって、実際のエネルギー・バランスを判断するツールとして関連しており必要である場合に使用される。しかし、このようなパラメータ自体はまた、装置を特に操作するために内部で行われる任意の動作に必要である可能性もある。
【０３０９】
内部信号伝送装置３２７および外部信号受信器３０４ｃは、無線、ＩＲ（赤外線）または超音波信号などの適切な信号伝送手段を使用して、別個のユニットとして実施することができる。別法では、内部信号伝送装置３２７および外部信号受信器３０４ｃは、基本的には同じ伝送技術を使用して、エネルギー伝送に関して逆方向に制御信号を運ぶように、移植されたエネルギー変換デバイス３０２および外部エネルギー源３０４ｃ内でそれぞれ一体化させることができる。制御信号は、周波数、位相または振幅に関して変調させることができる。
【０３１０】
したがって、フィードバック情報を、受信器および伝送装置を含む別個の通信システムによって伝送することができるか、またはエネルギー・システム内に一体化させることができる。本発明によると、このような一体化情報フィードバックおよびエネルギー・システムは、内部第１のコイルおよび第１のコイルに接続された第１の電子回路を有する、無線エネルギーを受けるための移植可能な内部エネルギー受信器と、外部第２のコイルおよび第２のコイルに接続された第２の電子回路を有する、無線エネルギーを伝送するための外部エネルギー伝送装置とを備えている。エネルギー伝送装置の外部第２のコイルは、エネルギー受信器の第１のコイルによって受けられる無線エネルギーを伝送する。このシステムはさらに、電力スイッチが第１の電子回路への内部第１のコイルの接続をオンおよびオフに切り換える場合、第１のコイルの装填に関連するフィードバック情報が外部第２のコイルの負荷のインピーダンス変化の形で、外部エネルギー伝送装置によって受けられるように、第１の電子回路への内部第１のコイルの接続をオンおよびオフに切り換える電力スイッチを備えている。図１７の配置でこのシステムを実施する際に、スイッチ３２６は、別個であり内部制御ユニット３１５によって制御されるか、または内部制御ユニット３１５内に一体化されるかのいずれかである。スイッチ３２６は、その最も広い範囲の実施形態で解釈すべきであることを理解されたい。これは、トランジスタ、ＭＣＵ、ＭＣＰＵ，ＡＳＩＣ  ＦＰＧＡまたはＤＡ変換器、または電力をオンにしたりオフにしたり切り換えることができる任意の他の電子構成部品または回路を意味している。
【０３１１】
要するに、図５６に示すエネルギー供給配置は、以下の方法で基本的に動作することができる。エネルギー・バランスは、判断デバイスの内部制御ユニット３１５によって最初に判断される。所要量のエネルギーを反映した制御信号はまた、内部制御ユニット３１５によって生成され、制御信号は内部信号伝送装置３２７から外部信号受信器３０４ｃに伝送される。別法では、エネルギー・バランスは、上に記載したように、実施による代わりに、外部制御ユニット３０４ｂによって判断することができる。その場合、制御信号は、様々なセンサからの測定結果を運ぶことができる。外部エネルギー源３０４ａから発せられたエネルギー量をその後、判断したエネルギー・バランスに基づいて、例えば受信した制御信号に応じて、外部制御ユニット３０４ｂによって調整することができる。この過程は、進行しているエネルギー伝送の間に特定の間隔で間欠的に繰り返すことができる、またはエネルギー伝送中に多少連続して実行することができる。
【０３１２】
伝送されるエネルギー量は普通、電圧、電流、振幅、波周波数およびパルス特徴などの、外部エネルギー源３０４ａ内の様々な伝送パラメータを調節することによって調整することができる。このシステムはまた、内部コイルに関連する外部コイルに対する最適な位置を見つけ、エネルギー伝送を最適化するようにシステムをキャリブレーションするために、ＴＥＴシステム内のコイル間の結合要素に関連する情報を得るために使用することができる。この場合、伝送されたエネルギー量を受信したエネルギー量と単純に比較する。例えば、外部コイルが移動される場合、結合要素は変化する可能性があり、正確に表示された移動により外部コイルがエネルギー伝送のための最適な位置を見つける。外部コイルは、結合要素が最大化される前に、判断デバイス内のフィードバック情報を得るように、伝送エネルギー量をキャリブレーションするようになっていることが好ましい。
【０３１３】
この結合要素情報はまた、エネルギー伝送中のフィードバックとして使用することもできる。このような場合、本発明のエネルギー・システムは、内部第１のコイル、および第１のコイルに接続された第１の電子回路を有する、無線エネルギーを受けるための移植可能な内部エネルギー受信器と、外部第２のコイル、および第２のコイルに接続された第２の電子回路を有する、無線エネルギーを受けるための外部エネルギー伝送装置とを備えている。エネルギー伝送装置の外部第２のコイルは、エネルギー受信器の第１のコイルによって受けられた無線エネルギーを伝送する。このシステムはさらに、フィードバック情報として第１のコイル内に受けられたエネルギー量を通信するフィードバック・デバイスを備えており、第２の電子回路は、フィードバック情報を受け、第２のコイルによる伝送エネルギー量を第１のコイルで受けられたエネルギー量に関連するフィードバック情報と比較して、第１と第２のコイルの間の結合要素を得るための判断デバイスを備えている。エネルギー伝送装置は、得られた結合要素に応じて、伝送エネルギーを調整することができる。
【０３１４】
図５７を参照すると、装置を操作するためのエネルギーの無線伝送が、低侵襲性操作を可能にするために記載されているが、装置はワイヤ結合エネルギーでも操作することができることが分かるだろう。このような実施例が、図５７に示されており、外部スイッチ３２６は、外部エネルギー源３０４ａと狭さく／刺激ユニット３０１を操作する電気モータ３０７などの操作デバイスの間に相互接続されている。外部制御ユニット３０４ｂは、狭さく／刺激ユニット３０１の適切な操作を行うために、外部スイッチ３２６の操作を制御する。
【０３１５】
図５８は、どのようにして受けたエネルギーを狭さく／刺激ユニット３０１に供給することができ、これによって使用することができるかの異なる実施形態を示している。図５６の実施例と同様に、内部エネルギー受信器３０２は、伝送制御ユニット３０４ｂによって制御される外部エネルギー源３０４ａから無線エネルギーＥを受信する。内部エネルギー受信器３０２は、狭さく／刺激ユニット３０１に一定の電圧でエネルギーを供給するために、図５８に「一定Ｖ」の破線ボックスで示した一定電圧回路を備えることができる。内部エネルギー受信器３０２はさらに、狭さく／刺激ユニット３０１に一定電流でエネルギーを供給するために、図に「一定Ｃ」の破線ボックスで示した一定電流回路を備えることができる。
【０３１６】
狭さく／刺激ユニット３０１は、モータ、ポンプ、狭さくデバイス、またはその電気操作のためにエネルギーを必要とする任意の他の医療機器であってもよい、エネルギー消費部３０１を備えている。狭さく／刺激ユニット３０１はさらに、内部エネルギー受信器３０２から供給されたエネルギーを貯蔵するためのエネルギー貯蔵デバイス３０１ｂを備えることができる。したがって、供給されたエネルギーを、エネルギー消費部３０１ｂによって直接消費することができる、またはエネルギー貯蔵デバイス３０１ｂによって貯蔵することができる、または供給されたエネルギーを部分的に消費し部分的に貯蔵することができる。狭さく／刺激ユニット３０１はさらに、内部エネルギー受信器３０２から供給されたエネルギーを安定化させるエネルギー安定化ユニット３０１ｃを備えることができる。したがって、消費または貯蔵する前に、エネルギーを安定化させる必要があるように、エネルギーを流動的に供給することができる。
【０３１７】
内部エネルギー受信器３０２から供給されたエネルギーはさらに、狭さく／刺激ユニット３０１によって消費および／または貯蔵される前に、狭さく／刺激ユニット３０１の外側に配置された別個のエネルギー安定化ユニット３２８によって蓄積および／または安定化させることができる。別法では、エネルギー安定化ユニット３２８は、内部エネルギー受信器３０２内に一体化させることができる。いずれの場合でも、エネルギー安定化ユニット３２８は、一定電圧回路および／または一定電流回路を備えることができる。
【０３１８】
図５６および図５８は、様々な示された機能構成部品および要素をどのように互いに対して配置および接続させることができるかに関する、いくつかの可能性があるが、非限定的な実施選択肢を示していることに留意されたい。しかし、当業者は多くの変更形態および変形形態を本発明の範囲内で行うことができることが簡単に分かるだろう。
【０３１９】
図５９は、無線エネルギーの伝送、またはエネルギー・バランスを制御する装置の提案設計の１つのエネルギー・バランス測定回路を略図的に示している。回路は、２．５Ｖに集められ、エネルギー不均衡に比例して関連する出力信号を有する。この信号の導関数は、値が上下するかどうか、およびこのような変化がどのような速さで起こるかを示している。受けたエネルギー量が装置の移植された構成部品によって使用されるエネルギーより低い場合、より多くのエネルギーが伝送され、したがってエネルギー源に装填される。回路からの出力信号は典型的には、Ａ／Ｄ変換器に供給され、デジタル・フォーマットに変換される。デジタル情報はその後、伝送されたエネルギーのレベルを調節することを可能にする、外部エネルギー伝送デバイスに送信することができる。別の可能性は、バランスが最大／最少ウィンドウから出る場合に、外部エネルギー伝送デバイスに情報を送信する特定の最大および最少閾値とエネルギー・バランス・レベルを比較する比較器を使用する完全アナログ・システムを有することである。
【０３２０】
図５９の略図は、誘導エネルギー伝送を使用して、患者の身体の外側から、本発明の装置の移植されたエネルギー構成部品にエネルギーを伝送するシステムの回路実施を示している。誘導エネルギー伝送システムは典型的には、外部伝送コイルおよび内部受信コイルを使用する。受信コイルＬ１は、図５９の略図に含まれ、システムの伝送部分が排除されている。
【０３２１】
エネルギー・バランスの一般的概念の実施、および情報が外部エネルギー伝送装置に伝送される方法はもちろん、いくつかの異なる方法で実施することができる。図２０の略図、および情報を評価および伝送する上記方法は、制御システムを実施する方法の例としてのみ理解されたい。
【０３２２】
回路詳細
図５９では、記号Ｙ１、Ｙ２、Ｙ３などは、回路内の試験ポイントを記号で表したものである。図の構成部品およびそれぞれの値は、この特定の実施で作用する値であって、もちろん無限の数の可能な設計解決法の１つに過ぎない。
【０３２３】
回路に動力を与えるエネルギーは、エネルギー受信コイルＬ１によって受けられる。移植された構成部品へのエネルギーは、この特定の場合には２５ｋＨｚの周波数で伝送される。エネルギー・バランス出力信号は、試験ポイントＹ１で存在している。
【０３２４】
図５６、５８および５９に関連して記載した実施形態は、本発明の装置の移植されたエネルギー消費構成部品への無線エネルギーの伝送を制御する一般的方法を特定する。このような方法は、以下に一般的用語で規定する。
【０３２５】
したがって、上に記載したような装置の移植されたエネルギー消費構成部品に供給される無線エネルギーの伝送を制御する方法が提供される。無線エネルギーＥは、患者の外側に置かれた外部エネルギー源から伝送され、患者の内側に置かれた内部エネルギー受信器によって受けられ、内部エネルギー受信器は受けたエネルギーを直接または間接的に供給するように、装置の移植されたエネルギー消費構成部品に接続されている。エネルギー・バランスは、内部エネルギー受信器によって受けられたエネルギーと、装置の移植された部分の操作のために使用されるエネルギーの間で判断される。外部エネルギー源からの無線エネルギーＥの伝送はその後、判断されたエネルギー・バランスに基づいて制御される。
【０３２６】
無線エネルギーは、外部エネルギー源内の一次コイルから内部エネルギー受信器内の二次コイルまで誘導的に伝送させることができる。エネルギー・バランスの変更は、検出したエネルギー・バランス変化に基づいて無線エネルギーの伝送を制御するように検出することができる。検出したエネルギー差に基づいて、無線エネルギーの伝送を制御するように、内部エネルギー受信器によって受けられるエネルギーと装置の移植された部分の操作に使用されるエネルギーの差を検出することもできる。
【０３２７】
エネルギー伝達を制御すると、検出されたエネルギー・バランス変化がエネルギー・バランスが増加していることを示している場合に、伝送された無線エネルギー量が減少される可能性があり、また逆も同様である。エネルギー伝送の増減は、さらに検出された変化率に対応することができる。
【０３２８】
検出されたエネルギー差が受けられたエネルギーが使用されるエネルギーより大きいことを示している場合に、伝送された無線エネルギー量がさらに減少される可能性があり、また逆も同様である。エネルギー伝送の増減は、その結果、検出されたエネルギー差の大きさに対応することができる。
【０３２９】
上に論じるように、装置の移植された部分の操作のために使用されるエネルギーは、装置の移植された部分を操作するために消費される、および／または装置の少なくとも１つの移植されたエネルギー貯蔵デバイス内に貯蔵される。
【０３３０】
装置の移植された部分の電気および／または身体パラメータ、および／または患者の身体パラメータが判断される場合、パラメータに基づいて判断された、伝送率／時間単位にしたがって、消費および貯蔵のためにエネルギーを伝送することができる。また、伝送エネルギーの合計量をパラメータに基づいて判断することができる。
【０３３１】
内部エネルギー受信器によって受けられる合計エネルギー量と消費および／または貯蔵エネルギーの合計量の差が検出され、検出された差がエネルギー・バランスに関連する少なくとも１つの測定された電気パラメータの時間の経過にわたる積分に関連している場合、この積分は、エネルギー・バランスに関連する監視された電圧および／または電流に対して判断することができる。
【０３３２】
消費および／または貯蔵エネルギーの量に関連する測定された電気パラメータの誘導関数が経時的に判断される場合、この誘導関数をエネルギー・バランスに関連する監視した電圧および／または電流に対して判断することができる。
【０３３３】
外部エネルギー源からの無線エネルギーの伝送は、無線エネルギーを伝送するように、第１の電気回路からの電気パルスを外部エネルギー源に加えることによって制御することができ、電気パルスは先端および後端縁部を備えており、電気パルスの連続した先端および後端縁部の間の第１の時間間隔の長さ、および／または電気パルスの連続した後端および先端縁部の間の第２の時間間隔の長さを変更し、無線エネルギーを伝送し、電気パルスから生成された伝送エネルギーは様々な電力を有し、電力の変更は第１および／または第２の時間間隔の長さによるものである。
【０３３４】
その場合、電気パルスの周波数は、第１および／または第２の時間間隔を変更する場合にはほぼ一定であってもよい。電気パルスを加える場合、第１および／または第２の時間間隔を変更することを除いて、電気パルスは変化しないままであってもよい。電気パルスの振幅は、第１および／または第２の時間間隔を変更する場合にほぼ一定であってもよい。さらに、電気パルスは、電気パルスの連続した先端および後端縁部の間で第１の時間間隔の長さを変更するだけで変更することができる。
【０３３５】
２つ以上の電気パルスの列を、一列で供給することができ、パルスの列を加える場合、列はパルス列の初めに第１の電気パルスを有し、パルス列の終わりに第２の電気パルスを有し、２つ以上のパルス列を一列で提供することができ、第１のパルス列内の第２の電気パルスの連続した後縁部と、第２のパルス列の第１の電気パルスの先端縁部の間の第２の時間間隔の長さが変更される。
【０３３６】
電気パルスを加える場合、電気パルスはほぼ一定の電流およびほぼ一定の電圧を有することができる。電気パルスはまた、ほぼ一定の電流およびほぼ一定の電圧を有することができる。さらに、電気パルスはまたほぼ一定の周波数を有することもできる。パルス列内の電気パルスは同様に、ほぼ一定の周波数を有することができる。
【０３３７】
第１の電気回路および外部エネルギー源によって形成される回路は、第１の特徴期間または第１の時間定数を有することができ、伝送エネルギーを効果的に変更する場合、このような周波数期間は第１の特徴期間または時間定数より短い範囲にあってもよい。
【０３３８】
図５６、５８および５９に関連して記載した実施形態はまた、本発明の装置の移植されたエネルギー消費構成部品への無線エネルギーの伝送を制御する一般的機構を特定することができる。装置のこのような機構を、以下のように一般的用語で規定する。
【０３３９】
その最も広い意味において、装置は、エネルギー伝送デバイスからの無線エネルギーの伝送を制御する制御デバイスと、伝送された無線エネルギーを受信する移植可能な内部エネルギー受信器とを備えており、内部エネルギー受信器は受信したエネルギーを直接または間接的に供給するために、装置の移植可能なエネルギー消費構成部品に接続されている。装置はさらに、内部エネルギー受信器によって受けられるエネルギーと装置の移植可能なエネルギー消費構成部品に使用されるエネルギーの間のエネルギー・バランスを判断するようになっている判断デバイスを備えており、制御デバイスは判断デバイスによって判断されたエネルギー・バランスに基づいて、外部エネルギー伝送デバイスからの無線エネルギーの伝送を制御する。
【０３４０】
さらに、本発明の装置は、以下の機構のいずれかを備えることができる。
【０３４１】
内部エネルギー受信器内で二次コイルに無線エネルギーを誘導伝送するようになっている、外部エネルギー源内の一次コイル。
【０３４２】
判断デバイスは、エネルギー・バランスの変化を検出するようになっており、制御デバイスは検出したエネルギー・バランス変化に基づいて、無線エネルギーの伝送を制御する。
【０３４３】
判断デバイスは、内部エネルギー受信器によって受けられるエネルギーと装置の移植可能なエネルギー消費構成部品に使用されるエネルギーの間の差を検出するようになっており、制御デバイスは検出したエネルギー差に基づいて、無線エネルギーの伝送を制御する。
【０３４４】
制御デバイスは、検出されたエネルギー・バランス変化がエネルギー・バランスが増加していることを示している場合に、伝送された無線エネルギー量を減少させるように、また逆も同様であるように、外部エネルギー伝送デバイスを制御し、エネルギー伝送の増減は、検出された変化率に対応する。
【０３４５】
制御デバイスは、検出されたエネルギー差が受けられたエネルギーが使用されるエネルギーより大きいことを示している場合に、伝送された無線エネルギー量を減少させるように、また逆も同様であるように、外部エネルギー伝送デバイスを制御し、エネルギー伝送の増減は、検出されたエネルギー差の大きさに対応する。
【０３４６】
装置の移植された部分に使用されるエネルギーは、移植された部分を操作するために消費され、および／または装置の少なくとも１つのエネルギー貯蔵デバイス内に貯蔵される。
【０３４７】
装置の電気および／または身体パラメータ、および／または患者の身体パラメータが判断される場合、エネルギー伝送デバイスは、パラメータに基づいて判断デバイスによって判断された、伝送率／時間単位にしたがって、消費および貯蔵するためにエネルギーを伝送する。判断デバイスはまた、パラメータに基づいて伝送エネルギーの合計量を判断する。
【０３４８】
内部エネルギー受信器によって受けられるエネルギーの合計量と消費および／または貯蔵されたエネルギーの合計量の差が検出され、検出された差がエネルギー・バランスに関連する少なくとも１つの測定された電気パラメータの時間の経過にわたる積分に関連している場合、判断デバイスは、この積分を、エネルギー・バランスに関連する監視された電圧および／または電流に対して判断する。
【０３４９】
消費および／または貯蔵エネルギーの量に関連する測定された電気パラメータの誘導関数が経時的に判断される場合、判断デバイスは、この誘導関数をエネルギー・バランスに関連する監視した電圧および／または電流に対して判断する。
【０３５０】
エネルギー伝送デバイスは、人間の身体の外部に置かれたコイルを備えており、無線エネルギーを伝送するように外部コイルに電気パルスを与えるために電気回路が提供される。電気パルスは、先端および後端縁部を備えており、電気パルスの連続した後端および先端縁部の間の第１の時間間隔、および／または電気パルスの連続した後端および先端縁部の間の第２の時間間隔を変更して、伝送された無線エネルギーの電力を変更するようになっている。その結果、伝送された無線エネルギーを受けるエネルギー受信器は様々な電力を有する。
【０３５１】
電気回路は、第１および／または第２の時間間隔を変更することを除いて、電気パルスを変更しないように運ぶようになっている。
【０３５２】
電気回路は、時間定数を有し、第１および／または第２の時間間隔の長さが変えられる場合に、コイル上の伝送された電力が変更されるように、第１の時間定数の範囲内にある第１および第２の時間間隔のみを変更するようになっている。
【０３５３】
電気回路は、電気パルスの連続した先端および後端縁部の間で第１の時間間隔の長さを変更するだけで変更されるように電気パルスを運ぶようになっている。
【０３５４】
電気回路は、２つ以上の電気パルスの列を、一列で供給するようになっており、列はパルス列の初めに第１の電気パルスを有し、パルス列の終わりに第２の電気パルスを有する。
【０３５５】
第１のパルス列内の第２の電気パルスの連続した後端縁部と、第２のパルス列の第１の電気パルスの先端縁部の間の第２の時間間隔の長さは、第１の電子回路によって変更される。
【０３５６】
電気回路は、ほぼ一定の高さおよび／または振幅および／または強度および／または電圧および／または電流および／または周波数を有するパルスとしての電気パルスを提供するようになっている。
【０３５７】
電気回路は、時間定数を有し、第１および／または第２の時間間隔の長さが変えられる場合に、第１のコイル上の伝送された電力が変更されるように、第１の時間定数の範囲内にある第１および第２の時間間隔のみを変更するようになっている。
【０３５８】
電気回路は、第１の時間定数を含む、または第１の時間定数の大きさと比べて、第１の時間定数の比較的近くに配置されている範囲内にある第１および／または第２の時間間隔の長さのみを変更する電気パルスを提供するようになっている。
【０３５９】
本発明を最も実用的かつ好ましい実施形態であると現時点で考えられるものに関連して記載したが、本発明は開示した実施形態に限るものではなく、逆に、添付の特許請求の範囲の精神および範囲内に含まれる様々な変更形態および同等構成形態を含むことを意図していることを理解されたい。
【０３６０】
狭さくデバイスは、妊娠を防ぐために、所定の期間の間、卵子に向かう精子の移動を遅らせるように配置することができる。これは、多くの異なる方法で達成することができ、そのうちの２つを以下に記載する。
【０３６１】
図６０は、卵管を通る流れを制限するまたは止めるようになっている、狭さくデバイス２を通る断面図である。普通の流れ方向は、矢印によって示されている。狭さくデバイスは、それぞれ卵管の一部を制限するまたは閉じるように配置された、一列の狭さく要素２ａ〜２ｍを備えている。図５６に示す狭さくデバイスは、流れが遮断されない、開口または非操作位置にある。
【０３６２】
図６１Ａは、第１の遮断段階の図６０の狭さくデバイスを示しており、全ての他の狭さく要素は閉位置にある。全体的に１０００で示した精子は、第１の閉じられていない狭さく要素によって形成された空間に入ることが可能である。精子は、閉位置にある第２の狭さく要素によってここで止められる。この操作状態は、１日などの所望の期間にわたってそのままであることができる。
【０３６３】
図６１Ｂは、第２の遮断段階の図６０の狭さくデバイスを示しており、第１の遮断段階で閉じられていた全ての狭さく要素は、開位置にあり、逆もまた同様である。精子はその後、第２の閉じられていない狭さく要素によって形成された空間に入ることが可能である。精子は、閉位置にある第３の狭さく要素によってここで止められる。この操作状態は、１日などの所望の期間にわたってそのままであることができる。
【０３６４】
図６１Ａは、第３の遮断段階の図６０の狭さくデバイスを示しており、全ての他の狭さく要素は、ちょうど第１の段階と同様に、閉位置にある。図６１Ａおよび６１Ｂに示す精子は、第３の閉じられていない狭さく要素によって形成された空間に入ることが可能である。精子は、閉位置にある第４の狭さく要素によってここで止められる。この操作状態は、１日などの所望の期間にわたってそのままであることができる。
【０３６５】
この過程を繰り返して、精子の移動は、精子が狭さくデバイスの他の端部に到達するまで、所望の期間だけ遅らせることができる。精子の寿命は約５日より短いので、このように精子を遅らせることにより、精子は卵管内の卵子に到達せず、それによって狭さくデバイスが望まない妊娠を防ぐように働くことが保証される。卵管の狭さくされた領域を変更することによって、同じ領域がより長期間狭さくされたように傷つけられないようにする。
【０３６６】
図６２Ａ〜Ｄは、狭さくデバイスの第２の実施形態を示している。これは、図６１Ａ〜Ｃに示す狭さくデバイスの第１の実施形態と同様の方法で動作する。しかし、本実施形態では、２つの連続狭さく要素が、精子の進行を可能にする場合に一度に開位置にある。
【０３６７】
図６３Ａ〜Ｅは、子宮から卵管内へのこのような精子の上昇に精子ポンプを使用する、本発明の特定の一実施形態を開示している。この原理は単純であり、２つ以上の制限デバイスが卵管の外側に供給されて、その外側からこれを制限する。制限デバイスは、刺激デバイス、機械的または油圧制限デバイスのいずれか１つまたは組み合わせを備えることができる。少なくとも１つのさらなる制限が、その後、卵巣の近くで行われる。制限は、卵巣の後ろ側への任意の卵子の不必要な移動を引き起こさないようにゆっくり行うことが好ましい。というのは、卵管はその卵巣端部に開口端部を有するからである。さらなる制限は、より長い制限領域を有することが好ましい。その後、全ての制限は迅速に解放されて、卵巣側からおよび子宮側からの吸引が行われて、子宮から精子を、卵巣側から卵子を吸引する。制限がゆっくり加えられ、迅速に開放される限り、制限を加えるいかなる方法でも別の方法で働くことができる。
【０３６８】
図６３Ａは、制限デバイス２を備えた卵管側に加えられた制限を開示している。図６３Ｂ〜Ｄはさらに加えられた制限を開示している。図６３Ｅは、同時に全ての制限領域を迅速に解放することを開示しており、したがって子宮側から精子が吸引される。
【０３６９】
したがって、卵管内の精子の上記制御はまた、卵管を通って移動する卵子にも適用可能であることが分かるだろう。
【符号の説明】
【０３７０】
ＢＯ  卵管；  ＣＳＤ  狭さくおよび刺激デバイス；  ＣＤ  制御デバイス；  
１  ハウジング；  ２  狭さくデバイス；  ３  刺激デバイス；  ４  制御デバイス；  
５，６  クランプ要素；  ７  電気素子；  ８  壁面部。
【図１Ａ】
0005400051.tif 000003
【図１Ｂ】
0005400051.tif 000004
【図１Ｃ】
0005400051.tif 000005
【図１Ｄ】
0005400051.tif 000006
【図１Ｅ】
0005400051.tif 000007
【図１Ｆ】
0005400051.tif 000008
【図１Ｇ】
0005400051.tif 000009
【図１Ｈ】
0005400051.tif 000010
【図１Ｉ】
0005400051.tif 000011
【図１Ｋ】
0005400051.tif 000012
【図１Ｌ】
0005400051.tif 000013
【図２】
0005400051.tif 000014
【図３】
0005400051.tif 000015
【図４】
0005400051.tif 000016
【図５Ａ】
0005400051.tif 000017
【図５Ｂ】
0005400051.tif 000018
【図５Ｃ】
0005400051.tif 000019
【図６Ａ】
0005400051.tif 000020
【図６Ｂ】
0005400051.tif 000021
【図６Ｃ】
0005400051.tif 000022
【図７Ａ】
0005400051.tif 000023
【図７Ｂ】
0005400051.tif 000024
【図８Ａ】
0005400051.tif 000025
【図８Ｂ】
0005400051.tif 000026
【図９Ａ】
0005400051.tif 000027
【図９Ｂ】
0005400051.tif 000028
【図１０Ａ】
0005400051.tif 000029
【図１０Ｂ】
0005400051.tif 000030
【図１１Ａ】
0005400051.tif 000031
【図１１Ｂ】
0005400051.tif 000032
【図１２Ａ】
0005400051.tif 000033
【図１２Ｂ】
0005400051.tif 000034
【図１３Ａ】
0005400051.tif 000035
【図１３Ｂ】
0005400051.tif 000036
【図１３Ｃ】
0005400051.tif 000037
【図１４Ａ】
0005400051.tif 000038
【図１４Ｂ】
0005400051.tif 000039
【図１４Ｃ】
0005400051.tif 000040
【図１５】
0005400051.tif 000041
【図１６】
0005400051.tif 000042
【図１７】
0005400051.tif 000043
【図１８】
0005400051.tif 000044
【図１９】
0005400051.tif 000045
【図２０】
0005400051.tif 000046
【図２１】
0005400051.tif 000047
【図２２】
0005400051.tif 000048
【図２３】
0005400051.tif 000049
【図２４】
0005400051.tif 000050
【図２５】
0005400051.tif 000051
【図２６】
0005400051.tif 000052
【図２７】
0005400051.tif 000053
【図２８】
0005400051.tif 000054
【図２９】
0005400051.tif 000055
【図３０Ａ】
0005400051.tif 000056
【図３０Ｂ】
0005400051.tif 000057
【図３１Ａ】
0005400051.tif 000058
【図３１Ｂ】
0005400051.tif 000059
【図３１Ｃ】
0005400051.tif 000060
【図３１Ｄ】
0005400051.tif 000061
【図３２】
0005400051.tif 000062
【図３３Ａ】
0005400051.tif 000063
【図３３Ｂ】
0005400051.tif 000064
【図３４】
0005400051.tif 000065
【図３５Ａ】
0005400051.tif 000066
【図３５Ｂ】
0005400051.tif 000067
【図３６Ａ】
0005400051.tif 000068
【図３６Ｂ】
0005400051.tif 000069
【図３６Ｃ】
0005400051.tif 000070
【図３６Ｄ】
0005400051.tif 000071
【図３６Ｅ】
0005400051.tif 000072
【図３７】
0005400051.tif 000073
【図３８】
0005400051.tif 000074
【図３９】
0005400051.tif 000075
【図４０】
0005400051.tif 000076
【図４１】
0005400051.tif 000077
【図４２】
0005400051.tif 000078
【図４３】
0005400051.tif 000079
【図４４】
0005400051.tif 000080
【図４５】
0005400051.tif 000081
【図４６】
0005400051.tif 000082
【図４７】
0005400051.tif 000083
【図４８】
0005400051.tif 000084
【図４９】
0005400051.tif 000085
【図５０】
0005400051.tif 000086
【図５１】
0005400051.tif 000087
【図５２】
0005400051.tif 000088
【図５３Ａ】
0005400051.tif 000089
【図５３Ｂ】
0005400051.tif 000090
【図５３Ｃ】
0005400051.tif 000091
【図５４Ａ】
0005400051.tif 000092
【図５４Ｂ】
0005400051.tif 000093
【図５５Ａ】
0005400051.tif 000094
【図５５Ｂ】
0005400051.tif 000095
【図５５Ｃ】
0005400051.tif 000096
【図５６】
0005400051.tif 000097
【図５７】
0005400051.tif 000098
【図５８】
0005400051.tif 000099
【図５９】
0005400051.tif 000100
【図６０】
0005400051.tif 000101
【図６１Ａ】
0005400051.tif 000102
【図６１Ｂ】
0005400051.tif 000103
【図６１Ｃ】
0005400051.tif 000104
【図６２Ａ】
0005400051.tif 000105
【図６２Ｂ】
0005400051.tif 000106
【図６２Ｃ】
0005400051.tif 000107
【図６２Ｄ】
0005400051.tif 000108